(57)【要約】  本発明は、照明環境に対応する情報であり、照明環境における物体の色を示す色情報と、当該物体の色特性を示す色特性情報との各々を相互に変換させる情報である色情報変換情報を生成する色変換情報生成方法であり、色特性情報が既知である色見本を決定するための色見本情報をユーザに提供する色見本情報提供過程と、照明環境において、色見本情報によって決定される色見本が撮像された画像である撮像画像をユーザから受信する撮像画像受信過程と、撮像画像と、色見本情報によって決定される色見本の色特性情報とから、ユーザに対応付けて照明環境に対応する色変換情報を生成する色変換情報生成過程とを含むことを特徴とする色変換情報生成方法である。
2020162478.tif 000002
【特許請求の範囲】
【請求項１】
照明環境に対応する情報であり、前記照明環境における物体の色を示す色情報と、当該物体の色特性を示す色特性情報との各々を相互に変換させる情報である色変換情報を生成する色変換情報生成方法であり、
前記色特性情報が既知である色見本を決定するための色見本情報をユーザに提供する色見本情報提供過程と、
前記照明環境において、前記色見本情報によって決定される色見本が撮像された画像である撮像画像を前記ユーザから受信する撮像画像受信過程と、
前記撮像画像と、前記色見本情報によって決定される前記色見本の前記色特性情報とから、前記ユーザに対応付けて前記照明環境に対応する前記色変換情報を生成する色変換情報生成過程と
を含む色変換情報生成方法。
【請求項２】
前記色変換情報が、前記物体の属性に対応する前記色特性に対応して生成されている、
請求項１に記載の色変換情報生成方法。
【請求項３】
前記ユーザに提供する前記色見本情報によって決定される前記色見本を生成する色見本生成過程
をさらに含む請求項１または請求項２に記載の色変換情報生成方法。
【請求項４】
前記色見本が前記色見本情報によって決定される、前記色特性情報が既知である色で印刷された文字、図形及びカラーチャートのいずれかあるいは組み合わせを含む印刷物である、
請求項３に記載の色変換情報生成方法。
【請求項５】
前記印刷物が、
前記ユーザに前記物体が配送される際、当該ユーザが前記物体とともに受領する、前記色見本が印刷された他の物体である、
請求項４に記載の色変換情報生成方法。
【請求項６】
前記印刷物が、
前記ユーザが所定の団体へのユーザ登録において、当該ユーザが前記団体から受領する、前記色見本が印刷された他の物体である、
である請求項４に記載の色変換情報生成方法。
【請求項７】
前記印刷物が、
前記ユーザが所定の団体にユーザ登録する際、当該ユーザが前記団体の登録システムにアクセスするＵＲＬを示す図形及び文字のいずれかが、前記色見本として印刷された他の物体である、
請求項４に記載の色変換情報生成方法。
【請求項８】
前記色見本が、
前記ユーザに提供される、施された色の前記色特性情報が既知である前記物体である、
請求項１または請求項２に記載の色変換情報生成方法。
【請求項９】
前記色見本が、
施された色の前記色特性情報が既知である汎用品である、
請求項１または請求項２に記載の色変換情報生成方法。
【請求項１０】
前記色見本が、
印刷された色の前記色特性情報が既知である色票が印刷された印刷物である
ことを特徴とする請求項１または請求項２に記載の色変換情報生成方法。
【請求項１１】
前記ユーザの前記照明環境において、前記色見本である第１色見本情報により決定される第１色見本が撮像された第１撮像画像を受信する過程と、
前記第１撮像画像と、前記第１色見本の前記色特性情報とにより、前記ユーザの前記照明環境における前記色変換情報を生成する過程と、
前記色変換情報を生成する過程より後のタイミングにおいて、前記第１色見本とは前記色特性情報が異なる第２色見本を決定するための前記色見本情報である第２色見本情報を前記ユーザに提供する過程と、
前記ユーザの前記照明環境において、前記第２色見本情報によって決定される前記第２色見本が撮像された第２撮像画像を受信する過程と、
前記第２撮像画像と、前記第２色見本の前記色特性情報とにより、前記ユーザの前記照明環境における前記色変換情報を更新する過程と
を含む請求項１から請求項１０のいずれか一項に記載の色変換情報生成方法。
【請求項１２】
前記第１撮像画像に対応した前記第２色見本を生成する過程
をさらに含む、
請求項１１に記載の色変換情報生成方法。
【請求項１３】
前記第２撮像画像が、前記ユーザに配送された前記物体が撮像された画像、あるいは当該物体及び前記第２色見本が撮像された画像である、
請求項１１または請求項１２に記載の色変換情報生成方法。
【請求項１４】
前記ユーザの前記照明環境が変化したことを検出した場合、前記色特性情報を更新する、
請求項１２または請求項１３に記載の色変換情報生成方法。
【請求項１５】
第２色見本の色特性情報が、前記第２撮像画像から色変換情報を用いて予測される色特性情報と異なる場合、前記照明環境が変化したことを検知する、
請求項１４に記載の色変換情報生成方法。
【請求項１６】
前記ユーザから、当該ユーザの前記照明環境が変化したことを示す情報を受信した場合、前記照明環境が変化したことを検知する、
請求項１４に記載の色変換情報生成方法。
【請求項１７】
前記ユーザに前記第２色見本情報を提供するタイミングが、当該ユーザの属性情報に基づいて決定される、
請求項１１から請求項１６のいずれか一項に記載の色変換情報生成方法。
【請求項１８】
前記色見本が撮像された前記撮像画像を受信した際に与える所定のインセンティブの情報を、前記ユーザに対して提供する、
請求項１から請求項１７のいずれか一項に記載の色変換情報生成方法。
【請求項１９】
前記色変換情報により前記物体の色特性情報を色情報に変換し、当該色情報に基づく画像である物体表示画像を生成する過程と、
前記物体表示画像を前記ユーザの所有する端末に送信する過程と
を含む請求項１から請求項１８のいずれか一項に記載の色変換情報生成方法。
【請求項２０】
前記ユーザが前記物体表示画像と前記物体とを比較した結果の評価情報により、前記ユーザの前記色変換情報を更新する過程と
を含む請求項１９に記載の色変換情報生成方法。
【請求項２１】
色見本の色特性情報から、前記色変換情報により前記ユーザの観察環境における当該色見本の色情報を推定し、前記色見本の推定画像である色見本表示画像を生成する過程と、
前記色見本表示画像を前記ユーザの端末に送信する過程と、
前記ユーザが前記色見本表示画像と前記色見本とを比較した結果の評価情報により、前記ユーザの前記色変換情報を更新する過程と
をさらに含む請求項１９に記載の色変換情報生成方法。
【請求項２２】
前記第２色見本が、少なくとも、前記物体の前記色特性情報、前記第１色見本により得られた前記照明環境の前記色変換情報、及び前記照明環境の情報により選択された、前記第１色見本を撮像した前記照明環境と類似した類似照明環境における色変換情報である類似色変換情報のいずれかあるいは組合せまたは全てに対応させた色の組合せで生成される、
請求項１１または請求項１２に記載の色変換情報生成方法。
【請求項２３】
前記照明環境の属性である環境属性に対応した色の組合せに対応して前記第２色見本を生成する、
請求項１１または請求項１２に記載の色変換情報生成方法。
【請求項２４】
前記環境属性が照明の特性を含む、
請求項２３に記載の色変換情報生成方法。
【請求項２５】
前記ユーザの属性であるユーザ属性情報に基づき、前記ユーザが分類されるグループのユーザ属性情報を示すグループ情報を生成する過程と、
前記グループ情報の示す前記ユーザ属性情報に対応した、前記色特性の組合せによる前記色見本を生成する過程と
を含む請求項３、請求項１１または請求項１２のいずれか一項に記載の色変換情報生成方法。
【請求項２６】
前記ユーザ属性情報が、前記ユーザの前記照明環境の場所の属性、前記ユーザの性別、前記ユーザの年齢、前記ユーザの住所、前記ユーザの職業のいずれか又は組合せあるいは全てを含む、
請求項２５に記載の色変換情報生成方法。
【請求項２７】
前記物体が医師が観察する身体であり、
前記身体の属性に対応して生成された色特性の組合せにより、前記色見本を生成する、
請求項３、請求項１１または請求項１２のいずれか一項に記載の色変換情報生成方法。
【請求項２８】
前記身体が前記ユーザである患者の患部であり、
前記身体の属性が、前記患部の身体における部位、及び当該患部の症状に類似した症例のいずれか又は組合せ、あるいは全てを含む、
請求項２７に記載の色変換情報生成方法。
【請求項２９】
前記物体が前記ユーザに提供される物品であり、
前記物品の属性に対応して生成された前記色特性の組合せにより、前記色見本を生成する、
請求項３、請求項１１または請求項１２のいずれか一項に記載の色変換情報生成方法。
【請求項３０】
前記物品の属性が、当該物品の種類、前記物品を形成する素材及び前記物品の形状のいずれか又は組合せあるいは全てを含む、
請求項２９に記載の色変換情報生成方法。
【請求項３１】
前記ユーザが閲覧した前記物体の履歴情報における前記物体の属性情報に対応する前記色特性、及び前記ユーザが注文した前記物体の履歴情報における前記物体の属性情報に対応する前記色特性のいずれか又は組合せにより、前記色見本を生成する、
請求項３、請求項１１または請求項１２のいずれか一項に記載の色変換情報生成方法。
【請求項３２】
物体を閲覧するウェブページのＵＲＬを前記ユーザに提供する過程と、
前記ユーザが前記ウェブページを閲覧した履歴情報を取得する過程と、
前記ユーザが閲覧した前記物体の履歴情報における前記物体の属性情報に対応する前記色特性のいずれか又は組合せにより、前記色見本を生成する過程と
を含む請求項３、請求項１１または請求項１２のいずれか一項に記載の色変換情報生成方法。
【請求項３３】
前記色見本が、前記物体、前記色見本を撮像する撮像装置の感度に対応する前記色特性の組合せで生成される、
請求項３、請求項１１または請求項１２のいずれか一項に記載の色変換情報生成方法。
【請求項３４】
色特性情報が既知である色見本の情報である色見本情報をユーザに提供する色見本情報提供部と、
前記ユーザの照明環境において、前記色見本情報によって決定される前記色見本を撮像した撮像画像を前記ユーザから取得する撮像画像取得部と、
前記撮像画像と前記色特性情報とにより、前記照明環境における物品の色情報と、前記物品の色特性情報を変換する色変換情報を前記ユーザ毎に求める色変換情報演算部と
を備える色変換情報生成システム。
【請求項３５】
コンピュータを、
色特性情報が既知である色見本の情報である色見本情報をユーザに提供する色見本情報提供手段、
前記ユーザの照明環境において、前記色見本情報によって決定される前記色見本を撮像した撮像画像を前記ユーザから取得する撮像画像取得手段、
前記撮像画像と前記色特性情報とにより、前記照明環境における物品の色情報と、前記物品の色特性情報を変換する色変換情報を前記ユーザ毎に求める色変換情報演算手段
として動作させるプログラム。
【発明の詳細な説明】
【技術分野】
【０００１】
本発明は、色変換情報生成方法、色変換情報生成システム及びプログラムに関する。
本願は、２０１９年２月５日に、日本に出願された特願２０１９−０１９０２８号と、２０１９年８月２６日に、日本に出願された特願２０１９−１５３８７１号とに基づき、優先権を主張し、これらの内容をここに援用する。
【背景技術】
【０００２】
近年、ユーザが物品（商品などの物体）を購入する際、ＥＣ（electronic commerce）サイトにアクセスして、ユーザが端末の表示画面において商品、例えば服飾品等を観察して、実物を実際に観察せずに、商品を購入することが行なわれている（例えば、特許文献１参照）。
ユーザは、端末の表示画面上において、商品のサイズや色を確認して、自身に合うサイズと、欲しい色とに基づいて、ＥＣサイトによる商品の購入を行なう。
上述したように、ユーザが実際の物体を観察することなく、この物体の色の評価を行なうことが行なわれている。
【先行技術文献】
【特許文献】
【０００３】
【特許文献１】日本国特開２００９−２８８９２８号公報
【発明の概要】
【発明が解決しようとする課題】
【０００４】
上述したように、ＥＣサイトにおける商品の購入において、商品のサイズについては、規格が示されていたり、あるいは寸法が記載されている。
このため、顧客は、端末の表示画面で観察している商品が、自身の欲しいサイズであるか否かを容易に判断することができる。【０００５】
しかしながら、商品の色に関しては、表示画面で選択した際の商品の色と、実際に観察する際の色とが異なる場合が多くあり、顧客が気にいらないとして、商品の返品処理を行なう場合がある。この原因としては、ＥＣサイトにおいて画像を撮像する撮像環境の光源と、顧客が実際に商品を観察する観察環境の光源の特性が異なることが挙げられる。【０００６】
特に、服飾品などは、他の服飾品との微妙な色合いの好みが、顧客の感性により判定されるため、購入した商品の色が考えていた色と異なる場合、好みに合わないと判定されてしまう。
結果として、表示画面で確認した商品の色が実物の色と異なるため、ＥＣサイトでは顧客が所望の色の商品を購入することが困難である。【０００７】
また、物品の色の忠実な色再現が要求される文化財やカタログなどの印刷再現においては、物品を撮像する撮像環境と、撮像した撮像装置のカメラパラメータとを事前に取得している。そして、観察環境において、顧客に対して物体の色を実物と同様に視認させるためのカラーマネージメントを行なっている。
しかし、一般の顧客は、多種多様な自身の観察環境において、表示画面において選択した商品画像の色と、届いた商品の実物の色との観察を行なう。このとき、一般のユーザであるＥＣサイトの顧客やＥＣサイトを運営する担当者などは、カラーマネージメントの知識及び専用の機器を有していないため、商品画像の色と実物の商品の色とを同様に視認するカラーマネージメントを行なうことができない。【０００８】
また、一般のユーザは、上述したカラーマネージメントの意識がないため、一旦撮像環境や観察環境の情報が取得された後、これら撮像環境や観察環境が変更された場合に、この変更に対応して、カラーマネージメントの調整の処理を行うことができない。撮像環境及び観察環境の各々は、色を視認する際において、主として光源の環境である照明環境である。
このため、初期の段階では物体の色を実物と同様に視認できても、撮像環境や観察環境が変更されてしまうと、ユーザが物体の色を実物と同様に視認できる画像として提供したり、あるいはユーザの観察環境下において実物と同様の色として視認することができなくなる場合がある。【０００９】
本発明は、このような状況に鑑みてなされたもので、カラーマネージメントの知識を持たない一般のユーザに対して、このユーザの撮像環境で撮像された物体の画像、または観察環境で視認される物体の画像である物体画像が実物の物体の色と同様と視認できるようにするため、撮像環境及び観察環境（照明環境）の各々に対応した、物体の実物の色と、ユーザの各々の照明環境下で視認される色とを相互に変換する色変換情報を生成する色変換情報生成方法、色変換情報生成システム及びプログラムを提供する。
【課題を解決するための手段】
【００１０】
本発明の第１態様は、照明環境に対応する情報であり、前記照明環境における物体の色を示す色情報と、当該物体の色特性を示す色特性情報との各々を相互に変換させる情報である色変換情報を生成する色変換情報生成方法であり、前記色特性情報が既知である色見本を決定するための色見本情報をユーザに提供する色見本情報提供過程と、前記照明環境において、前記色見本情報によって決定される色見本が撮像された画像である撮像画像を前記ユーザから受信する撮像画像受信過程と、前記撮像画像と、前記色見本情報によって決定される色見本の色特性情報とから、前記ユーザに対応付けて前記照明環境に対応する前記色変換情報を生成する色変換情報生成過程とを含むことを特徴とする色変換情報生成方法である。【００１１】
本発明の第２態様は、上記第１態様の色変換情報生成方法において、前記色変換情報が、前記物体の属性に対応する前記色特性に対応して生成されている。【００１２】
本発明の第３態様は、上記第１態様または上記第２態様の色変換情報生成方法において、前記ユーザに提供する前記色見本情報によって決定される前記色見本を生成する色見本生成過程をさらに含んでもよい。【００１３】
本発明の第４態様は、上記第３態様の色変換情報生成方法において、前記色見本が前記色見本情報によって決定される、前記色特性情報が既知である色で印刷された文字、図形及びカラーチャートのいずれかあるいは組み合わせを含む印刷物であってもよい。【００１４】
本発明の第５態様は、上記第４態様の色変換情報生成方法において、前記印刷物が、前記ユーザに前記物体が配送される際、当該ユーザが前記物体とともに受領する、前記色見本が印刷された他の物体であってもよい。【００１５】
本発明の第６態様は、上記第４態様の色変換情報生成方法において、前記印刷物が、前記ユーザが所定の団体へのユーザ登録において、当該ユーザが前記団体から受領する、前記色見本が印刷された他の物体であってもよい。【００１６】
本発明の第７態様は、上記第４態様の色変換情報生成方法において、前記印刷物が、前記ユーザが所定の団体にユーザ登録する際、当該ユーザが前記団体の登録システムにアクセスするＵＲＬを示す図形及び文字のいずれかが、前記色見本として印刷された他の物体であってもよい。【００１７】
本発明の第８態様は、上記第１態様または上記第２態様の色変換情報生成方法において、前記色見本が、前記ユーザに提供される、施された色の前記色特性情報が既知である前記物体であってもよい。【００１８】
本発明の第９態様は、上記第１態様または上記第２態様の色変換情報生成方法において、前記色見本が、施された色の前記色特性情報が既知である汎用品であってもよい。【００１９】
本発明の第１０態様は、上記第１態様または上記第２態様の色変換情報生成方法において、前記色見本が、印刷された色の前記色特性情報が既知である色票が印刷された印刷物であってもよい。【００２０】
本発明の第１１態様は、上記第１態様から第１０態様のいずれかの色変換情報生成方法において、前記ユーザの前記照明環境において、前記色見本である第１色見本情報によって決定される第１色見本が撮像された第１撮像画像を受信する過程と、前記第１撮像画像と、前記第１色見本の前記色特性情報とにより、前記ユーザの前記照明環境における前記色変換情報を生成する過程と、前記色変換情報を生成する過程より後のタイミングにおいて、前記第１色見本とは前記色特性情報が異なる第２色見本を決定するための前記色見本情報である第２色見本情報を前記ユーザに提供する過程と、前記ユーザの前記照明環境において、前記第２色見本情報によって決定される前記第２色見本が撮像された第２撮像画像を受信する過程と、前記第２撮像画像と、前記第２色見本の前記色特性情報とにより、前記ユーザの前記照明環境における前記色変換情報を更新する過程とを含んでもよい。【００２１】
本発明の第１２態様は、上記第１１態様の色変換情報生成方法において、前記第１撮像画像に対応した前記第２色見本を生成する過程を含んでもよい。【００２２】
本発明の第１３態様は、上記第１１態様または第１２態様の色変換情報生成方法において、前記第２撮像画像が、前記ユーザに配送された前記物体が撮像された画像、あるいは当該物体及び前記第２色見本が撮像された画像であってもよい。【００２３】
本発明の第１４態様は、上記第１２態様または第１３態様の色変換情報生成方法において、前記ユーザの前記照明環境が変化したことを検出した場合、前記色特性情報を更新してもよい。【００２４】
本発明の第１５態様は、上記第１４態様の色変換情報生成方法において、前記照明環境における第２色見本の色特性情報に対応する色情報が、前記第２撮像画像の前記第２色見本の色情報と、予め定められた所定の閾値以上に異なる場合、前記照明環境が変化したことを検知してもよい。【００２５】
本発明の第１６態様は、上記第１４態様の色変換情報生成方法において、前記ユーザから、当該ユーザの前記照明環境が変化したことを示す情報を受信した場合、前記照明環境が変化したことを検知してもよい。【００２６】
本発明の第１７態様は、上記第１１態様から第１６態様のいずれかの色変換情報生成方法において、前記ユーザに前記第２色見本情報を提供するタイミングが、当該ユーザの属性情報に基づいて決定されてもよい。【００２７】
本発明の第１８態様は、上記第１態様から第１７態様のいずれかの色変換情報生成方法において、前記色見本が撮像された前記撮像画像を受信した際に与える所定のインセンティブの情報を、前記ユーザに対して提供してもよい。【００２８】
本発明の第１９態様は、上記第１態様から第１８態様のいずれかの色変換情報生成方法において、前記色変換情報により前記物体の色特性情報を色情報に変換し、当該色情報に基づく画像である物体表示画像を生成する過程と、前記物体表示画像を前記ユーザの所有する端末に送信する過程とを含んでもよい。【００２９】
本発明の第２０態様は、上記第１９態様の色変換情報生成方法において、前記ユーザが前記物体表示画像と前記物体とを比較した結果の評価情報により、前記ユーザの前記色変換情報を更新する過程とを含んでもよい。【００３０】
本発明の第２１態様は、上記第１９態様の色変換情報生成方法において、色見本の色特性情報から、前記色変換情報により前記ユーザの観察環境における当該色見本の色情報を推定し、前記色見本の推定画像である色見本表示画像を生成する過程と、前記色見本表示画像を前記ユーザの端末に送信する過程と、前記ユーザが前記色見本表示画像と前記色見本とを比較した結果の評価情報により、前記ユーザの前記色変換情報を更新する過程とをさらに含んでもよい。【００３１】
本発明の第２２態様は、上記第１１態様または第１２態様の色変換情報生成方法において、前記第２色見本が、少なくとも、前記物体の前記色特性情報、前記第１色見本により得られた前記照明環境の前記色変換情報、及び前記照明環境の情報により選択された、前記第１色見本を撮像した前記照明環境と類似した類似照明環境における色変換情報である類似色変換情報のいずれかあるいは組合せまたは全てに対応させた色の組合せで生成されてもよい。【００３２】
本発明の第２３態様は、上記第１１態様または第１２態様の色変換情報生成方法において、前記照明環境の属性である環境属性に対応した色の組合せに対応して前記第２色見本を生成してもよい。【００３３】
本発明の第２４態様は、上記第２３態様の色変換情報生成方法において、前記環境属性が照明の特性を含んでもよい。【００３４】
本発明の第２５態様は、上記第３様態、第１１態様、第１２態様のいずれかの色変換情報生成方法において、前記ユーザの属性であるユーザ属性情報に基づき、前記ユーザが分類されるグループのユーザ属性情報を示すグループ情報を生成する過程と、前記グループ情報の示す前記ユーザ属性情報に対応した前記色特性の組合せによる前記色見本を生成する過程とを含んでもよい。【００３５】
本発明の第２６態様は、上記第２５態様の色変換情報生成方法において、前記ユーザ属性情報が、前記ユーザの前記照明環境の場所の属性、前記ユーザの性別、前記ユーザの年齢、前記ユーザの住所、前記ユーザの職業のいずれか又は組合せあるいは全てを含んでもよい。【００３６】
本発明の第２７態様は、上記第３様態、第１１態様、第１２態様のいずれかの色変換情報生成方法において、前記物体が医師が観察する身体であり、前記身体の属性に対応して生成された色特性の組合せにより、前記色見本を生成してもよい。【００３７】
本発明の第２８態様は、上記第２７態様の色変換情報生成方法において、前記身体が患者の患部であり、前記身体の属性が、前記患部の身体における部位、及び当該患部の症状に類似した症例のいずれか又は組合せ、あるいは全てを含んでもよい。【００３８】
発明の第２９態様は、上記第３様態、第１１態様、第１２態様のいずれかの色変換情報生成方法において、前記物体が前記ユーザに提供される物品であり、前記物品の属性に対応して生成された前記色特性の組合せにより、前記色見本を生成してもよい。【００３９】
発明の第３０態様は、上記第２９態様の色変換情報生成方法において、前記物品の属性が、当該物品の種類、前記物品を形成する素材及び前記物品の形状のいずれか又は組合せあるいは全てを含んでもよい。【００４０】
発明の第３１態様は、上記第３様態、第１１態様、第１２態様のいずれかの色変換情報生成方法において、前記ユーザが閲覧した前記物体の履歴情報における前記物体の属性情報に対応する前記色特性、及び前記ユーザが注文した前記物体の履歴情報における前記物体の属性情報に対応する前記色特性のいずれか又は組合せにより、前記色見本を生成してもよい。【００４１】
発明の第３２態様は、上記第３様態、第１１態様、第１２態様のいずれかの色変換情報生成方法において、前記物体を閲覧するウェブページのＵＲＬを前記ユーザに提供する過程と、前記ユーザが前記ウェブページを閲覧した履歴情報を取得する過程と、前記ユーザが閲覧した前記物体の履歴情報における前記物体の属性情報に対応する前記色特性のいずれか又は組合せにより、前記色見本を生成してもよい。【００４２】
発明の第３３態様は、上記第３態様、第１１態様、第１２態様のいずれかの色変換情報生成方法において、前記色見本が、前記物体、前記色見本を撮像する撮像装置の感度に対応する前記色特性の組合せで生成されてもよい。【００４３】
発明の第３４態様は、色特性情報が既知である色見本の情報である色見本情報をユーザに提供する色見本情報提供部と、前記ユーザの照明環境において、前記色見本情報によって決定される前記色見本を撮像した撮像画像を前記ユーザから取得する撮像画像取得部と、前記撮像画像と前記色特性情報とにより、前記照明環境における物品の色情報と、前記物品の色特性情報を変換する色変換情報を前記ユーザ毎に求める色変換情報演算部とを備える色変換情報生成システムである。【００４４】
発明の第３５態様は、コンピュータを、色特性情報が既知である色見本を決定するための情報である色見本情報をユーザに提供する色見本情報提供手段、前記ユーザの照明環境において、前記色見本情報によって決定される前記色見本を撮像した撮像画像を前記ユーザから取得する撮像画像取得手段、前記撮像画像と前記色特性情報とにより、前記照明環境における物品の色情報と、前記物品の色特性情報を変換する色変換情報を前記ユーザ毎に求める色変換情報演算手段として動作させるプログラムである。
【発明の効果】
【００４５】
以上説明したように、本発明の上記態様によれば、カラーマネージメントの知識を持たない一般のユーザに対して、このユーザの撮像環境で撮像された物体の画像、または観察環境で視認される物体の画像である物体画像が実物の物体の色と同様と視認できるようにするため、撮像環境及び観察環境（照明環境）の各々に対応した、物体の実物の色と、ユーザの各々の照明環境下で視認される色とを相互に変換する色変換情報を生成する色変換情報生成方法、色変換情報生成システム及びプログラムを提供することが可能となる。
【図面の簡単な説明】
【００４６】
【図１】本実施形態による商品販売支援システム（色変換情報生成システム）を用いたＥＣサイト販売システムの構成例を示すブロック図である。
【図２】本実施形態による商品販売支援システム１の行なう、ユーザへの商品画像の提示における処理の概要について説明する概念図である。
【図３】本実施形態による商品販売支援サーバ１０の構成例を示す図である。
【図４】ユーザデータベース１１におけるユーザデータテーブルの構成例を示す図である。
【図５】ユーザデータベース１１における色変換情報一覧テーブルの構成例を示す図である。
【図６】ユーザデータベース１１における商品評価テーブルの構成例を示す図である。
【図７】商品色データベース１２における商品色テーブルの構成例を示す図である。
【図８】チャート情報データベース１３におけるチャート情報テーブルの構成例を示す図である。
【図９】機器情報データベース１４における機器情報テーブルの構成例を示す図である。
【図１０】商品販売支援システム１を用いた商品販売支援の色変換情報生成の処理の流れを示すシーケンス図である。
【図１１】商品販売支援システム１を用いた商品販売支援のユーザ環境情報登録の処理の流れを示すシーケンス図である。
【図１２】商品販売支援システム１を用いた商品販売支援の商品画像の色変換と表示の処理の流れを示すシーケンス図である。
【図１３】商品販売支援システム１を用いた色変換情報更新のための情報追加の処理の流れを示すシーケンス図である。
【図１４】商品販売支援システム１を用いた色変換情報更新のための情報追加の処理の流れを示すシーケンス図である。
【図１５】商品販売支援システム１を用いた色変換情報更新のための情報追加の処理の流れを示すシーケンス図である。
【図１６】商品販売支援システム１を用いた色変換情報更新のための情報追加の処理の流れを示すシーケンス図である。
【図１７】本発明の第２の実施形態による色見本発行システム（色変換情報生成システム）を用いたカラーマネージメントシステムの構成例を示すブロック図である。
【図１８】第１の実施形態による色見本発行システム１Ａの行なう、顧客への色見本の発行における処理の概要について説明する概念図である。
【図１９】本実施形態による色見本発行システム１Ａの行なう、ＥＣサイトへの色見本の発行における処理の概要について説明する概念図である。
【図２０】本実施形態による色見本発行サーバ１０Ａの構成例を示す図である。
【図２１】顧客データベース１２Ａにおける顧客データテーブルの構成例を示す図である。
【図２２】顧客データベース１２Ａにおける色変換情報一覧テーブルの構成例を示す図である。
【図２３】顧客データベース１２Ａにおける商品評価テーブルの構成例を示す図である。
【図２４】ＥＣサイトデータベース１３ＡにおけるＥＣサイトテーブルの構成例を示す図である。
【図２５】ＥＣサイトデータベース１３Ａにおける商品色データテーブルの構成例を示す図である。
【図２６】ＥＣサイトデータベース１３Ａにおけるサイト色変換情報一覧テーブルの構成例を示す図である。
【図２７】チャート情報データベース１４Ａにおけるチャートテーブルの構成例を示す図である。
【図２８】チャート情報データベース１４Ａにおける追加チャート設計テーブルの構成例を示す図である。
【図２９】チャート情報データベース１４Ａにおける追加チャートテーブルの構成例を示す図である。
【図３０】機器情報データベース１５Ａにおける機器情報テーブルの構成例を示す図である。
【図３１】色見本発行システム１Ａを用いた顧客環境情報登録の処理の流れを示すシーケンス図である。
【図３２】色見本発行システム１Ａを用いた商品画像の色変換と表示の処理の流れを示すシーケンス図である。
【図３３】色見本発行システム１Ａを用いた色変換情報更新のための追加チャートの処理の流れを示すシーケンス図である。
【図３４】色見本発行システム１Ａを用いたサイト色変換情報生成の処理の流れを示すシーケンス図である。
【図３５】色見本発行システム１Ａを用いた商品画像の色変換と表示の処理の流れを示すシーケンス図である。
【図３６】色見本発行システム１Ａを用いたサイト色変換情報更新のための追加チャート発行の処理の流れを示すシーケンス図である。
【図３７】本発明の第３の実施形態による色見本発行システムを用いたカラーマネージメントシステムの構成例を示すブロック図である。
【図３８】患者データベース１２Ｂにおける患者データテーブルの構成例を示す図である。
【図３９】患者データベース１２Ｂにおける撮像画像評価テーブルの構成例を示す図である。
【図４０】病院データベース１３Ｂにおける病院データテーブルの構成例を示す図である。
【図４１】病院データベース１３Ｂにおける患部色データテーブルの構成例を示す図である。
【図４２】病院データベース１３Ｂにおける病院色変換情報一覧テーブルの構成例を示す図である。
【図４３】色見本発行システム１Ｂを用いた患者の色変換情報生成の例の処理の流れを示すシーケンス図である。
【図４４】色見本発行システム１Ｂを用いた患者画像の色変換と表示の処理の流れを示すシーケンス図である。
【図４５】色見本発行システム１Ｂを用いた色変換情報更新のための追加チャート発行の処理の流れを示すシーケンス図である。
【図４６】色見本発行システム１Ｂを用いた病院の色変換情報生成の処理の流れを示すシーケンス図である。
【図４７】色見本発行システム１Ｂを用いた患部画像の色変換と表示の処理の流れを示すシーケンス図である。
【図４８】色見本発行システム１Ｂを用いた病院色変換情報更新のための追加チャート発行の処理の流れを示すシーケンス図である。
【発明を実施するための形態】
【００４７】
＜第１の実施形態＞
以下、本発明の第１の実施形態について、図面を参照して説明する。
図１は、本実施形態による商品販売支援システム（色変換情報システム、以下、単に商品販売支援システムと示す）を用いたＥＣサイト販売システムの構成例を示すブロック図である。図１において、ＥＣサイト販売システムは、商品販売支援システム１、ＥＣサイトサーバ２及びユーザ端末３の各々がインターネットを含むネットワーク５００により相互に接続されて構成されている。記憶部２＿１には、ＥＣサイトサーバ２が販売する商品の商品画像（後述）が記憶されている。
【００４８】
商品販売支援システム１は、例えば、商品販売支援サイトの運営会社Ａに設けられており、各ＥＣサイトが販売する商品（例えば、本実施形態においては服飾品）の商品画像を、ユーザ端末３の各々の表示画面に対し、ユーザが商品を観察する観察環境（例えば、ユーザの観察する場所の光源下）で観察した際、実物の商品の色と同様に視認できる表示色により表示させ、正確に商品の形態を提供することで商品の販売支援を行なう。
【００４９】
本実施形態における商品（物体）は、販売される品物であり、服飾品、装飾品、家具、骨董品、絵画などである。特に、服飾品は、ユーザの色の好みや他との色の組合せなどが重要なユーザの選択条件となる。このため、ユーザ端末３の表示画面において視認される表示色と、ユーザの観察環境（特に光源の特性、例えば分光放射輝度特性）において視認される実物の色とが異なる場合、ユーザが自身の色の好みに合わず、商品の返品の大きな原因となるため、ユーザ端末３の表示画面に表示される商品の画像（後述する商品表示画像）の表示色の調整は重要である。
【００５０】
図２は、本実施形態による色変換情報システムを含む商品販売支援システム１の行なう、ユーザへの商品画像の提示における処理の概要について説明する概念図である。
図２（ａ）は、商品販売支援システム１の行なう、ユーザへの商品画像の提示における処理の流れを示すフローチャートである。
図２（ｂ）は、図２（ａ）に示すフローチャートにおける処理の各々を行なう主体が、ユーザであるか商品販売支援システム１であるかを示す概念図である。
【００５１】
・処理Ｆ１
処理Ｆ１は、色変換情報の生成が行なわれる処理である。この処理Ｆ１は、ＥＣサイトに登録したユーザの環境情報を取得する処理と、取得した環境情報から色変換情報を求める処理とが行なわれる。
すなわち、処理Ｆ１は、商品販売支援サイトが、ＥＣサイトに登録したユーザに対してチャートの提供を行い、このチャートを撮像したチャート撮像画像と、撮影情報とを取得する。上記チャート（第１色見本）は、所定の異なる色特性の色の複数の色票が配列されて、所定の媒体に印刷された色見本である。これらの色の色特性情報は既知であり、商品販売支援システム１が有している。
【００５２】
ここで、撮影情報とは、撮像したカメラのカメラ特性を取得するためのカメラ機種（あるいはデバイス機種）などの情報、撮影した際のカメラの設定情報、撮影した撮影場所を示す位置情報（カメラに設けられた装置が取得したＧＰＳ情報、あるいはユーザ指定（住所、部屋名）など）、日時情報などである。この撮影情報は、ＥＣサイトに登録した時点に、ＥＣサイトを介して商品販売支援サイトが取得しておいても良い。
そして、チャートの分光反射率、または１つ以上の環境（光源や観察感度）を規定した測色値である色特性情報と、チャート撮像画像及びカメラ特性とにより、色特性情報を、上記チャートを撮像した撮像環境における測色値である色情報に変換する色変換情報を生成する。
【００５３】
また、ユーザが色変換情報を用いて商品表示画像を提供するサービスに登録しておらず、ＥＣサイトからユーザがすでに物品を購入している場合、チャートとして用いる色見本をこのユーザが購入した物品のいずれか、あるいは組合せ、または全てを用いても良く、この物品の撮像画像をチャート撮像画像として、撮影情報とともに商品販売支援システム１に送信する構成としてもよい。
【００５４】
・処理Ｆ２
商品販売支援システム１は、上記色変換情報により、ＥＣサイトが販売する商品の画像の色を、ユーザが商品を観察する環境の光源に対応した、すなわちユーザが自身の環境で商品を観察した際に視認する色に変換した商品画像データを生成する。
そして、商品販売支援システム１は、ユーザ端末３に対して上記商品表示画像を供給する。
ユーザは、ユーザ端末３の表示画面において商品表示画像を観察し、当該商品を気にいった場合に購入の処理を行なう。
【００５５】
・処理Ｆ３
商品販売支援システム１は、ユーザからの購入の処理に伴い、ＥＣサイトに対してユーザとこのユーザが購入した商品の販売情報を通知する。
これにより、ＥＣサイトの運営会社Ｂは、ユーザに対して、当該ユーザが購入した商品を出荷して、ユーザに配送する。
また、商品販売支援サイトの運営会社Ａは、上記商品が運営会社Ｂから出荷された際、商品を購入したユーザに対して追加チャートの情報（追加チャート情報）を提供する。
【００５６】
そして、ユーザは、商品及び追加チャート情報を受領し、追加チャート情報に従い、追加チャートを撮像（チャートを撮像した際と同様の環境における撮像）して、追加チャート撮像画像及び撮影情報を、ユーザ端末３により商品販売支援システム１に送信する。
商品販売支援システム１は、既に取得している色変換情報を更新する新たな追加チャートの撮像画像及び撮影情報を取得する。
【００５７】
・処理Ｆ４
商品販売支援システム１は、ユーザから供給された追加チャート撮像画像及び撮影情報の各々により、すでに取得しているこのユーザの色変換情報を変更する。
その後、処理Ｆ２から処理Ｆ４が繰り返される毎に、ユーザの色変換情報の変更が行なわれ、より実物の商品に近い色を視認できる商品表示画像が生成されるようになる。
【００５８】
また、更新においては、追加チャート撮像画像及び撮影情報をすべて加えても良いし、所定の基準に基づいて、チャート（第１色見本）や追加チャート（第２色見本）情報の一部の情報、またその組合せにより色変換情報を更新して変更する構成としてもよい。
また、追加チャート撮像画像及び追加チャート撮像画像を撮像した撮影情報に加えて、チャート撮像画像及びこのチャートを撮像した撮影情報の一部の情報を用いて、色変換情報を生成しても良い。
【００５９】
また、色変換情報の更新においては、撮影した撮像環境（ユーザがチャートを撮像する照明環境）がこれまでの環境と異なるか否かをユーザが通知を行なうなどして明示的に示したり、更新処理において所定の閾値を用いて環境の変化を検知したりすることにより、環境が異なったと推定される場合には、追加チャート撮像画像及び撮影情報のみにより新規に色変換情報を取得（変更）しても良い。
商品販売支援システム１は、例えば、ユーザの端末から送信される、このユーザに配送された商品を撮像した商品撮像画像、またはユーザに提供された追加チャート（第２色見本）を撮像した追加チャート撮像画像を受信する。そして、商品販売支援システム１は、受信した商品撮像画像または追加チャート撮像画像の色情報を、チャート（第１色見本）により生成した色変換情報により、標準の照明環境における色情報に変換する。そして、商品販売支援システム１は、上記色変換情報による変換結果の色特性情報が、配送した物品や提供した追加チャートの既知の色特性情報と異なる場合、ユーザの撮像環境が変化したことを検知する。また、上記閾値は、色変換情報による変換結果の色特性情報と、配送した物品や提供した追加チャートの既知の色特性情報との差分と比較する数値であり、異なる照明環境における差分を実験などにより測定して求められている。
【００６０】
図１に戻り、商品販売支援システム１は、商品販売支援サーバ１０、ユーザデータベース１１、商品色データベース１２、チャート情報データベース１３及び機器情報データベース１４を備えている。
商品販売支援システム１は、すでに述べた色変換情報により、ＥＣサイトが提供する商品の画像を、ユーザが自身の観察環境において当該商品の実物の色として視認できる商品表示画像に変換し、ユーザ端末３に対して提供する。
【００６１】
図３は、本実施形態による商品販売支援サーバ１０の構成例を示す図である。この図３において、商品販売支援サーバ１０は、データ入出力部１０１、チャート供給部１０２、撮像画像取得部１０３、機器情報取得部１０４、色変換情報演算部１０５、推定画像生成部１０６及び商品販売処理部１０７を備えている。
【００６２】
データ入出力部１０１は、外部装置あるいは外部システムとのデータの送受信をネットワーク５００を介して行なう。
チャート供給部１０２は、ユーザに対して提供するチャート（及び追加チャート情報）を決定し、このチャート自身、または製造情報（例えば、印刷情報）などを含むチャート情報を出力する。
撮像画像取得部１０３は、データ入出力部１０１により取得された撮像画像が、チャート撮像画像及び追加チャート撮像画像であるか否かの判定を行ない、判定結果とともにチャート撮像画像を色変換情報演算部１０５に対して出力する。
【００６３】
機器情報取得部１０４は、データ入出力部１０１により取得された撮影情報から、カメラ機種及びデバイス機種などのカメラ特性取得情報を抽出する。そして、機器情報取得部１０４は、抽出したカメラ特性取得情報を用いた検索により、このカメラ特性取得情報に対応するカメラ特性を機器情報データベース１４（後述）から取得し、色変換情報演算部１０５に対して出力する。
【００６４】
色変換情報演算部１０５は、チャートの分光反射率、または１つ以上の環境（光源や観察感度）を規定した測色値である色特性情報と、チャート撮像画像及びカメラ特性の各々から、物品の色特性情報を、ユーザの環境において取得される測色値に変換する色変換情報（例えば、光源の分光放射輝度や観察者の分光感度、または異なる環境間の測色値変換行列、処理手順、関数）を生成し、ユーザデータベース１１（後述）に書き込んで記憶させる。また、色変換情報演算部１０５は、所定のタイミングで供給される追加チャート撮像画像により、すでに生成されている色変換情報の再演算を行ない更新を行なう。
【００６５】
推定画像生成部１０６は、色変換情報により画素毎の色特性情報から色情報への変換を行なうことにより、商品画像を、ユーザの観察環境における商品表示画像を生成（商品表示画像に変換）する。
商品販売処理部１０７は、ユーザの商品の購入通知がユーザ端末３から供給された場合、ＥＣサイトに対してユーザ情報及び購入した商品の情報を通知する。
【００６６】
図１に戻り、ＥＣサイトサーバ２は、記憶部２＿１を備えている。この記憶部２＿１には、後述する商品色データベース１２における商品色データテーブルの商品画像と、サイト色変換情報を生成する際に用いるチャート撮像画像とが、商品識別情報に対応して記憶されている。
上記色変換情報演算部１０５は、ユーザ毎の色変換情報と同様にサイト色変換情報を生成し、この結果として商品色情報及び商品情報を取得する。
【００６７】
図４は、ユーザデータベース１１におけるユーザデータテーブルの構成例を示す図である。ユーザデータテーブルは、ＥＣサイト毎に設けられており、例えば、レコード毎に、ユーザ識別情報に対応して、ユーザ情報、色変換情報一覧インデックス、商品評価インデックス、プリンタ特性、ディスプレイ特性、カメラ特性の各々の欄が設けられている。ユーザ識別情報は、ユーザの各々を個々に識別する情報である。ユーザ情報は、ユーザ識別情報が示すユーザの情報であり、名前、性別、年齢、住所、電話番号、メールアドレス、趣味、好きな色などの情報である。色変換情報一覧インデックスは、ユーザ識別情報の示すユーザの観察環境における複数の異なる色変換情報と、プリセット色変換情報となどのユーザが利用可能な色変換情報の各々の一覧情報である色変換情報一覧テーブルが記憶された領域を示すアドレスなどのインデックスである。
【００６８】
商品評価インデックスは、ユーザ識別情報の示すユーザの購入した商品に対する、このユーザの評価を示す商品評価テーブルが記憶された領域を示すアドレスなどのインデックスである。プリンタ特性は、ユーザが商品画像を印刷するために用いるプリンタのＩＣＣ（International Color Consortium）プロファイル及びインクの分光情報（インク情報）などのプリンタ出力色情報と、商品画像を印刷する用紙の媒体情報となどを含む情報である。ディスプレイ特性は、例えば、ＩＣＣプロファイルや分光放射輝度あるいは三刺激値などの発光情報である。カメラ特性は、例えばカメラ（撮像装置）の分光感度情報である。このプリンタ特性、ディスプレイ特性及びカメラ特性の各々は、上述した機器情報取得部により、ユーザデータテーブルにおける対応する欄に書き込まれる（後述）。
【００６９】
図５は、ユーザデータベース１１における色変換情報一覧テーブルの構成例を示す図である。ユーザデータベース１１には、色変換情報一覧テーブルが書き込まれて記憶されている。この色変換情報一覧テーブルは、ユーザ毎に設けられており、レコード毎に、色変換情報識別情報に対応して、チャート撮像画像インデックス、追加チャート撮像画像インデックス、チャート識別情報、色変換情報及び仕様データの各々の欄が設けられている。
【００７０】
色変換情報識別情報は、色変換情報の各々を個々に識別する情報である。チャート撮像画像インデックスは、データベースにおけるチャート情報（第１色見本情報）によって決定されるチャートの撮像画像データが書き込まれて記憶されている領域を示すアドレスなどのインデックスである。ここで、チャート撮像画像のデータとして、このチャート撮像画像から抽出した画素の画素位置とこの画素位置の示す画素の画素値とのデータテーブルでも良い。
【００７１】
追加チャート撮像画像インデックスは、データベースにおける追加チャート情報（第２色見本情報）によって決定される追加チャートの撮像画像データが書き込まれて記憶されている領域を示すアドレスなどのインデックスである。ここで、追加チャート撮像画像のデータとして、この追加チャート撮像画像から抽出した画素の画素位置とこの画素位置の示す画素の画素値とのデータテーブルでも良い。
【００７２】
本実施形態においては、上記第１色見本情報及び第２色見本情報の各々は、色見本情報の一例である。色見本情報は、色見本を決定するための情報であり、色見本指定情報及び色見本具現化情報の各々のいずれかである。
色見本指定情報は、使用する色見本（第１色見本または第２色見本）として何を用いるか、例えば色見本としてチャート、追加チャート、配送する物品などの見本物体のいずれかあるいは組合せを指定する情報である。ユーザは、色見本指定情報が指定する見本物体を撮像して、色変換情報生成システムに対して送信する。
また、色見本具現化情報は、色見本をユーザ側で具現化するための情報（例えば、チャートをユーザの所有する印刷手段で印刷するためのチャート画像などの情報）である。
【００７３】
色変換情報は、ユーザがチャートあるいは追加チャートを撮像した環境における光源の分光放射輝度、あるいは三刺激値変換行列である。ここで、三刺激値変換行列は、規定観察環境（例えば、ＣＩＥ（国際照明委員会）_Ｄ５０と２度視野標準観測者の組み合わせ、あるいはＣＩＥ_Ｄ６５と１０度視野標準観測者の組み合わせ）の測色値から、ユーザが撮像した環境における光源の分光放射輝度と、撮像に用いたカメラのカメラ特性とによるデバイス値への変換（色変換）を行なう行列である。なお、この色変換は、ユーザが撮像した環境における光源の分光放射輝度と、撮像に用いたカメラのカメラ特性とによるデバイス値から、物品の分光反射率や環境が規定された測色値への逆変換も可能である。すなわち、色変換情報は、物品の分光反射率や、観察が規定された測色値である色特性情報と、ユーザの環境で観察される測色値との間の変換情報である。
【００７４】
チャート識別情報は、ユーザに提供したチャート及び追加チャートの識別情報である。
仕様データは、色変換情報の仕様を示す情報である。仕様データとしては、対応する色変換情報の適用時間範囲を示す、朝時間範囲、昼時間範囲、夜時間範囲などの種別がある。朝時間範囲は、例えば、日の出の時刻から昼の１２時の時間範囲を示している。昼時間範囲は、例えば、昼の１２時過ぎから日の入りの時刻までの時間範囲を示している。また、夜時間範囲は、日の入りの時刻から日の出の時刻までの時間範囲を示している。また、仕様データは、場所情報、もしくは場所情報を含んでいてもよく、オフィスやレストラン、劇場、自宅などにおける色変換情報を特定できる。プリセットされた色変換情報は、各ユーザに対して共通の色変換情報であり、太陽光や一般的なオフィスにおける光源の分光放射輝度、または環境が規定された色特性情報から、晴天の屋外やオフィスにおいて視認される測色値に変換する変換行列である。
また、追加チャートに関しては、第２追加チャート（第２色見本）以降の、第３追加チャート（第３色見本）から第ｎ追加チャート（第ｎ色見本）まで、第２追加チャートに関して行なう色変換情報取得に関する処理と同様な処理が行なわれる。
【００７５】
図６は、ユーザデータベース１１における商品評価テーブルの構成例を示す図である。
ユーザデータベース１１には、商品評価テーブルが書き込まれて記憶されている。この商品評価テーブルは、ユーザ毎に設けられており、レコード毎に、商品識別情報に対応して、この商品識別情報に対応する商品の評価（商品評価）の欄が設けられている。商品識別情報は、商品の各々を個々に識別する情報である。商品評価は、購入した商品（商品識別情報が示す商品）に対する評価（例えば、アンケートによる評価）が記載され、例えば「満足」、「普通」、「赤みが足りない」、後述のようなユーザによる色調整結果、「色が異なるため返品」などのユーザの届いた商品への対応などが示されている。
【００７６】
図７は、商品色データベース１２における商品色テーブルの構成例を示す図である。商品色データベース１２には、商品色テーブルが書き込まれて記憶されている。この商品色テーブルは、ＥＣサイト毎に設けられている。商品色テーブルは、レコード毎において、商品識別情報に対応して、商品画像インデックス、サイト色変換情報、商品色情報インデックス及び商品情報インデックスの欄を備えている。商品識別情報は、商品の各々を個々に識別する情報である。商品画像インデックスは、各ＥＣサイトの光源の環境において撮像した撮像画像データが記憶されている、商品色データベースにおける領域を示すアドレスなどのインデックスである。
【００７７】
サイト色変換情報は、ＥＣサイトの商品を撮像した環境の光源の分光放射輝度、あるいは撮像した環境における光源における測色値から、環境が規定された測色値に変換する三刺激値変換行列である。商品色情報インデックスは、商品の分光画像、各画素の分光反射率を示す商品反射率画像あるいは規定観察環境における商品画像データが記憶されている、商品色データベースにおける領域を示すアドレスなどのインデックスである。商品情報インデックスは、商品の分光反射率や素材の種類を示す情報が記憶されている、商品色データベースにおける領域を示すアドレスなどのインデックスである。ここで、素材は、例えば、服飾であれば服の生地の材料の種類であり、レーヨン、ナイロン、ポリエステル、アクリル、ポリウレタン、リネン、コットン、ウール、デニムなどである。これにより、素材の種類によって、チャートの素材や色特性情報の設計に用いたり、素材ごとに異なる色変換情報を用いて色変換を行なってもよい。
【００７８】
図８は、チャート情報データベース１３におけるチャート情報テーブルの構成例を示す図である。このチャート情報データベース１３には、チャート情報テーブルが書き込まれて記憶されている。チャート情報テーブルは、レコード毎において、チャート識別情報に対応して、チャート設計情報インデックスとの欄を備えている。チャート識別情報は、有彩色や無彩色の物体であるチャートの各々を個々に識別する情報である。チャート設計情報インデックスは、チャートの絵柄パターン（例えば、色票の配列パターン）、この絵柄パターンにおける絵柄（色票）の各々の色特性情報である。
【００７９】
図９は、機器情報データベース１４における機器情報テーブルの構成例を示す図である。  機器情報データベース１４には、機器情報テーブルが書き込まれて記憶されている。
機器情報テーブルは、レコード毎において、機器特定情報と、この機器特定情報の示す機器の特性情報との欄を備えている。
ここで、機器特定情報は、カメラ、プリンタ及び表示装置の機種情報、あるいはデバイス情報などである。デバイス情報は、例えば、カメラがデジタルカメラであれば、デジタルカメラあるいは使用されているＣＣＤ（Charged Coupled Device）素子の型番、プリンタがインクジェットプリンタであれば、プリンタあるいは使用されているインクジェットヘッドの型番、表示装置が液晶ディスプレイであれば、ディスプレイあるいは使用されている液晶パネルの型番である。
【００８０】
特性情報は、例えば、機器がカメラの場合には、カメラ特性として撮像における分光感度情報である。また、特性情報は、例えば、機器がプリンタの場合には、プリンタ特性としてＩＣＣプロファイルやインクの分光情報などのプリンタが出力する印刷色の情報、商品販売画像を印刷する用紙の媒体情報などである。特性情報は、例えば、機器が表示装置の場合には、ディスプレイ特性としてＩＣＣプロファイルや分光放射輝度あるいは三刺激値などの発光情報である。
【００８１】
以下、図面を参照して、処理Ｆ１、処理Ｆ２、処理Ｆ３及び処理Ｆ４の各々の処理の流れにおける商品販売支援システム１の動作を含む、本実施形態における商品販売支援方法を順次説明する。
＜処理Ｆ１の色変換情報生成の第１例＞
図１０は、商品販売支援システム１を用いた商品販売支援の色変換情報生成の処理の流れを示すシーケンス図である。図においては、ユーザデータベース１１，商品色データベース１２、チャート情報データベース１３及び機器情報データベース１４の各々を、各データベース（１１、１２、１３、１４）として記述して説明する。
【００８２】
ステップＦＦ１０１：
ユーザは、ユーザ端末３により、商品販売支援サイト（すなわち、商品販売支援サーバ１０）にアクセスし、例えば、ユーザ識別情報によりログインして、ユーザ環境情報及びユーザの属性情報であるユーザ属性情報の登録処理を依頼する。ここで、ユーザ属性情報は、ユーザの各々の性別、住所、電話番号、誕生日、結婚記念日、学校を卒業した日、資格を取得した日、職業、好きな色、好きな物品、好きな食べ物、趣味などに加えて、登録した日時も含まれている。
これにより、データ入出力部１０１は、アクセスした際のユーザ識別情報により、ユーザデータベース１１のユーザデータテーブルを検索して、いずれのＥＣサイトに登録しているユーザかの確認を行なう。
【００８３】
ステップＦＦ１０２：
そして、チャート供給部１０２は、ＥＣサイトの販売する商品群の商品画像に対応したチャートとして、例えばＥＣサイトに予め設定されているチャートを、チャート情報データベース１３のチャート情報テーブルから抽出する。
運営会社Ａは、チャート情報テーブルから抽出されたチャート識別情報のチャート（あるいはチャート情報）を、ユーザの住所に対して配送（あるいは郵送）する。
【００８４】
ステップＦＦ１０３：
ユーザは、自身が商品を観察するであろう観察環境、例えばユーザ端末３が備えられた部屋などの所定の位置において、運営会社から供給されたチャートの撮像を行なう。
【００８５】
ステップＦＦ１０４：
そして、ユーザは、チャートを撮像したチャート撮像画像と、撮像における撮影情報と、自身のユーザ識別情報とを、ユーザ端末３により商品販売支援サイトに対して送信する。
【００８６】
ステップＦＦ１０５：
データ入出力部１０１は、ユーザ端末３から供給されたチャート撮像画像を撮像画像取得部１０３に対して出力する。
また、データ入出力部１０１は、ユーザ端末３から供給された撮影情報を、機器情報取得部１０４及び色変換情報演算部１０５に対して出力する。
そして、撮像画像取得部１０３は、ユーザ識別情報に対応させて、チャート撮像画像のデータを、ユーザデータベース１１の色変換情報一覧テーブルに対して書き込んで記憶させる。
【００８７】
機器情報取得部１０４は、撮影情報に含まれる機器特定情報に対応するカメラ特性を、機器情報データベース１４の機器情報テーブルから検索して読み出す。
そして、機器情報取得部１０４は、読み出したカメラ特性を、上記色変換情報一覧テーブルのカメラ特性の欄に書き込んで記憶させる。
【００８８】
ステップＦＦ１０６：
色変換情報演算部１０５は、ユーザ識別情報に対応して、チャート撮像画像とチャート識別情報との各々を色変換情報一覧テーブルから読み出す。
そして、色変換情報演算部１０５は、読み出したチャート識別情報により、チャート情報データベース１３のチャート情報テーブルから、ユーザに送付したチャート設計情報インデックスを読み出す。色変換情報演算部１０５は、このチャート設計情報インデックスの示す記憶領域から、チャートの色特性情報を読み出す。
また、色変換情報演算部１０５は、ユーザ識別情報に対応して、色変換情報一覧テーブルからカメラ特性を読み出す。
【００８９】
ステップＦＦ１０７：
色変換情報演算部１０５は、上記チャート撮像画像と、カメラ特性と、チャートの色特性情報とにより、色変換情報を演算して求める。
この色変換情報は、色特性情報を、登録したユーザの観察環境において取得される測色値に変換する情報である。
【００９０】
ステップＦＦ１０８：
色変換情報演算部１０５は、求めた色変換情報を、ユーザ識別情報に対応させて、色変換情報一覧テーブルに書き込んで記憶させる。
この色変換情報を色変換一覧テーブルに書き込む際に、色変換情報演算部１０５は、チャート撮像画像を撮像した時刻を撮影情報に含まれる日時情報から抽出し、求めた色変換情報に対して対応する時間範囲（朝時間範囲、昼時間範囲、夜時間範囲）を仕様データの欄に書き込んで記憶させる。さらに、ＧＰＳ情報やユーザ指定情報等に基づく位置情報などの撮影情報に含まれる情報を記録させてもよい。
【００９１】
また、上記説明において、チャートを配送してユーザに提供する場合に説明しているが、ＥＣサイトの登録証（登録カード）の表あるいは裏に、色変換情報を求めるチャートと、このチャートに隣接してチャート識別情報及びユーザ識別情報とを予め印刷しておき、ユーザにチャートを撮像する際に、チャート識別情報及びユーザ識別情報をチャートと同時に撮像させるように構成しても良い。このチャート識別情報は、バーコード、２次元バーコード（図形情報）などを用いることができる。これにより、容易にチャートとユーザとを関連付けることができる。さらに、チャート識別情報自体が着色されており、このチャート識別情報を撮像することにより、ユーザ識別情報を用いてのユーザとの関連付けだけでなく、同時に色変換情報の取得に利用してもよい。
【００９２】
また、ＥＣサイトに登録した際（ユーザ登録の時点において）、商品販売支援システム１を運営する運営会社Ａが、ＥＣサイトの商品購入に対する説明などを配送する際、チャートを同封したり、説明を配送する封書や納品書、宛名、梱包材などに直接に上述したチャート識別情報及びユーザ識別情報（文字情報あるいは図形情報）を印刷しておいても良い。さらに、それらチャート識別情報及びユーザ識別情報（文字情報あるいは図形情報）が着色されており、撮像することで色変換情報の取得に利用してもよい。
【００９３】
また、本実施形態においては、チャート設計情報により予め設計されたチャートを、ユーザの観察環境における色変換情報の推定に用いている。しかしながら、このチャート以外に、チャート情報として、一般的に流通している商品のパッケージを撮像する指示を提供しても良い。ユーザはパッケージを撮像して、上述したステップＦＦ１０４の処理と同様に、ユーザ端末３から商品販売支援サイトに送信する。汎用的なパッケージであれば、印刷された所定の領域の色特性情報が容易に得られるため、色変換情報を演算することが可能である。
また、本実施形態においては、チャートがユーザの観察環境（物品を観察する時間範囲や、観察する場所の情報など）に基づいて、チャートを送付する登録を行なうユーザと異なる、観察環境が類似した他のユーザの色変換情報を用いて、当該ユーザに送付するチャートを作成しても良い。
【００９４】
また、第１例において、チャート情報（第１色見本情報）は、チャート（色票の組合せ）そのもの、すなわち、色見本として提供するチャートを用いることを指定する色見本指定情報となっている。
ここで、チャート情報としては、チャートそのものでなく、チャートをユーザが特定可能な情報として、例えば、チャートのメーカ名、商品名、製品番号、あるいはチャートを撮像した写真などを用いることもできる。
第１例においては、チャートを用いることにより、含まれる色特性（色票の色）の種類を多く設定することができ、含まれる色が豊富となり、登録時における色変換情報の生成や、色変換情報の更新時などのあらゆる場面に適応させることができる。
また、各ユーザに対応したチャートを作成することにより、ユーザそれぞれの照明環境を推定する精度を向上させることができる。
【００９５】
また、チャート情報（第１色見本情報）は、チャート（色票の組合せ）そのもの、ではなく、登録することで取得するサービスの利用証を色見本として指定する色見本指定情報としてもよい。
この場合、チャートとして用いる利用証は、会員証や診察券などである。
この場合、チャート情報は、色見本指定情報として見本として用いる利用証を特定することができる情報であり、例えば、利用証に対応するサービスの名称、このサービスを提供する事業体の名称、利用証の名称（○○カード、△△サービスカード）などや、利用証を撮像した画像データである。
利用証を色見本として用いる効果としては、当該サービスの利用開始時にユーザが取得するため、ユーザが新たに色見本を入手する手間を省くことができる。
また、利用証を色見本として用いる効果としては、所定のサービスを受けるために必要な物品であるため、ユーザが紛失する可能性が低い。
【００９６】
また、チャート情報（第１色見本情報）は、チャート（色票の組合せ）そのもの、ではなく、構造物を色見本であるチャートとして指定する色見本指定情報としてもよい。
この場合、チャートとして用いる構造物は、一般人が進入可能な場所に設置された工作物や建設物（全体あるいは特定の箇所）、また郵便ポスト、交通標識、チェーン店の外装、看板、店舗の内装などである。
この場合、チャート情報は、色見本指定情報として見本として用いる構造物を特定することができる情報であり、例えば、構造物の名称、構造物の住所あるいは位置、構造物の特定の箇所の場合、その箇所を示す情報、構造物を撮像した画像データである。
構造物を色見本として用いる効果としては、例えば店舗の看板、外装、内装等の場合、ユーザがその店舗に行くきっかけになり、店舗にとってメリットになる。
例えば、ユーザが服飾店舗内において直接に観察する商品と、ＥＣサイトの提供する表示画面における商品画像とを比較したり、商品の組合せをコーディネートすることができる。
また、ユーザが飲食店やカフェなどにおいて着用しようとする服の色を、その場で、ＥＣサイトの提供する表示画面における商品画像を視認して確認することができる。
また、旅行先において、所定の店舗の看板、外装、内装等をチャートとして、ＥＣサイトの提供する表示画面における商品画像を視認して確認することができる。
【００９７】
＜処理Ｆ１の色変換情報生成の第２例＞
図１１は、商品販売支援システム１を用いた商品販売支援のユーザ環境情報登録の処理の流れを示すシーケンス図である。図においては、ユーザデータベース１１，商品色データベース１２、チャート情報データベース１３及び機器情報データベース１４の各々を、各データベース（１１、１２、１３、１４）として記述して説明する。
【００９８】
ステップＦＦ１０１Ａ：
ユーザは、ユーザ端末３により、商品販売支援サイトにアクセスし、例えば、ユーザ識別情報によりログインして、ユーザ環境情報の登録処理を依頼する。この依頼の際、ユーザは、自身の所有するプリンタや店舗に設置されているプリンタなどの利用可能なプリンタを指定することで、ユーザ指定やプリンタ情報記録装置（不図示）の情報から得られる機器特定情報（プリンタ情報）も同一タイミングで登録する。
これにより、データ入出力部１０１は、アクセスした際のユーザ識別情報により、ユーザデータベース１１のユーザデータテーブルを検索して、いずれのＥＣサイトに登録しているユーザかの確認を行なう。
【００９９】
ステップＦＦ１０１Ｂ：
データ入出力部１０１は、ユーザから入力されたユーザ識別情報及びプリンタ情報の各々を、機器情報取得部１０４に対して出力する。
そして、機器情報取得部１０４は、プリンタ情報に基づき、機器情報データベース１４の機器情報テーブルから、特性情報（プリンタ特性）を読み出す。
機器情報取得部１０４は、読み出したプリンタ特性を、ユーザ識別情報に対応させて、ユーザデータテーブルのプリンタ特性の欄に書き込んで記憶させる。
【０１００】
ステップＦＦ１０２Ａ：
チャート供給部１０２は、ＥＣサイトの販売する商品群の商品画像に対応したチャートとして、例えばＥＣサイトに予め設定されているチャートを、チャート情報データベース１３のチャート情報テーブルから抽出する。
そして、チャート供給部１０２は、抽出したチャートのチャート設計情報インデックスの示す領域から、このチャートの色特性情報を読み出す。
また、チャート供給部１０２は、ユーザ識別情報に対応させて、ユーザが利用するプリンタのプリンタ特性を、ユーザデータテーブルから読み出す。
【０１０１】
ステップＦＦ１０２Ｂ：
チャート供給部１０２は、チャートの色特性情報及びプリンタ特性の各々と、規定観察環境における光源（ＣＩＥ_Ｄ５０やＣＩＥ_Ｄ６５など）の分光放射輝度とを用いて、チャートとしてユーザに提供するプリンタ用チャート画像を生成する。
【０１０２】
ステップＦＦ１０２Ｃ：
チャート供給部１０２は、生成したプリンタ用チャート画像のデータを、登録のためにアクセスしているユーザのユーザ端末３に送信する。
【０１０３】
ステップＦＦ１０３Ａ：
ユーザは、商品販売支援システム１からユーザ端末３に供給されたプリンタ用チャート画像を、プリンタ情報が登録済みのプリンタから、チャートとして印刷する。
ユーザは、自身が商品を観察するであろう観察環境、例えばユーザ端末３が備えられた部屋などの所定の位置において、プリンタから印刷したチャートの撮像を行なう。
ステップＦＦ１０４からステップＦＦ１０８は、ユーザ環境情報登録の第１例で説明した処理と同様のため、説明を省略する。
【０１０４】
また、第２例において、チャート情報（第１色見本情報）は、チャート（色票の組合せ）をユーザの所有するプリンタあるいは印刷機で印刷（具現化）するために必要な色見本具現化情報となっている。印刷に用いるプリンタとしては、２Ｄ（Dimension）プリンタ、２．５Ｄプリンタ、３Ｄプリンタなどのいずれでもよい。
ここで、チャート情報としては、例えば、チャートの画像データ、チャートの印刷に用いるパラメータ（ユーザの使用するプリンタの機種が特定されている場合）、プリンタの機種（ユーザの使用するプリンタの機種が不明の場合）などである。
第２例においては、以下に示す効果を得ることができる。
すなわち、第２例においては、チャートを直接に配送する必要がないため、チャートの配送によるコストを削減することができる。
また、第２例においては、登録時においてチャートを取得することが可能となり、配送されたチャートが届くまでの期間を削減して、色見本を入手することができる。
また、第２例においては、チャートを紛失した場合や、チャートが破損・汚染された場合にも、色見本具現化情報である色見本情報から容易に再取得することができる。
また、第２例においては、チャートを構成する色票の色特性のバリエーションが多く、ユーザの照明環境の多くの情報（光源の特性など）を取得することが期待できる（例えば、分光放射強度を取得するための波長分解能を向上させることができるなど）。
また、第２例においては、例えば、ユーザが撮像あるいは観察する照明環境の情報（光源が蛍光灯、白熱電球などのいずれの種類かを示す情報）を入力することにより、ユーザの照明環境に対応した、当該照明環境の情報を推定する精度を向上させるための色特性情報を有する色見本を容易に作成することができる。
【０１０５】
また、上述した構成は、ユーザが所有するプリンタや印刷機を想定していたが、特定の施設（例えば、コンビニエンスストアなどの色見本具現化情報に含まれる場所）に設置されたプリンタや印刷機を用いる構成としてもよい。
この構成の場合、色見本具現化情報としては、チャートを印刷するプリンタや印刷機の設置された特定の施設を特定する情報である特定情報（例えば、施設の住所、施設の名称、施設の建物における階数、部屋を特定する名称など）や、コンビニエンスストアのプリンタにおけるプリント番号などである。
【０１０６】
この特定の施設のプリンタや印刷機をチャートの印刷に用いる構成の場合、ユーザの所有するプリンタや印刷機の場合と同様の効果に加えて、以下の効果を得ることができる。
特定の施設のプリンタを利用した場合には、ユーザの所有するプリンタや印刷機の種類のように多様ではなく、機種が限定されているため、色見本具現化情報を作成する手間を低減することができる。
また、特定の施設のプリンタを利用した場合には、プリンタのメンテナンスが頻繁に行なわれるため、印刷されるチャートの色特性の精度を向上させることができる。
また、特定の施設のプリンタを利用した場合には、機種によって高機能なプリンタや印刷機であるため、印刷されるチャートの色特性の精度を向上させることができる。
【０１０７】
また、上述した構成は、ユーザが所有するプリンタや印刷機を想定していたが、色見本を表示デバイスに表示させる構成としてもよい。
例えば、表示画面に表示された画像の色特性が照明環境の影響を受ける構成の表示デバイス、例えば電子ペーパー、反射型液晶ディスプレイなどの表示画面に、所定のチャート（第１色見本）また、後述する色変換情報の更新に用いる追加チャート（第２色見本）の画像を表示する。
この構成の場合、色見本情報である色見本具現化情報としては、ユーザに提供する上記表示デバイスの表示画面に色見本を表示させることを促す情報と、この表示デバイスの表示画面に表示させる色見本の画像の情報である。
【０１０８】
電子ペーパーや反射型液晶ディスプレイの表示画面に色見本を表示させる場合には、チャートあるいは追加チャートを構成する色票の色特性のバリエーションが多く、ユーザの照明環境の多くの情報（光源の特性など）を取得することが期待できる（例えば、分光放射強度を取得するための波長分解能を向上させることができるなど）。
また、 電子ペーパーや反射型液晶ディスプレイの表示画面に色見本を表示させる場合には、当該表示デバイスの表示画面に表示させる色見本を、複数の相異なる色見本として第１色見本であるチャートや第２色見本である追加チャートなどとして任意に変更して使用することができ、色変換情報の生成や更新に対応して、第１色見本及び第２色見本を毎回生成してユーザに提供する場合に比較して、色見本を提供するためのコストを削減することができる。
【０１０９】
＜処理Ｆ２の商品画像の色変換と表示の例＞
図１２は、商品販売支援システム１を用いた商品販売支援の商品画像の色変換と表示の処理の流れを示すシーケンス図である。図においては、ユーザデータベース１１，商品色データベース１２、チャート情報データベース１３及び機器情報データベース１４の各々を、各データベース（１１、１２、１３、１４）として記述して説明する。
【０１１０】
ステップＦＦ２０１：
ユーザは、ユーザ端末３により、商品販売支援サイトにアクセスし、例えば、ユーザ識別情報によりログインして、自身の登録しているＥＣサイトの商品の商品画像の閲覧を依頼する。
これにより、データ入出力部１０１は、アクセスした際のユーザ識別情報により、ユーザデータベース１１のユーザデータテーブルを検索して、いずれのＥＣサイトに登録しているユーザかの確認を行なう。
【０１１１】
ステップＦＦ２０２：
推定画像生成部１０６は、商品表示画像を生成する際に用いる色変換情報を得るため、ユーザ識別情報によりユーザデータベース１１のユーザデータテーブルを検索し、アクセスしたユーザの色変換情報一覧テーブルを抽出する。
【０１１２】
ステップＦＦ２０３：
そして、推定画像生成部１０６は、色変換情報をユーザに選択させる表示として、色変換情報一覧テーブルの仕様データの一覧を、ユーザ端末３の表示画面に表示させる。
表示としては、「朝時間範囲」、「昼時間範囲」、「夜時間範囲」及び「プリセット色変換情報（一般的なオフィス、晴天の屋外など）」など、観察環境における観察の状態を示す文字列が用いられる。
【０１１３】
ステップＦＦ２０４：
ユーザは、ユーザ端末３の表示画面の仕様データの一覧から、自身が実物の商品を観察する環境に対応した状態を選択する。
このとき、例えば、商品の時間指定が午前１０時である場合、観察環境で観察する時間が朝時間範囲に含まれるため、ユーザはユーザ端末３の表示画面の仕様データの一覧から、朝時間範囲を選択する。また、常に帰宅が午後８時ぐらいであれば、観察環境で観察する時間が夜時間範囲に含まれるため、ユーザはユーザ端末３の表示画面の仕様データの一覧から、夜時間範囲を選択する。一方、配送先が観察環境ではなく、会社のオフィスである場合、ユーザはユーザ端末３の表示画面の仕様データの一覧から、プリセット色変換情報を選択する。
【０１１４】
ステップＦＦ２０５：
ユーザ端末３は、ユーザが選択した観察の状態、例えば、「朝時間範囲」、「昼時間範囲」、「夜時間範囲」、「オフィス」、「レストラン」、「プリセット色変換情報」の中の選択された文字列を情報として、商品販売支援システム１に対して送信する。
このとき、ユーザ端末３は、表示画面を表示するディスプレイを特定する機器特定情報（デバイス情報）を、上記文字列の情報とともに、商品販売支援システム１に対して送信する。
【０１１５】
ステップＦＦ２０６：
データ入出力部１０１は、ユーザ端末３から供給される機器特定情報を、機器情報取得部１０４に対して出力する。
機器情報取得部１０４は、機器特定情報であるデバイス情報に対応するディスプレイ特性を、機器情報データベース１４の機器情報テーブルから検索して読み出す。
また、機器情報取得部１０４は、読み出したディスプレイ特性を、上記色変換情報一覧テーブルのディスプレイ特性の欄に書き込んで記憶させる。
【０１１６】
ステップＦＦ２０７：
次に、推定画像生成部１０６は、上記色変換情報一覧テーブルから、色変換情報、及びディスプレイ特性を読み出す。
推定画像生成部１０６は、商品色データベース１２の商品色データテーブルから、ユーザの観察する商品各々の商品色特性情報を読み出す。
【０１１７】
ステップＦＦ２０８：
そして、推定画像生成部１０６は、商品色情報の規定観察環境における測色値を、色変換情報によりユーザの観察環境における測色値に変換し、かつディスプレイ特性に対応させて商品表示画像のデータを生成する。
【０１１８】
ステップＦＦ２０９：
推定画像生成部１０６は、生成した商品表示画像のデータを、データ入出力部１０１を介して、ユーザ端末３に対して送信する。
これにより、ユーザは、自身の観察環境で実物の商品を観察した場合と同様の色により、ユーザ端末３の表示画面で商品画像を視認することができる。
【０１１９】
＜処理Ｆ３の色変換情報更新のための情報追加の第１例＞
図１３は、商品販売支援システム１を用いた色変換情報更新のための情報追加の処理の流れを示すシーケンス図である。図においては、ユーザデータベース１１，商品色データベース１２、チャート情報データベース１３及び機器情報データベース１４の各々を、各データベース（１１、１２、１３、１４）として記述して説明する。
【０１２０】
ステップＦＦ３０１：
ユーザは、処理Ｆ２において自身のユーザ端末３の表示画面に表示された商品表示画像により、商品販売支援システム１に対して、この商品画像の商品の購入処理を行う。
これにより、商品販売支援システム１において、商品販売処理部１０７は、ユーザ端末３から供給される商品特定情報（商品識別情報など）を、ユーザ識別情報とともに、この商品を取り扱っているＥＣサイトに対して、商品購入情報として送信する。
【０１２１】
ステップＦＦ３０２：
このとき、ＥＣサイトの商品の発送に伴い、商品販売支援システム１における色変換情報演算部１０５は、追加チャート（第２色見本）、または追加チャート情報（第２色見本情報）、もしくはその両方を商品とともにユーザに配送することをＥＣサイトに対して指示する情報を、データ入出力部１０１を介して送信する。
そして、ＥＣサイトは、商品販売支援システム１から供給される商品購入情報に対応して、ユーザの指定した商品に対して上記追加チャート、または上記追加チャート情報、もしくはその両方を添付して、ユーザの登録した住所に対して配送する。
【０１２２】
ステップＦＦ３０３：
ユーザは、商品が配送されてきた際、追加チャート情報を参照して、この追加チャート情報の指示に対応して、観察環境において撮像装置により商品の撮像を行い、商品撮像画像を取得する。
【０１２３】
ステップＦＦ３０４：
そして、ユーザは、商品販売支援サイト（商品販売支援システム１）に対してアクセスし、配送された商品を撮像した商品撮像画像のデータと、撮像した際の撮影情報とを、商品販売支援サイトに対して送信する。
【０１２４】
ステップＦＦ３０５：
データ入出力部１０１は、商品撮像画像のデータ及び撮影情報とがユーザ端末３から供給された場合、商品撮像画像（追加チャート撮像画像の一例）を撮像画像取得部１０３に対して出力する。
また、データ入出力部１０１は、ユーザ端末３から供給された撮影情報を、機器情報取得部１０４及び色変換情報演算部１０５に対して出力する。
そして、撮像画像取得部１０３は、ユーザ識別情報に対応させて、商品撮像画像（追加チャート撮像画像の一例）のデータを、ユーザデータベース１１の色変換情報一覧テーブルに対して書き込んで記憶させる。
【０１２５】
機器情報取得部１０４は、撮影情報に含まれる機器特定情報に対応するカメラ特性を、機器情報データベース１４の機器情報テーブルから検索して読み出す。
そして、機器情報取得部１０４は、読み出したカメラ特性を、上記色変換情報一覧テーブルのカメラ特性の欄に書き込んで記憶させる。
【０１２６】
そして、本第１例の場合、処理Ｆ４において、色変換情報演算部１０５は、商品撮像画像（チャート撮像画像の一例）と、商品の色特性情報と、撮影情報とを用いて、色変換情報の再演算を行ない、新たに求められた色変換情報により、既存の色変換情報の更新を行なう。この演算は、すでに説明した処理Ｆ１における色変換情報の生成と同様に行なわれる。
【０１２７】
このとき、色変換情報における更新は、多項式による数値計算、多次元関数を用いたモデル関数の係数調整などのアルゴリズムの調整に基づく更新処理、あるいはＡＩ（例えば、機械学習）によるモデルの更新などの手法を用いても良い。
そして、色変換情報演算部１０５は、上述の手法により新たに求めた色変換情報を、ユーザデータベース１１における色変換情報一覧テーブルの既存の色変換情報に上書きして記憶させることで更新を行なう。
【０１２８】
本第１例の場合、ＥＣサイトから購入した商品を追加チャート（第２色見本）として用いる構成である。
本第１例の場合、第２色見本としての追加チャートは、例えば、バッグ、靴、帽子、服飾品、化粧品などである。
追加チャート情報（第２色見本情報）は、ユーザが購入した商品を特定可能な色見本指定情報であり、例えば、商品のメーカ名、商品名、製品番号（あるいは製造番号）、商品を撮像した画像データ、ユーザが購入した日時、商品を閲覧するためのＵＲＬを示す文字またはコード（例えば、２次元バーコードなど）である。
【０１２９】
購入した商品を色見本として用いる効果としては、 ユーザに配送される商品そのものを追加チャート（第２色見本）として用いることにより、ユーザが追加チャートとして用いる色見本を入手する手間を省くことができる。
また、購入した商品を色見本として用いる効果としては、 色変換情報をユーザの好みの色（購入した商品の色）に最適化するように更新することができるため、より色変換情報による、ユーザの照明環境における色特性の推定精度を向上させることができる。
また、購入した商品を色見本として用いる効果としては、 繊維品や革製品など、印刷物以外の素材を第２色見本とすることで、それらの物品の色再現精度を向上するように色変換情報を変更することができる。
【０１３０】
追加チャート（第２色見本）は、ＥＣサイトで購入した商品の付帯物であり、例えば商品の包装紙、商品が封入された箱、納品書、納品書が封入された封筒などを用いてもよい。
この場合、追加チャート情報は、色見本指定情報として見本として用いる上記付帯物をユーザが特定することができる情報であり、例えば、物品の商品名、製品番号や物品を撮像した画像データなどの商品のデータに加え、付帯物の名称、当該付帯物の色見本として用いる所定の箇所を示す情報である。
商品の付帯物を色見本として用いる効果としては、商品とともにユーザに配送される物品であるため、ユーザが新たに第２色見本として追加チャートを入手する手間を省くことができる。
また、追加チャート情報として、一つの物品を指定する色見本指定情報ではなく、複数の種類の物品、例えば配送された商品とこの商品の付帯物とを第２色見本とすることを指定する構成としてもよい。
【０１３１】
また、追加チャート情報（色見本指定情報としての第２色見本情報）が、汎用品（一般的に家庭に広く流通している民生品としての物品）を追加チャート（色見本、すなわち第２色見本）として用いることを示す構成としても良い。
追加チャート（第２色見本）は、民生品としての物品が一般に流通している工業製品であり、例えば文房具、プラスチックのおもちゃ、食器などを用いてもよい。
この場合、追加チャート情報は、色見本指定情報として見本として用いる上記工業製品を特定することができる情報であり、例えば、当該工業製品の商品名、製品番号や工業製品を撮像した画像データである。
工業製品を色見本として用いる効果としては、物品の色特性が製造工程により高い精度で管理されていることが多く、同一色として製造された物品間の色特性のズレが少なく、精度の高い色見本として用いることができる。
また、工業製品を色見本として用いる効果としては、一般的であるほど、ユーザが所有している可能性が高いため、ユーザ自身が色見本を入手する手間を省くことができる。
【０１３２】
追加チャート（第２色見本）は、民生品としての物品が一般に流通している、商品が封止あるいは封入されたパッケージであり、例えば洗剤、化粧品、医薬品などのパッケージを用いてもよい。
この場合、追加チャート情報は、色見本指定情報として見本として用いる上記パッケージを利用した物品を特定することができる情報であり、例えば、物品の商品名、製品番号や物品を撮像した画像データである。
パッケージを色見本として用いる効果としては、パッケージの配色における色特性が製造工程により高い精度で管理されていることが多く、色特性のずれが少なく、精度の高い色見本として用いることができる。
また、パッケージを色見本として用いる効果としては、比較的に配色に用いられる色特性の種類が多く、色変換情報を高い精度で生成する色見本として用いることができる。
また、パッケージを色見本として用いる効果としては、一般的であるほど、ユーザが所有している可能性が高く、所有しておらずとも容易に入手できる。
【０１３３】
また、色見本指定情報は、上述したような特定の物品（商品を含む）、工業製品、やパッケージなどではなく、当該物品、工業製品やパッケージのカテゴリに対応した情報としてもよい。例えば、指定されるカテゴリは、例えば菓子箱、ペットボトル、特定のＥＣサイトで購入した商品等である。
また、当該カテゴリの他の好適な例としては、赤色が配色された物品、青色が配色された物品、緑色が配色された物品に対応するカテゴリとしてもよい。
上述したカテゴリにより指定する構成とすることにより、本実施形態の色変換情報生成システムは、ユーザの撮像した色見本（第１色見本あるいは第２色見本）のチャート撮像画像におけるＲＧＢ値から、特定のカテゴリで示される物品の色が不足していると推定された場合に、この不足した色を補うために、対応する物品のカテゴリを色見本として指定する色見本指定情報として提供することができる。
上述した構成の場合、撮像に使用される色見本は特定されないが、チャート情報データベース１３を用いて色見本を認識することにより、撮像された色情報に対応した色特性情報を取得できる。
【０１３４】
＜処理Ｆ３の色変換情報更新のための情報追加の第２例＞
図１４は、商品販売支援システム１を用いた色変換情報更新のための情報追加の処理の流れを示すシーケンス図である。図においては、ユーザデータベース１１，商品色データベース１２、チャート情報データベース１３及び機器情報データベース１４の各々を、各データベース（１１、１２、１３、１４）として記述して説明する。ステップＦＦ３０１については、第１例と同様である。
【０１３５】
ステップＦＦ３０１Ａ：
このとき、ＥＣサイトの商品の発送に伴い、商品販売支援システム１における色変換情報演算部１０５は、追加チャート情報を商品とともにユーザに配送することをＥＣサイトに対して指示する情報を、データ入出力部１０１を介して送信する。この追加チャート情報は、本第２例の場合、新たな追加チャートを撮像した追加チャート撮像画像を撮影情報とともに送信することを示している。
【０１３６】
ここで、チャート供給部１０２は、商品を購入したユーザの色変換情報を、ユーザデータベース１１における色変換情報一覧テーブルから読み出す。
また、チャート供給部１０２は、ユーザが購入した商品の商品情報を、商品色データベース１２の商品色データテーブルから読み出す。
チャート供給部１０２は、ユーザに送付したチャートのチャート設計情報をチャート情報データベース１３から読み出す。
【０１３７】
ステップＦＦ３０１Ｂ：
そして、チャート供給部１０２は、色変換情報におけるユーザの撮像環境における光源メタリズム、あるいは観察者メタリズム、ユーザが購入した商品の商品情報、すでに送付してあるチャートのチャート設計情報などの組合せに対応する色を所定のアルゴリズムにより抽出し、抽出した色の色票により構成される追加チャートのチャート設計情報を生成する。ここで、既存の色変換情報から推定される観察環境における光源の種類（白色光源、蛍光灯、ＬＥＤ（Light Emitting Diode）などの種類も反映させて追加チャートを作成しても良い。
【０１３８】
上記アルゴリズムは、一例として、ユーザの端末から受信することでチャート撮像画像を取得し、このチャート撮像画像の色分布から、チャート画像から生成した色変換情報の精度を向上させるために必要な色を抽出する。そして、この抽出した色の色特性情報により、追加チャートに加える色を求めて、追加チャートの設計を行なってもよい。
また、商品とともに配送される追加チャート情報は、提供した追加チャートともにユーザが購入した商品を撮像した商品撮像画像を商品販売支援システム１に送信する情報が示す構成としてもよい。
商品販売支援システム１は、ユーザの端末から受信することで取得した商品撮像画像及び追加チャート撮像画像の色分布から、チャート画像から生成した色変換情報の精度を向上させるために必要な（色変換情報を生成するために不足している情報としての）色を抽出する。そして、この抽出した色の色特性情報により、追加チャートに加える色を求めて、追加チャートの設計を行なってもよい。
そして、運営会社Ａは、上記追加チャートのチャート設計情報に対応して、追加チャートを製造（例えば、紙媒体などに印刷）する。
【０１３９】
ステップＦＦ３０１Ｃ：
そして、チャート供給部１０２は、生成した追加チャートのチャート設計情報を、チャート識別情報を付与して、チャート情報データベース１３のチャート情報テーブルに書き込んで記憶させる。
【０１４０】
ステップＦＦ３０２Ａ：
そして、運営会社Ａは、製造した追加チャートを、ＥＣサイトが発送する商品に同梱するか、あるいは直接にユーザに対して配送する。
また、ＥＣサイトは、商品販売支援システム１から供給される商品購入情報に対応して、ユーザの指定した商品に対して上記追加チャート情報を添付して、ユーザの登録した住所に対して配送する。
【０１４１】
ステップＦＦ３０３Ａ：
ユーザは、商品とともに追加チャートが配送されてきた際、商品に添付されている追加チャート情報を参照して、この追加チャート情報の指示に対応して、観察環境において撮像装置により追加チャートの撮像を行い、追加チャート撮像画像を取得する。
【０１４２】
ステップＦＦ３０４Ａ：
そして、ユーザは、商品販売サイト（商品販売支援システム１）に対してアクセスし、配送された追加チャートを撮像した追加チャート撮像画像のデータと、撮像した際の撮影情報とを、商品販売サイトに対して送信する。
【０１４３】
ステップＦＦ３０５Ａ：
データ入出力部１０１は、追加チャート撮像画像のデータ及び撮影情報とがユーザ端末３から供給された場合、追加チャート撮像画像のデータを撮像画像取得部１０３に対して出力する。
また、データ入出力部１０１は、ユーザ端末３から供給された撮影情報を、機器情報取得部１０４及び色変換情報演算部１０５に対して出力する。
そして、撮像画像取得部１０３は、ユーザ識別情報に対応させて、追加チャート撮像画像のデータを、ユーザデータベース１１の色変換情報一覧テーブルに対して書き込んで記憶させる。
【０１４４】
機器情報取得部１０４は、撮影情報に含まれる機器特定情報に対応するカメラ特性を、機器情報データベース１４の機器情報テーブルから検索して読み出す。
そして、機器情報取得部１０４は、読み出したカメラ特性を、上記色変換情報一覧テーブルのカメラ特性の欄に書き込んで記憶させる。
【０１４５】
そして、本第２例の場合、処理Ｆ４において、色変換情報演算部１０５は、チャート撮像画像及び追加チャート撮像画像と、チャートの色特性情報及び追加チャートの色特性情報と、撮影情報とを用いて、色変換情報の再演算を行ない、新たに求められた色変換情報により、既存の色変換情報の更新を行なう。この演算は、すでに説明した処理Ｆ１における色変換情報の生成と同様に行なわれる。また、色変換情報の更新の手法においては、本処理Ｆ３の第１例で説明した手法と同様である。
【０１４６】
また、上記本第２例においては、追加チャートを運営会社Ａにおいて製造して、完成した追加チャートをユーザに配送する構成において説明した。しかしながら、処理Ｆ１のユーザ環境情報登録の第２例の図１１におけるステップＦＦ１０２Ｂ及びステップＦＦ１０２Ｃに記載されている場合と同様に、追加チャートのプリンタ用画像を生成して、ユーザ端末３に送信する構成としても良い。この場合、ユーザが利用できるプリンタにより、追加チャートを出力し、この出力した追加チャートを撮像した追加チャート撮像画像と撮影情報とを、商品販売支援システム１に対して送信する。
なお、上記本第１例と上記本第２例を組み合わせ、商品と追加チャートとを同時に撮像し、商品と追加チャートとが一緒に撮像された撮像画像を商品販売支援システム１に対して送信する構成としてもよい。
【０１４７】
＜処理Ｆ３の色変換情報更新のための情報追加の第３例＞
図１５は、商品販売支援システム１を用いた色変換情報更新のための情報追加の処理の流れを示すシーケンス図である。図においては、ユーザデータベース１１，商品色データベース１２、チャート情報データベース１３及び機器情報データベース１４の各々を、各データベース（１１、１２、１３、１４）として記述して説明する。ステップＦＦ３０１については、第１例と同様である。
【０１４８】
ステップＦＦ３０２Ｂ：
ＥＣサイトは、商品販売支援システム１から供給される商品購入情報に対応して、ユーザの指定した商品に対して、運営会社Ａから通知された追加チャート情報を添付して、ユーザの登録した住所に対して配送する。この追加チャート情報は、本第３例の場合、ユーザ端末３に対して送信した商品画像（ユーザが購入した商品の商品画像）の色と、観察環境において実際の商品を観察される商品の色とを比較し、商品画像の調整データやコメントなどの評価を送信することを示している。
【０１４９】
ステップＦＦ３０２Ｃ：
すでに説明した処理Ｆ２におけるステップＦＦ２０５、ステップＦＦ２０６、ステップＦＦ２０７及びステップＦＦ２０８と同様に、推定画像生成部１０６は、ユーザ端末３の表示画面に表示させる商品表示画像を生成する。
【０１５０】
ステップＦＦ３０２Ｄ：
推定画像生成部１０６は、生成した商品表示画像のデータを、データ入出力部１０１を介して、ユーザ端末３に対して送信する。
これにより、ユーザは、商品を購入する際に観察した商品画像、すなわち自身の観察環境で実物の商品を観察した場合と同様の色として推定された商品画像を、ユーザ端末３の表示画面で視認する。
【０１５１】
ステップＦＦ３０３Ｂ：
ユーザは、配送された商品と、ユーザ端末３の表示画面に表示された商品画像との各々を観察してそれぞれの視認される色を比較する。
そして、ユーザ端末３の表示画面に表示されている色成分ＲＧＢ（red：赤、green：緑、blue：青）調整用バーを順次調整することにより、実際に見ている商品の色に、表示画面の商品画像の色を合わせる、色の差の評価を行なう。
【０１５２】
ステップＦＦ３０４Ｂ：
ユーザは、表示画面の商品画像と、実際に観察している商品の色とが同様となったと認識した際、色成分ＲＧＢ調整用バーなどの調整量を入力する表示による表示画像の色の調整を終了させる。
これにより、ユーザ端末３は、ユーザが色を調整した商品画像のデータを評価情報として、商品販売支援システム１に対して送信する。
または、「赤みが足りない」などの情報を評価情報として、商品販売支援システム１に対して送信してもよい。
【０１５３】
ステップＦＦ３０５Ｂ：
データ入出力部１０１は、商品表示画像と実際の商品との比較結果である評価情報がユーザ端末３から供給された場合、評価情報の商品表示画像を撮像画像取得部１０３に対して出力する。
そして、撮像画像取得部１０３は、ユーザ識別情報に対応させて、追加チャート情報として商品表示画像のデータを、ユーザデータベース１１の色変換情報一覧テーブルに対して書き込んで記憶させる。
【０１５４】
そして、本第３例の場合、処理Ｆ４において、色変換情報演算部１０５は、すでに取得しているチャート撮像画像、このチャート撮像画像を撮像した際の撮影情報、評価情報としての商品表示画像またはコメントなどの評価と、商品表示画像の商品の商品情報と、ユーザ端末３のディスプレイ特性とに基づき、色変換情報の再演算を行ない、新たに求められた色変換情報により、既存の色変換情報の更新を行なう。この演算は、すでに説明した処理Ｆ１における色変換情報の生成と同様に行なわれる。また、色変換情報の更新の手法においては、本処理Ｆ３の第１例で説明した手法と同様である。
また、本第３例の場合、評価情報として商品表示画像を用いて説明したが、チャート（色見本）の表示画像を生成してユーザに提供し、ユーザがチャートの表示画像と実物のチャートとを比較して、色を調整したチャートの表示画像を評価情報として、商品販売支援システム１に対して送信しても良い。
【０１５５】
また、上述した第１例から第３例においては、追加チャートを送信するタイミングを、ユーザが商品を購入した場合として説明した。
しかしながら、ユーザが商品を返品する際に、追加チャート情報をユーザに対して供給し、追加チャート撮像画像（商品撮像画像、評価情報を含む）を取得して、色変換情報の更新を行なう構成としても良い。
【０１５６】
＜処理Ｆ３の色変換情報更新のための情報追加の第４例＞
図１６は、商品販売支援システム１を用いた色変換情報更新のための情報追加の処理の流れを示すシーケンス図である。図においては、ユーザデータベース１１，商品色データベース１２、チャート情報データベース１３及び機器情報データベース１４の各々を、各データベース（１１、１２、１３、１４）として記述して説明する。本第４例としては、第１例から第３例のように商品を購入した時点に追加チャート情報をユーザに供給するのではなく、所定の時点に追加チャートをユーザに供給する構成である。
【０１５７】
ステップＦＦ３０１Ｄ：
チャート供給部１０２は、ユーザデータベース１１におけるユーザデータテーブルを所定の周期（例えば、毎日）で、その日の日付に基づいて参照する。
【０１５８】
ステップＦＦ３０１Ｅ：
チャート供給部１０２は、ユーザのアニバーサリー（ユーザ属性情報における誕生日、結婚記念日、入学、卒業、就職など）、所定の定期更新（例えば、３ヶ月毎）、継続使用によるランクアップ（例えば、登録開始から経過した年数（経過年数）により、ユーザとして受けるサービスがランクアップする時点）などの様々なタイミングであるか否かの検出を行なう。ここで、アニバーサリー、定期更新、ランクアップ及び経過年数のいずれか、複数の組合せ、全てなど、タイミングの設定は、ユーザ毎に任意に行なう。
そして、チャート供給部１０２は、上記タイミングであることを検出した場合、以降のステップを処理し、一方、上記タイミングでないことを検出した場合、図１６のフローを終了して、次の処理の周期に、再度、ステップＦＦ３０１Ｄから処理を実行する。
【０１５９】
ステップＦＦ３０２Ｅ：
チャート供給部１０２は、商品を購入したユーザの色変換情報を、ユーザデータベース１１における色変換情報一覧テーブルから読み出す。
また、チャート供給部１０２は、ユーザがそのタイミングまでに購入した商品の商品情報の各々を（単数であれば一つの商品情報を）、商品色データベース１２の商品色データテーブルから読み出す。
チャート供給部１０２は、登録の時点でユーザに送付したチャートのチャート設計情報をチャート情報データベース１３から読み出す。
【０１６０】
ステップＦＦ３０２Ｆ：
チャート供給部１０２は、色変換情報におけるユーザの環境における光源メタリズム、あるいは観察者メタリズム、ユーザが上記タイミングまでに、商品販売支援サイトにて閲覧した画像の被写体としての商品の色特性情報、画像購入した商品の色特性情報、すでに送付してあるチャートのチャート設計情報などのいずれか一つ、または組合せに対応する色を所定のアルゴリズムにより抽出し、抽出した色の色票により構成される設計チャートを追加チャートとして生成（設計）する。
そして、運営会社Ａは、上記追加チャートのチャート設計情報に対応して、追加チャートを製造（例えば、紙媒体などに印刷）する。
なお、運営会社Ａが提供するチャートは、印刷物に限らず、色特性情報がわかる物品であれば、いずれを用いてもよい。
【０１６１】
ステップＦＦ３０２Ｇ：
そして、チャート供給部１０２は、生成した追加チャートのチャート設計情報を、チャート識別情報を付与して、チャート情報データベース１３のチャート情報テーブルに書き込んで記憶させる。
【０１６２】
ステップＦＦ３０２Ｈ：
運営会社Ａは、上記追加チャートのチャート設計情報に対応して、追加チャートを製造（例えば、紙媒体などに印刷）して、製造した追加チャートをユーザに対して配送する。
また、チャート供給部１０２は、上記タイミングにおいて、ユーザのユーザ端末３に対して上記追加チャートに対する追加チャート情報を、メールに添付して送信する。このメールは、例えば、タイミングがアニバーサリーである場合、対応するお祝いのメッセージに対して、追加チャート情報を付加する。
【０１６３】
ステップＦＦ３０３Ｃ：
ユーザは、追加チャート情報と追加チャートとが配送されてきた際、当該追加チャート情報を参照して、この追加チャート情報の指示に対応して、観察環境において撮像装置により追加チャートの撮像を行い、追加チャート撮像画像を取得する。
【０１６４】
ステップＦＦ３０４Ｂ：
そして、ユーザは、商品販売支援サイト（商品販売支援システム１）に対してアクセスし、配送された追加チャートを撮像した追加チャート撮像画像のデータと、撮像した際の撮影情報とを、商品販売支援サイトに対して送信する。
【０１６５】
ステップＦＦ３０５Ｂ：
データ入出力部１０１は、追加チャート撮像画像のデータ及び撮影情報とがユーザ端末３から供給された場合、追加チャート撮像画像のデータを撮像画像取得部１０３に対して出力する。
また、データ入出力部１０１は、ユーザ端末３から供給された撮影情報を、機器情報取得部１０４及び色変換情報演算部１０５に対して出力する。
そして、撮像画像取得部１０３は、ユーザ識別情報に対応させて、追加チャート撮像画像のデータを、ユーザデータベース１１の色変換情報一覧テーブルに対して書き込んで記憶させる。
【０１６６】
機器情報取得部１０４は、撮影情報に含まれる機器特定情報に対応するカメラ特性を、機器情報データベース１４の機器情報テーブルから検索して読み出す。
そして、機器情報取得部１０４は、読み出したカメラ特性を、上記色変換情報一覧テーブルのカメラ特性の欄に書き込んで記憶させる。
【０１６７】
本第４例の場合、処理Ｆ４において、色変換情報演算部１０５は、チャート撮像画像及び追加チャート撮像画像と、チャートの色特性情報及び追加チャートの色特性情報と、撮影情報とを用いて、色変換情報の再演算を行ない、新たに求められた色変換情報により、既存の色変換情報の更新を行なう。この演算は、すでに説明した処理Ｆ１における色変換情報の生成と同様に行なわれる。また、色変換情報の更新の手法においては、本処理Ｆ３の第１例で説明した手法と同様である。
【０１６８】
また、上記本第４例においては、追加チャートを運営会社Ａにおいて製造して、完成した追加チャートをユーザに配送する構成において説明した。しかしながら、処理Ｆ１のユーザ環境情報登録の第２例の図１１におけるステップＦＦ１０２Ｂ及びステップＦＦ１０２Ｃに記載されている場合と同様に、追加チャートのプリンタ用画像を生成して、ユーザ端末３に送信する構成としても良い。この場合、ユーザが利用するプリンタにより、追加チャートを出力して、出力したチャートを撮像した追加チャート撮像画像と撮影情報とを、商品販売支援システム１に対して送信する。
【０１６９】
また、上記本第４例においては、追加チャートをユーザの観察環境や購入した商品に合わせて、色変換情報を更新する構成として記載されている。
しかしながら、予め汎用的に作成された追加チャートを送付する構成としても良い。例えば、色変換情報から推定されるユーザの各々の観察環境における光源の種類（白色光源、蛍光灯、ＬＥＤ（Light Emitting Diode）光源などの種類）に対応させて、所定の汎用的な追加チャートを作成しておき、ユーザの色変換情報から推定される光源の種類に対応して供給するように構成しても良い。
【０１７０】
また、追加チャート情報の送信手段としてメールを例示したが、ユーザ端末３内のアプリケーションへの情報送信に基づいて、このアプリケーションが受信した追加チャートの情報をユーザに提示する構成としてもよい。
また、チャートの発行方法としては、上述したメールではなく、例えば、ユーザにアニバーサリーなどに配送するダイレクトメールに対してバーコード（通常のバーコードあるいは２次元バーコード）を添付して、ユーザ自身の選択により追加チャートを配送依頼する形式としてもよい。
また、チャートの発行方法としては、メールに追加チャートの発送を依頼する先のＵＲＬ（Uniform Resource Locator）を付加して、ユーザ自身の選択により追加チャートを配送依頼する形式としてもよい。
さらに、会員証や納品書に追加チャートを依頼するＵＲＬの情報を含むバーコードを印刷しておくようにしても良い。さらに、会員証や納品書などが着色されており、その撮像画像と色特性情報とを用いて色変換情報を更新してもよい。
【０１７１】
本実施形態によれば、追加チャート（供給する毎に異なる追加チャート）による色変換情報の更新を行なう毎に、色変換情報がそのユーザの観察環境及び好みの色に対応していき、ユーザがユーザ端末３で観察する商品画像の色と、ユーザが自身の観察環境で観察する商品の実物の色とがより、近い色として視認されるようになり、商品の色が表示画面で観察した際と異なるなどの理由による返品が減少し、ユーザ及びＥＣサイトの各々の返品に関する処理を減少させることができる。
すなわち、本実施形態によれば、追加チャートを撮像してユーザ端末３から商品販売支援システム１に追加チャート撮像画像のデータを送信することのみで、実物の商品の色が商品表示画像として再現することができ、実物を見ることなく簡易に所望の色の商品を選択して購入することが可能となる。
【０１７２】
また、本実施形態によれば、ユーザが追加チャートによる色変換情報の更新を行なうことにより、色変換情報がそのユーザの観察環境及び好みの色に対応していき、ユーザがユーザ端末３で観察する商品画像の色と、ユーザが自身の観察環境で観察する商品の実物の色とがより、近い色として視認されるようになるため、ユーザの色の差をなくそうというインセンティブが引き出され、追加チャートの撮像処理などを行なうように誘導することができる。
【０１７３】
また、本実施形態によれば、追加チャートによる色変換情報の更新毎に、更新回数に対応したポイント付与、あるいは商品の金額の割引率の増加処理などの金銭的なフィードバックをユーザに与えることにより、ＥＣサイトから商品をより安く購入できるとしてインセンティブが引き出され、追加チャートの撮像処理などを行なうように誘導することができる。
【０１７４】
また、本実施形態によれば、ＥＣサイトに商品販売支援システム１を備えても良く、この場合にＥＣサイトが継続的な使用によるユーザ毎の色変換情報の更新により、商品表示画像の色の再現性が向上し、追加チャートの送付や、ユーザが追加チャート撮像画像の送付などにより、ＥＣサイトとユーザとの接する機会が増加するため、ＥＣサイトの利用率が上昇することで、ユーザが商品を購買する確率が増加する。
また、本実施形態においては、ユーザデータベース１１、商品色データベース１２、チャート情報データベース１３及び機器情報データベース１４の各々が、商品販売支援システム１の内部に備えられるように記載したが、それぞれが商品販売支援システム１以外のネットワーク５００の別のサイトに接続された構成としても良い。
また、本実施形態のような商品販売に限らず、ユーザが医師や患者、ＥＣサイトサーバ（物品閲覧サイトに備えられるサーバ）が病院等の医療機関、商品販売支援サーバが医療画像等の閲覧サーバでもよく、対象は商品に限らず、自然物や人工物を含む物品の閲覧を目的としてもよい。
【０１７５】
＜第２の実施形態＞
以下、本発明の第２の実施形態について、図面を参照して説明する。本実施形態において、色見本（第１色見本であるチャート、第２色見本である追加チャート）と、色見本情報（第１色見本情報であるチャート情報、第２色見本情報である追加チャート情報）の定義については、第１の実施形態と同様である。
図１７は、本発明の第２の実施形態による色見本発行システム（色変換情報生成システム、以下、単に色見本発行システムと示す）を用いたカラーマネージメントシステムの構成例を示すブロック図である。図１７において、カラーマネージメントシステムは、色見本発行システム（色変換情報生成システム）１Ａ、ＥＣサイトサーバ２及び顧客端末（ユーザ端末）３の各々がインターネットを含むネットワーク５００により相互に接続されて構成されている。記憶部２＿１には、ＥＣサイトサーバ２を備えるＥＣサイトが販売する商品の商品画像（後述）が記憶されている。
【０１７６】
色見本発行システム１Ａは、例えば、カラーマネージメント管理センターに設置されている。カラーマネージメント管理センターは、ユーザの照明環境で視認される物品の色情報から取得した当該物品の色特性情報と、照明環境における物品の色情報及び色特性情報の各々を相互に変換する色変換情報とを管理する。ここで、色特性情報は、例えば、物品の分光反射率、または１つ以上の環境（光源や観察感度）を規定した測色値である。色変換情報は、例えば、光源である照明の分光放射輝度や観察者の分光感度、または異なる環境間の測色値変換行列、処理手順、関数である。
【０１７７】
本実施形態において、ユーザは、例えばＥＣサイト及びＥＣサイトの顧客の各々である。
このため、カラーマネージメント管理センターは、例えば、商品販売支援サイトの運営会社Ａに設けられており、各ＥＣサイトが販売する商品（物品の一例であり、例えば、本実施形態においては服飾品）の商品画像を、顧客端末３の各々の表示画面に対し、顧客が商品を観察する観察環境（照明環境であり、例えば、ユーザの観察する場所の光源下）で観察した際、実物の商品の色と同様に視認できる表示色により表示させ、正確に商品の形態を顧客に提供することで商品の販売支援を行なう。
【０１７８】
本実施形態における商品（物体）は、販売される品物であり、服飾品、装飾品、家具、骨董品、絵画などである。特に、服飾品は、ユーザの色の好みや他との色の組合せなどが重要なユーザの選択条件となる。このため、顧客端末３の表示画面において視認される表示色と、ユーザの観察環境の特性（上記照明環境の照明である光源の特性、例えば分光放射輝度特性）において視認される実物の色とが異なる場合、顧客が自身の色の好みに合わず、商品の返品の大きな原因となるため、顧客端末３の表示画面に表示される商品の画像（後述する商品表示画像）の表示色の調整は重要である。
【０１７９】
図１８は、本実施形態による色見本発行システム１Ａの行なう、顧客への色見本の発行における処理の概要について説明する概念図である。
図１８（ａ）は、色見本発行システム１Ａの行なう、顧客への色見本の発行における処理の流れを示すフローチャートである。
図１８（ｂ）は、図１８（ａ）に示すフローチャートにおける処理の各々を行なう主体が、顧客であるか色見本発行システム１Ａであるかを示す概念図である。ここで、顧客は、自身の照明環境において、ＥＣサイトから購入した商品を視認するため、照明環境が商品の実物の観察環境となる。
【０１８０】
・処理Ｆ１１
処理Ｆ１１は、顧客の観察環境における色変換情報の生成が行なわれる処理である。この処理Ｆ１１は、ＥＣサイトに登録した顧客の観察環境における照明環境情報を取得する処理と、取得した照明環境情報から色変換情報を求める処理とが行なわれる。
すなわち、処理Ｆ１１は、カラーマネージメント管理センターが、ＥＣサイトに登録した顧客に対して色見本としてチャート（第１色見本）の提供を行い、このチャートを撮像したチャート撮像画像と、撮影情報とを取得する。上記チャートは、所定の異なる色の複数の色票（カラーパッチ）が配列されて、所定の媒体に印刷された色見本である。これらの色の色特性情報は既知であり、色見本発行システム１Ａが有している。
このチャートは、ユーザである顧客が使用可能な光源のいずれにも汎用的に用いられる色票の組合せである。また、チャートは、例えば、顧客が使用可能な光源の種類（例えば、蛍光灯、白熱灯、ＬＥＤ（light emitting diode）照明、太陽が照射する自然光など）を分類可能な分光放射輝度特性が取得できる色票の組合せとしてもよい。また、チャートは、例えば、予めユーザの属性情報（ユーザ属性情報）により分類された複数のグループ毎に、そのグループに対応して推定されるユーザ特性に対応して、予め生成されて設定されていてもよい。
【０１８１】
ここで、本実施形態におけるユーザ属性情報とは、顧客属性情報及びＥＣサイト属性情報との各々がある。
顧客属性情報は、第１の実施形態における登録を行なうユーザの属性情報に対応しており、少なくとも、観察環境の場所の種別を示す属性情報（空間の広さ、窓の有無、部屋の壁、天井及び床などの色）や、性別、年齢、住所、職業、在宅時間帯、誕生日、結婚記念日、登録した日時などのユーザ自身の属性情報のいずれかまたは組合せあるいは全てを含む。また、ＥＣサイト属性情報は、少なくとも、ＥＣサイト名、撮像環境の場所の種別（空間の広さ、窓の有無、部屋の壁、天井及び床などの色）、販売する商品種別、販売する商品のメインカラー、販売する商品のメイン素材、販売する商品の販売対象の商品対象年齢、電話番号、メールアドレス、その照明環境における撮像時間帯などのいずれかまたは組合せあるいは全てを含む。
上記観察環境・撮像環境の場所の種別、在宅時間帯及び撮像時間帯の各々などは、照明環境における照明の特性（光源の状態を示す特性）を示す情報（環境属性）となる。
【０１８２】
撮影情報とは、撮像したカメラのカメラ特性を取得するためのカメラ機種（あるいはデバイス機種）などの情報、撮影した際のカメラの設定情報、撮影した撮影場所を示す位置情報（カメラに設けられた装置が取得したＧＰＳ（global positioning system）情報、あるいは顧客指定（住所、部屋名）など）、日時情報などである。この撮影情報は、ＥＣサイトに登録した時点に、ＥＣサイトを介してカラーマネージメント管理センターが取得しておいても良い。
そして、チャートの分光反射率、または１つ以上の環境（光源や観察感度）を規定した測色値である色特性情報と、チャート撮像画像及びカメラ特性とにより、色特性情報を、上記チャートを撮像した撮像環境における測色値である色情報に変換する色変換情報を生成する。
【０１８３】
また、顧客が色変換情報を用いて商品表示画像を提供するサービスに登録しておらず、ＥＣサイトから顧客がすでに物品を購入している場合、チャートとして用いる色見本をこの顧客が購入した物品のいずれか、あるいは組合せ、または全てを用いても良く、この物品の撮像画像をチャート撮像画像として、撮影情報とともに色見本発行システム１Ａに送信する構成としてもよい。
【０１８４】
・処理Ｆ１２
色見本発行システム１Ａは、上記色変換情報により、ＥＣサイトが販売する商品の画像の色を、顧客が商品を観察する環境の光源に対応した、すなわち顧客が自身の観察環境で商品を観察した際に視認する色に変換した商品画像データを生成する。
そして、色見本発行システム１Ａは、顧客端末３に対して上記商品表示画像を供給する。
顧客は、顧客端末３の表示画面において商品表示画像を観察し、当該商品を気にいった場合に購入の処理を行なう。
【０１８５】
・処理Ｆ１３
色見本発行システム１Ａは、顧客からの購入の処理に伴い、ＥＣサイトに対して顧客とこの顧客が購入した商品の販売情報を通知する。
これにより、ＥＣサイトの運営会社Ｂは、顧客に対して、当該顧客が購入した商品を出荷して、顧客に配送する。
また、カラーマネージメント管理センターは、上記商品が運営会社Ｂから出荷された際、商品を購入した顧客に対して追加チャート（第２色見本）の情報（追加チャート情報）を提供する。
また、上記追加チャート情報は、顧客が商品を購入しなくとも、所定のタイミングにおいて、顧客が運営会社Ｂが運営するＥＣサイトにおいて商品を閲覧したことに基づいて、運営会社Ｂから閲覧した顧客に対して提供されてもよい。
【０１８６】
そして、顧客は、商品及び追加チャート情報を受領し、追加チャート情報に従い、追加チャートを撮像（チャートを撮像した際と同様の環境における撮像）して、追加チャート撮像画像及び撮影情報を、顧客端末３により色見本発行システム１Ａに送信する。
色見本発行システム１Ａは、既に取得している色変換情報を更新する新たな追加チャートの撮像画像及び撮影情報を取得する。
この追加チャートは、例えば、少なくとも、チャートで得られた色変換情報、顧客が購入あるいは閲覧した商品の色特性情報、照明環境の情報に対応して当該照明環境に類似する照明環境における色変換情報、顧客が色の違いを示す指摘情報（比較結果）の各々のいずれか、あるいは組合せ、または全てに対応した色の色票の組合せとして生成される（色票の生成については後述）。
【０１８７】
・処理Ｆ１４
色見本発行システム１Ａは、顧客から供給された追加チャート撮像画像及び撮影情報の各々により、すでに取得しているこのユーザの色変換情報を変更（不足している情報の補完を行う処理）する。
その後、処理Ｆ１２から処理Ｆ１４が繰り返される毎に、顧客の色変換情報の変更が行なわれ、より実物の商品に近い色を視認できる商品表示画像が生成されるようになる。
また、更新においては、追加チャート撮像画像及び撮影情報をすべて加えても良いし、所定の基準に基づいて、チャートや追加チャート情報の一部の情報、またその組合せにより色変換情報を変更しても良い。
また、追加チャート撮像画像及び追加チャート撮像画像を撮像した撮影情報に加えて、チャート撮像画像及びこのチャートを撮像した撮影情報の一部の情報を用いて、色変換情報を生成しても良い。
また、色変換情報の更新においては、撮影した撮影環境がこれまでの環境と異なるか否かをユーザが明示的に示したり、更新処理において所定の閾値を用いて検知したりすることにより、環境が異なったと推定される場合には、追加チャート撮像画像及び撮影情報のみにより新規に色変換情報を取得（変更）しても良い。
【０１８８】
図１９は、本実施形態による色見本発行システム１Ａの行なう、ＥＣサイトへの色見本の発行における処理の概要について説明する概念図である。
図１９（ａ）は、色見本発行システム１Ａの行なう、ＥＣサイトへの色見本の発行における処理の流れを示すフローチャートである。
図１９（ｂ）は、図１９（ａ）に示すフローチャートにおける処理の各々を行なう主体が、ＥＣサイトであるか色見本発行システムであるかを示す概念図である。ここで、ＥＣサイトは、自身の照明環境において、ＥＣサイトで販売する商品を撮像するため、照明環境が商品の実物の撮像環境となる。
【０１８９】
・処理Ｆ２１
処理Ｆ２１は、ＥＣサイトの撮像環境におけるサイト色変換情報（ＥＣサイトの照明環境における色変換情報）の生成が行なわれる処理である。この処理Ｆ２１は、運営会社Ａに登録したＥＣサイトの環境情報を取得する処理と、取得した環境情報からサイト色変換情報を求める処理とが行なわれる。
すなわち、処理Ｆ２１は、カラーマネージメント管理センターが、登録されているＥＣサイトに対してチャート（第１色見本）の提供を行い、このチャートを撮像したチャート撮像画像と、撮影情報とを取得する。上記チャートは、所定の異なる色の複数の色票が配列されて、所定の媒体に印刷された色見本である。これらの色の色特性情報はすでに説明したように既知であり、色見本発行システム１Ａが有している。また、ＥＣサイトに発行されるチャートは、顧客に発行するチャートと同様でもよく、あるいはＥＣサイトが販売する商品の種類、素材などで分類されたグループ毎に、それぞれの分類の特性に対応して設けられたチャートから選択するものでもよい。
【０１９０】
ここで、撮影情報とは、撮像したカメラのカメラ特性を取得するためのカメラ機種（あるいはデバイス機種）などの情報、撮影した際のカメラの設定情報、撮影した撮影場所を示す位置情報（カメラに設けられた装置が取得したＧＰＳ情報、あるいはＥＣサイト指定（住所、部屋名）など）、日時情報などである。この撮影情報は、ＥＣサイトが運営会社Ａに登録した時点に、カラーマネージメント管理センターが取得しておいても良い。
そして、処理Ｆ１１と同様に、チャートの分光反射率、または１つ以上の環境（光源や観察感度）を規定した測色値である色特性情報と、チャート撮像画像及びカメラ特性とにより、色特性情報を、上記チャートを撮像した撮像環境における測色値である色情報に変換するサイト色変換情報を生成する。
【０１９１】
・処理Ｆ２２
色見本発行システム１Ａは、上記サイト色変換情報により、ＥＣサイトが販売する商品の画像の色を、ＥＣサイトの撮像環境で商品を観察する際の光源に対応した、すなわちＥＣサイトが自身の環境で商品を観察した際に視認する色に変換した商品画像データを生成する。
そして、色見本発行システム１Ａは、ＥＣサイトサーバ２に対して上記商品表示画像を供給する。
ＥＣサイトの担当者は、ＥＣサイトサーバ２の表示画面において商品表示画像を観察し、当該商品の色と、撮像環境における実物の色とを比較し、比較結果を色見本発行システム１Ａに通知する。この処理は、顧客端末３において顧客に閲覧される商品表示画像が、観察環境で観察される商品の実物と同様の色として視認されるように、サイト色変換情報の変換精度を向上させることを目的とした処理の一つである。
【０１９２】
・処理Ｆ２３
色見本発行システム１Ａは、ＥＣサイトからの商品表示画像と実物の商品との比較結果の提供（供給）の処理に伴い、ＥＣサイトに対して追加チャート（第２色見本）を発行する処理を行う。
すなわち、カラーマネージメント管理センターは、上記比較結果がＥＣサイトから提供された際、比較結果を提供したＥＣサイトに対して追加チャートの情報（追加チャート情報）を提供する。
【０１９３】
そして、ＥＣサイトの担当者は、商品及び追加チャート情報を受領し、追加チャート情報に従い、追加チャートを撮像（チャートを撮像した際と同様の環境における撮像）して、追加チャート撮像画像及び撮影情報を、ＥＣサイトサーバ２により色見本発行システム１Ａに送信する。
色見本発行システム１Ａは、既に取得しているサイト色変換情報を更新する新たな追加チャートの撮像画像及び撮影情報を取得する。
この追加チャートは、例えば、少なくとも、チャートで得られたサイト色変換情報、このサイト色変換情報で得られるＥＣサイトが販売する商品の色特性情報、商品の素材などの商品情報（物体である商品の属性情報）、照明環境の情報に対応して当該照明環境に類似する照明環境におけるサイト色変換情報、ＥＣサイトの色の違いを示す指摘情報（比較結果）の各々のいずれか、あるいは組合せ、または全てに対応した色の色票の組合せとして生成される（色票の生成については後述）。
【０１９４】
・処理Ｆ２４
色見本発行システム１Ａは、ＥＣサイトから供給された追加チャート撮像画像及び撮影情報の各々により、すでに取得しているこのＥＣサイトのサイト色変換情報を、商品の属性を含む情報により変更する。
その後、処理Ｆ２２から処理Ｆ２４が繰り返される毎に、ＥＣサイトのサイト色変換情報の変更が行なわれ、より実物の商品に近い色を視認できる商品表示画像が生成されるようになる。
また、更新においては、追加チャート撮像画像及び撮影情報をすべて加えても良いし、所定の基準に基づいて、チャートや追加チャート情報の一部の情報、またその組合せによりサイト色変換情報を変更しても良い。
また、追加チャート撮像画像及び追加チャート撮像画像を撮像した撮影情報に加えて、チャート撮像画像及びこのチャートを撮像した撮影情報の一部の情報を用いて、サイト色変換情報を生成しても良い。
また、サイト色変換情報の更新においては、撮影した撮影環境がこれまでの環境と異なるか否かをユーザが明示的に示したり、更新処理において所定の閾値を用いて検知したりすることにより、環境が異なったと推定される場合には、追加チャート撮像画像及び撮影情報のみにより新規にサイト色変換情報を取得（変更）しても良い。
【０１９５】
図１７に戻り、ＥＣサイトサーバ２は、ＥＣサイト商品管理や売上管理を行うために各々に設けられており、また記憶部２＿１を備えている。この記憶部２＿１には、後述するＥＣサイトデータベース１３Ａにおける商品色データテーブルの商品撮像画像と、サイト色変換情報を生成する際に用いるチャート撮像画像とが、商品識別情報に対応して記憶されている。
【０１９６】
色見本発行システム１Ａは、色見本発行サーバ１０Ａ、推定画像生成サーバ１１Ａ、顧客データベース１２Ａ、ＥＣサイトデータベース１３Ａ、チャート情報データベース１４Ａ、機器情報データベース１５Ａ及び商品販売サーバ１６Ａを備えている。
色見本発行システム１Ａは、すでに述べたように、ＥＣサイトがそれぞれの撮像環境において撮像して提供する商品の画像を、顧客の各々が自身の観察環境において当該商品の実物の色として視認できる商品表示画像に変換するサイト色変換情報、あるいは商品の色を正確に伝搬する色特性情報を得るためのチャート及び追加チャートを生成し、ＥＣサイトあるいはユーザに対して発行する。
【０１９７】
図２０は、本実施形態による色見本発行サーバ１０Ａの構成例を示す図である。この図２０において、色見本発行サーバ１０Ａは、データ入出力部１０１Ａ、チャート発行部１０２Ａ、撮像画像取得部１０３Ａ、機器情報取得部１０４Ａ、色変換情報演算部１０５Ａ、照明環境推定部１０６Ａ及び追加チャート発行部１０７Ａを備えている。
【０１９８】
データ入出力部１０１Ａは、外部装置あるいは外部システムとのデータの送受信をネットワーク５００を介して行なう。
チャート発行部１０２Ａは、ユーザ（ＥＣサイト及び顧客の各々）に対して提供するチャートを生成あるいは決定し、このチャートを印刷媒体に印刷してユーザに対して色見本（第１色見本）として発行する。
印刷媒体としては、ユーザが運営会社Ａに登録した際に、カラーマネージメント管理センターから供給される会員証（登録証なども含む）、入会に関する書類、あるいは会員証や書類が挿入された封筒あるいは梱包材（梱包資材）または緩衝材などである。すなわち、色見本は、登録することでカラーマネージメント管理センターからユーザに提供される、会員証、書類、封書、梱包材または緩衝材などに印刷されたチャート、あるいは施された色として、登録の際にユーザに提供される。
【０１９９】
また、チャートは、この印刷媒体に対して文字や図形（バーコードや２次元コードなど）として印刷されている。この２次元コードとしては、複数のバーコードが並列に配列した構成や、ＱＲコード（登録商標）のように四角形のドットが格子状に配列した構成がある。
すなわち、複数の配列した文字の図形の各々の色を異ならせ、それぞれの文字が色票として印刷されていたり、あるいは一文字が複数の領域に分割され、それぞれの領域の各々が異なる色で印刷され色票とされ、文字列（あるいは文字）の図形がチャートとして構成されている。また、バーコードの場合、コードを示すそれぞれのバーの図形がそれぞれ異なる色で印刷されていたり、バーの図形が複数の領域に分割され、それぞれの領域の各々が異なる色で印刷され色票とされ、バーコードの図形がチャートとして構成されている。
また、２次元コードの場合、コードを示すそれぞれのドットあるいはバーの図形がそれぞれ異なる色で印刷されていたり、ドットやバーの図形が複数の領域に分割され、それぞれの領域の各々が異なる色で印刷され色票とされ、２次元コードの図形がチャートとして構成されている。
【０２００】
また、チャートは、雑誌の広告、ポスターやチラシなどに印刷された、運営会社ＡのサイトやＥＣサイトにアクセスするためのＵＲＬ（uniform resource locator ）などを示した文字や図形（バーコードや２次元コードなど）でもよい。
また、上記ＵＲＬの文字あるいは図形を撮像して、撮像画像として添付して送付して応募することにより、何らかのプレゼントが当たったり、あるいは登録料金の割引、商品価格の割引、何らかのサービスの料金の割引や、換金可能あるいは商品と引き替え可能なポイントを付与するなどのインセンティブを与えてもよい。
この場合、カラーマネージメント管理センターは、サイトにアクセスして応募した時点で、観察環境及び撮像環境などの照明環境の情報を得ることができる。
【０２０１】
撮像画像取得部１０３Ａは、データ入出力部１０１Ａにより取得された撮像画像が、チャート撮像画像及び追加チャート撮像画像であるか否かの判定を行なう。
そして、撮像画像取得部１０３Ａは、上記判定の判定結果とともに、チャート撮像画像を色変換情報演算部１０５Ａに対して出力する。
【０２０２】
機器情報取得部１０４Ａは、データ入出力部１０１Ａにより取得された撮影情報から、カメラ機種及びデバイス機種などのカメラ特性取得情報を抽出する。そして、機器情報取得部１０４Ａは、抽出したカメラ特性取得情報を用いた検索により、このカメラ特性取得情報に対応するカメラ特性を機器情報データベース１５Ａ（後述）から取得し、色変換情報演算部１０５Ａに対して出力する。
【０２０３】
色変換情報演算部１０５Ａは、既知であるチャートの各々の色票毎の分光反射率、または１つ以上の環境（光源や観察感度）を規定した測色値である色特性情報と、チャート撮像画像及びカメラ特性の各々から、物品である商品の色特性情報を、ユーザの環境において取得される測色値に変換する色変換情報（ＥＣサイトの色変換情報であるサイト色変換情報に対しても同様であり、例えば、光源の分光放射輝度や観察者の分光感度、または異なる環境間の測色値変換行列、処理手順、関数）を生成し、顧客データベース１２Ａ（後述）やＥＣサイトデータベース１３Ａ（後述）に、それぞれ書き込んで記憶させる。色変換情報演算部１０５Ａは、商品情報として記憶されている素材や色などに応じて、商品毎に色変換情報を作成してもよい。これにより、色変換の処理においては、商品識別情報から再現する商品情報を取得し、その商品情報の示す商品に対して最適な色変換情報を使用することができる。また、色変換情報演算部１０５Ａは、所定のタイミングで供給される追加チャート撮像画像により、すでに生成されている色変換情報あるいはサイト色変換情報の各々の再演算を行ない、それぞれの情報の更新を行なう。
【０２０４】
照明環境推定部１０６Ａは、チャートから求めた色変換情報に類似した照明種類を、機器情報データベース１５Ａから読み込む。ここで、照明環境推定部１０６Ａは、例えば、光源の分光放射輝度の波長毎の強度パターンと、機器情報データベース１５Ａに記憶された照明種類の分光放射輝度の波長毎の強度パターンとを比較し、最も類似度の高い強度パターンの照明種類を選択し、ユーザの照明環境における光源の種類とする。
【０２０５】
追加チャート発行部１０７Ａは、すでに説明したチャートにより得られた色変換情報、あるいは直前に発行した追加チャート、または色の評価の情報（色評価情報）、上記照明種類により、ユーザの照明環境により対応する色変換情報とする色の色票の組合せの追加チャートの発行を行う。チャートにより得られた色変換情報は、このチャートにより算出した得られた照明環境の色変換情報と、このチャートにより得られた分光放射輝度の波長毎の強度パターンに類似した照明環境における色変換情報との各々を含む。
ここで、色評価情報とは、例えば、顧客が購入した商品の色特性情報、顧客が購入した商品の撮像画像、観察環境における商品及び商品表示画像との色の差異を示す評価情報（後述する商品評価）、顧客が顧客端末３で閲覧した商品の色特性情報などである。
また、色評価情報とは、例えば、ＥＣサイトの担当者が撮像した商品撮像画像から得た商品の色特性情報、ＥＣサイトサーバ２の表示画面において商品表示画像を観察し、当該商品の色と、撮像環境における実物の色とを比較した比較結果などである。
【０２０６】
そして、追加チャート発行部１０７Ａは、少なくともチャートにより得られた色変換情報（ユーザの照明環境の色変換情報、類似した照明環境の色変換情報）、現時点までに発行した追加チャートの情報、色評価情報及び上記照明種類の情報の各々のいずれか、あるいは組合せ（情報組合せ）、または全てと対応する追加する色の組合せ（追加色組合せ）を用いて、追加チャートの生成を行う。
このとき、例えば、上記情報組合せ毎に対応して追加色組合せが記述された追加色抽出テーブルを、チャート情報データベース１４Ａに予め書き込んで記憶させておく。
【０２０７】
そして、追加チャート発行部１０７Ａは、ユーザ（ＥＣサイト、顧客）毎に得られた情報組合せに類似する情報組合せを、追加色抽出テーブルから検索し、検索した情報組合せに対応する追加色組合せを読み出す。
追加チャート発行部１０７Ａは、読み出した追加色組合せの示す色を色票とし、チャートや直前に発行した追加チャートにおける色票と置き換え、新たな追加チャートを生成するように構成してもよい。
【０２０８】
また、追加チャート発行部１０７Ａは、チャートから生成した色変換情報が変換可能な色域に、顧客が閲覧する商品の色特性情報における測色値、あるいはＥＣサイトが販売する商品の色特性情報における測色値が含まれるか否かの判定を行う。
このとき、追加チャート発行部１０７Ａは、色域に含まれない商品の色特性情報及びチャートの色特性情報と、追加すべき色の追加色組合せとが対応付けられた追加色抽出テーブルから、チャートに対して追加する追加色組合せを読み出して、新たな追加チャートを生成するように構成してもよい。
【０２０９】
図２１は、顧客データベース１２Ａにおける顧客データテーブルの構成例を示す図である。顧客データテーブルは、ＥＣサイト毎に設けられており、例えば、レコード毎に、顧客識別情報に対応して、顧客属性情報、色変換情報一覧インデックス、商品評価インデックス、プリンタ特性、ディスプレイ特性、カメラ特性の各々の欄が設けられている。
顧客識別情報は、顧客の各々を個々に識別する情報である。顧客属性情報は、顧客識別情報が示す顧客の属性情報であり、名前、照明環境の場所の種別、性別、年齢、住所、電話番号、メールアドレス、趣味、職業、好きな色、その環境における滞在時間帯などの情報である。ここで、照明環境の場所の種別とは、空間の広さ、窓の有無、部屋の壁、天井及び床などの色である。色変換情報一覧インデックスは、顧客識別情報の示す顧客の観察環境における複数の異なる色変換情報と、プリセット色変換情報となどの顧客が利用可能な色変換情報の各々の一覧情報である色変換情報一覧テーブルが記憶された領域を示すアドレスなどのインデックスである。
【０２１０】
商品評価インデックスは、顧客識別情報の示す顧客の購入した商品に対する、このユーザの評価を示す商品評価テーブルが記憶された領域を示すアドレスなどのインデックスである。プリンタ特性は、顧客が商品画像を印刷するために用いるプリンタのＩＣＣ（International Color Consortium）プロファイル及びインクの分光情報（インク情報）などのプリンタ出力色情報と、商品画像や色見本を印刷する用紙の媒体情報となどを含む情報である。ディスプレイ特性は、例えば、ＩＣＣプロファイルや分光放射輝度あるいは三刺激値などの発光情報である。カメラ特性は、例えばカメラ（撮像装置）の分光感度情報である。このプリンタ特性、ディスプレイ特性及びカメラ特性の各々は、上述した機器情報取得部１０４Ａにより、顧客データテーブルにおける対応する欄に書き込まれる（後述）。
【０２１１】
図２２は、顧客データベース１２Ａにおける色変換情報一覧テーブルの構成例を示す図である。顧客データベース１２Ａには、色変換情報一覧テーブルが書き込まれて記憶されている。この色変換情報一覧テーブルは、顧客単位に設けられており、レコード毎に、色変換情報識別情報に対応して、チャート撮像画像インデックス、追加チャート撮像画像インデックス、チャート識別情報、アルゴリズム識別情報、色変換情報及び仕様データの各々の欄が設けられている。
【０２１２】
色変換情報識別情報は、色変換情報の各々を個々に識別する情報である。チャート撮像画像インデックスは、データベースにおけるチャート（第１色見本）の撮像画像データが書き込まれて記憶されている領域を示すアドレスなどのインデックスである。ここで、チャート撮像画像のデータとして、このチャート撮像画像から抽出した画素の画素位置とこの画素位置の示す画素の画素値とのデータテーブルでも良い。
【０２１３】
追加チャート撮像画像インデックスは、データベースにおける追加チャート（第２色見本）の撮像画像データが書き込まれて記憶されている領域を示すアドレスなどのインデックスである。ここで、追加チャート撮像画像のデータとして、この追加チャート撮像画像から抽出した画素の画素位置とこの画素位置の示す画素の画素値とのデータテーブルでも良い。
チャート識別情報は、顧客に提供したチャート及び追加チャートの識別情報である。
【０２１４】
色変換情報は、顧客がチャートあるいは追加チャートを撮像した環境における光源の分光放射輝度、あるいは三刺激値変換行列である。ここで、三刺激値変換行列は、規定観察環境（例えば、ＣＩＥ（国際照明委員会）_Ｄ５０と２度視野標準観測者の組み合わせ、あるいはＣＩＥ_Ｄ６５と１０度視野標準観測者の組み合わせ）の測色値から、顧客が撮像した環境における光源の分光放射輝度と、撮像に用いたカメラのカメラ特性とによるデバイス値への変換（色変換）を行なう行列である。なお、この色変換は、顧客が撮像した環境における光源の分光放射輝度と、撮像に用いたカメラのカメラ特性とによるデバイス値から、物品の分光反射率や環境が規定された測色値への逆変換も可能である。すなわち、色変換情報は、物品の分光反射率や、観察が規定された測色値である色特性情報と、顧客の環境で観察される測色値との間の変換情報である。
【０２１５】
仕様データは、色変換情報の仕様を示す情報である。仕様データとしては、対応する色変換情報の適用時間範囲を示す、朝時間範囲、昼時間範囲、夜時間範囲などの種別がある。朝時間範囲は、例えば、日の出の時刻から昼の１２時の時間範囲を示している。昼時間範囲は、例えば、昼の１２時過ぎから日の入りの時刻までの時間範囲を示している。また、仕様データは、顧客が商品を観察する場所情報、もしくは場所情報を含んでいてもよく、オフィスやレストラン、劇場、自宅などにおける色変換情報を特定できる。また、夜時間範囲は、日の入りの時刻から日の出の時刻までを示している。プリセットされた色変換情報は、各顧客に対して共通の色変換情報であり、太陽光や一般的なオフィスにおける光源の分光放射輝度、または環境が規定された色特性情報から、晴天の屋外やオフィスにおいて視認される測色値に変換する変換行列である。
また、追加チャートに関しては、第２追加チャート（第２色見本）以降の、第３追加チャート（第３色見本）から第ｎ追加チャート（第ｎ色見本）まで、第２追加チャートに関して行なう色変換情報の取得に関する処理と同様な処理が行なわれる。
【０２１６】
図２３は、顧客データベース１２Ａにおける商品評価テーブルの構成例を示す図である。顧客データベース１２Ａには、商品評価テーブルが書き込まれて記憶されている。この商品評価テーブルは、顧客毎に設けられており、レコード毎に、商品識別情報に対応して、この商品識別情報に対応する商品の評価（商品評価）の欄が設けられている。商品識別情報は、商品の各々を個々に識別する情報である。商品評価は、購入した商品（商品識別情報が示す商品）に対する評価（例えば、アンケートによる評価）が記載され、例えば「満足」、「普通」、「赤みが足りない」、後述のような顧客による色調整結果、「色が異なるため返品」などの顧客に届いた商品への対応などが示されている。
【０２１７】
図２４は、ＥＣサイトデータベース１３ＡにおけるＥＣサイトテーブルの構成例を示す図である。ＥＣサイトテーブルは、例えば、レコード毎に、ＥＣサイト識別情報に対応して、ＥＣサイト属性情報、サイト色変換情報一覧インデックス、比較結果インデックス、プリンタ特性、ディスプレイ特性、カメラ特性の各々の欄が設けられている。ＥＣサイト識別情報は、ＥＣサイトの各々を個々に識別する情報である。ＥＣサイト属性情報は、ＥＣサイト識別情報が示すＥＣサイトの属性情報であり、ＥＣサイト名、照明環境の場所の種別、商品種別、メインカラー、メイン素材、商品対象年齢、電話番号、メールアドレス、その照明環境における撮像時間帯などの情報である。ここで、照明環境の場所の種別とは、空間の広さ、窓の有無、部屋の壁、天井及び床などの色である。サイト色変換情報一覧インデックスは、ＥＣサイト識別情報の示すＥＣサイトの撮像環境における複数の異なるサイト色変換情報と、プリセットサイト色変換情報となどのＥＣサイトが利用可能な色変換情報の各々の一覧情報であるサイト色変換情報一覧テーブルが記憶された領域を示すアドレスなどのインデックスである。
【０２１８】
比較結果インデックスは、ＥＣサイト識別情報の示すＥＣサイトの担当者が撮像環境で撮像した商品の実物を観察して視認される色と、ＥＣサイトサーバ２の表示画面で観察される商品表示画像とで視認される色との比較結果の情報（色評価情報）が示されたファイルが記憶された、ＥＣサイトデータベース１３Ａの領域を示すアドレスなどのインデックスである。この比較結果としては、青色が弱いとか、赤が強いとかなどの、実物と商品表示画像との視認される色の差異を示す情報、あるいはＥＣサイトサーバ２のアプリケーションにより、商品表示画像の色調整をして、同様に視認されたときの色の調整量（色成分ＲＧＢの各成分の調整量）など、色の差分を示す情報であればいずれの手法を用いてもよい。プリンタ特性は、ＥＣサイトが商品画像や色見本を印刷するために用いるプリンタのＩＣＣプロファイル及びインクの分光情報などのプリンタ出力色情報と、商品画像を印刷する用紙の媒体情報となどを含む情報である。ディスプレイ特性は、例えば、ＩＣＣプロファイルや分光放射輝度あるいは三刺激値などの発光情報である。カメラ特性は、例えばカメラの分光感度情報である。このプリンタ特性、ディスプレイ特性及びカメラ特性の各々は、上述した機器情報取得部１０４Ａにより、ＥＣサイトデータテーブルにおける対応する欄に書き込まれる（後述）。
【０２１９】
図２５は、ＥＣサイトデータベース１３Ａにおける商品色データテーブルの構成例を示す図である。ＥＣサイトデータベース１３Ａには、商品色データテーブルが書き込まれて記憶されている。この商品色データテーブルは、ＥＣサイト毎に設けられている。商品色データテーブルは、レコード毎において、商品識別情報に対応して、商品撮像画像インデックス、商品色情報インデックス及び商品情報インデックスの欄を備えている。商品識別情報は、商品の各々を個々に識別する情報である。商品画像インデックスは、各ＥＣサイトの光源の環境において撮像した撮像画像データが記憶されている、ＥＣサイトデータベース１３Ａにおける領域を示すアドレスなどのインデックスである。
【０２２０】
商品色特性情報インデックスは、商品の分光画像、各画素の分光反射率を示す商品反射率画像あるいは規定観察環境における商品画像などの色特性情報データが記憶されている、ＥＣサイトデータベース１３Ａにおける領域を示すアドレスなどのインデックスである。
商品情報インデックスは、商品の分光反射率や素材の種類を示す情報が記憶されている、ＥＣサイトデータベース１３Ａにおける領域を示すアドレスなどのインデックスである。ここで、素材は、例えば、服飾であれば服の生地の材料の種類であり、レーヨン、ナイロン、ポリエステル、アクリル、ポリウレタン、リネン、コットン、ウール、デニムなどである。これにより、すでに述べたように、商品の素材の種類によって、チャート、あるいは追加チャートの印刷媒体の素材や色特性情報の設計に用いたり、素材ごとに異なる色変換情報を用いて色変換を行なってもよい。
【０２２１】
図２６は、ＥＣサイトデータベース１３Ａにおけるサイト色変換情報一覧テーブルの構成例を示す図である。ＥＣサイトデータベース１３Ａには、サイト色変換情報一覧テーブルが書き込まれて記憶されている。このサイト色変換情報一覧テーブルは、ＥＣサイト単位に設けられており、レコード毎に、サイト色変換情報識別情報に対応して、チャート撮像画像インデックス、追加チャート撮像画像インデックス、チャート識別情報、サイト色変換情報、アルゴリズム識別情報及び仕様データの各々の欄が設けられている。
【０２２２】
サイト色変換情報識別情報は、サイト色変換情報の各々を個々に識別する情報である。
チャート撮像画像インデックスは、データベースにおけるチャート（第１色見本）の撮像画像データが書き込まれて記憶されている領域を示すアドレスなどのインデックスである。ここで、チャート撮像画像のデータとして、このチャート撮像画像から抽出した画素の画素位置とこの画素位置の示す画素の画素値とのデータテーブルでも良い。
【０２２３】
追加チャート撮像画像インデックスは、ＥＣサイトデータベース１３Ａにおける追加チャート（第２色見本）の撮像画像データが書き込まれて記憶されている領域を示すアドレスなどのインデックスである。ここで、追加チャート撮像画像のデータとして、この追加チャート撮像画像から抽出した画素の画素位置とこの画素位置の示す画素の画素値とのデータテーブルでも良い。
チャート識別情報はチャートの識別情報であり、追加チャート識別情報は追加チャートの識別情報である。
アルゴリズム識別情報は、色変換情報演算部１０５Ａが色変換情報を算出した際に使用したアルゴリズムを識別するための情報であり、商品の素材や色特性情報、有彩色/無彩色などの色情報、屋内外の照明情報などの条件に応じて選択した色変換情報演算のアルゴリズムを識別する。
【０２２４】
サイト色変換情報は、ＥＣサイトがチャートあるいは追加チャートを撮像した環境における光源の分光放射輝度、あるいは三刺激値変換行列である。ここで、三刺激値変換行列は、規定観察環境（例えば、ＣＩＥ（国際照明委員会）_Ｄ５０と２度視野標準観測者の組み合わせ、あるいはＣＩＥ_Ｄ６５と１０度視野標準観測者の組み合わせ）の測色値から、ＥＣサイトが撮像した環境における光源の分光放射輝度と、撮像に用いたカメラのカメラ特性とによるデバイス値への変換（色変換）を行なう行列である。なお、この色変換は、ＥＣサイトが撮像した環境における光源の分光放射輝度と、撮像に用いたカメラのカメラ特性とによるデバイス値から、物品の分光反射率や環境が規定された測色値への逆変換も可能である。すなわち、サイト色変換情報は、物品の分光反射率や、観察が規定された測色値である色特性情報と、ＥＣサイトの環境で観察される測色値との間の変換情報である。
【０２２５】
仕様データは、サイト色変換情報の仕様を示す情報である。仕様データとしては、対応するサイト色変換情報の適用時間範囲を示す、朝時間範囲、昼時間範囲、夜時間範囲などの種別がある。朝時間範囲は、例えば、日の出の時刻から昼の１２時の時間範囲を示している。昼時間範囲は、例えば、昼の１２時過ぎから日の入りの時刻までの時間範囲を示している。また、仕様データは、ＥＣサイトの担当者が商品の撮像を行う場所情報、もしくは場所情報を含んでいてもよく、ＥＣサイトの担当者が商品の撮像を行うオフィスやスタジオなどにおけるサイト色変換情報を特定できる。また、夜時間範囲は、日の入りの時刻から日の出の時刻までを示している。プリセットされたサイト色変換情報（プリセットサイト色変換情報）は、各ＥＣサイトに対して共通の色変換情報であり、太陽光や一般的なオフィスにおける光源の分光放射輝度、または環境が規定された色特性情報から、晴天の屋外やオフィスにおいて視認される測色値に変換する変換行列である。
また、追加チャートに関しては、第２追加チャート（第２色見本）以降の、第３追加チャート（第３色見本）から第ｎ追加チャート（第ｎ色見本）まで、第２追加チャートに関して行なうサイト色変換情報取得に関する処理と同様な処理が行なわれる。
【０２２６】
図２７は、チャート情報データベース１４Ａにおけるチャートテーブルの構成例を示す図である。このチャート情報データベース１４Ａには、チャートテーブルが書き込まれて記憶されている。チャートテーブルは、レコード毎において、チャート識別情報に対応して、チャート検索情報、チャート画像インデックス、チャート設計情報の各々の欄を備えている。本実施形態において、このチャートテーブルは、ＥＣサイト及び顧客に対して共通に設けているが、ＥＣサイトと顧客とに対して個別に設けるようにしてもよい。
【０２２７】
チャート識別情報は、有彩色や無彩色の物体であるチャートの各々を個々に識別する情報である。チャート検索情報は、ユーザ（ＥＣサイト、顧客）に発行するチャートを検索するためのキー情報である。このチャート検索情報は、少なくともユーザの属性情報（顧客属性情報、ＥＣサイト属性情報）を含んでいる。チャート画像インデックスは、チャートの画像であるチャート画像が書き込まれて記憶されている領域を示すアドレスなどのインデックスである。チャート設計情報は、上記チャート画像におけるチャートの絵柄パターン（例えば、色票の配列パターン）、この絵柄パターンにおける絵柄（色票）の各々の色特性情報である。また、チャート設計情報は、チャート画像の絵柄パターン（文字画像の形状も含む）における色票毎の座標を示す情報、及びこの座標の示す領域と色票の色の色特性情報との対応関係の情報を含んでいる。
【０２２８】
図２８は、チャート情報データベース１４Ａにおける追加チャート設計テーブルの構成例を示す図である。このチャート情報データベース１４Ａには、追加チャート設計テーブルが書き込まれて記憶されている。追加チャート設計テーブルは、レコード毎において、追加チャート設計識別情報に対応して、追加色検索情報、追加チャート設計情報の各々の欄を備えている。本実施形態において、この追加チャート設計テーブルは、ＥＣサイト及び顧客に対して共通に設けているが、ＥＣサイトと顧客とに対して個別に設けるようにしてもよい。
【０２２９】
追加チャート設計識別情報は、チャートに対して追加する色の情報（単色、あるいは複数色の組合せ）の各々を個々に識別する情報である。追加色検索情報は、チャートにより得られた色変換情報（及びサイト色変換情報）、すでに色票として使用した色の色特性情報、色評価情報、チャートにより推定される照明の光源の種別の情報のいずれか、あるいは組合せ、または全てを少なくとも含む。追加チャート設計情報は、追加色検索情報に対応した追加色の情報（色特性情報）が示されている。
【０２３０】
図２９は、チャート情報データベース１４Ａにおける追加チャートテーブルの構成例を示す図である。このチャート情報データベース１４Ａには、追加チャートテーブルが書き込まれて記憶されている。追加チャートテーブルは、レコード毎において、追加チャート識別情報に対応して、追加チャート画像インデックス、追加チャート情報の各々の欄を備えている。本実施形態において、この追加チャートテーブルは、ＥＣサイト及び顧客に対して共通に設けているが、ＥＣサイトと顧客とに対して個別に設けるようにしてもよい。
【０２３１】
追加チャート識別情報は、追加チャートの各々を個々に識別する情報である。追加チャート画像インデックスは、追加チャートの画像である追加チャート画像が書き込まれて記憶されている領域を示すアドレスなどのインデックスである。追加チャート情報は、追加チャート画像の絵柄パターン（文字画像の形状も含む）における色票毎の座標を示す情報、及びこの座標の示す領域と色票の色の色特性情報との対応関係の情報を含んでいる。
【０２３２】
図３０は、機器情報データベース１５Ａにおける機器情報テーブルの構成例を示す図である。機器情報データベース１５Ａには、機器情報テーブルが書き込まれて記憶されている。
機器情報テーブルは、レコード毎において、機器特定情報と、この機器特定情報の示す機器の特性情報との欄を備えている。
ここで、機器特定情報は、カメラ、プリンタ及び表示装置の機種情報、あるいはデバイス情報などである。デバイス情報は、例えば、カメラがデジタルカメラであれば、デジタルカメラあるいは使用されているＣＣＤ（Charged Coupled Device）素子の型番、プリンタがインクジェットプリンタであれば、プリンタあるいは使用されているインクジェットヘッドの型番、表示装置が液晶ディスプレイであれば、ディスプレイあるいは使用されている液晶パネルの型番である。
【０２３３】
特性情報は、例えば、機器がカメラの場合には、カメラ特性として撮像における分光感度情報である。また、特性情報は、例えば、機器がプリンタの場合には、プリンタ特性としてＩＣＣプロファイルやインクの分光情報などのプリンタが出力する印刷色の情報、商品販売画像や色見本を印刷する用紙の媒体情報などである。特性情報は、例えば、機器が表示装置の場合には、ディスプレイ特性としてＩＣＣプロファイルや分光放射輝度あるいは三刺激値などの発光情報である。
【０２３４】
以下、図面を参照して、処理Ｆ１１、処理Ｆ１２、処理Ｆ１３及び処理Ｆ１４の各々の処理の流れにおける色見本発行システム１Ａの動作を含む、本実施形態におけるカラーマネージメントの管理を順次説明する。
＜処理Ｆ１１の色変換情報生成の例＞
図３１は、色見本発行システム１Ａを用いた顧客環境情報登録の処理の流れを示すシーケンス図である。図においては、顧客データベース１２Ａ、ＥＣサイトデータベース１３Ａ、チャート情報データベース１４Ａ及び機器情報データベース１５Ａの各々を、各データベース（１２Ａ、１３Ａ、１４Ａ、１５Ａ）として記述して説明する。
【０２３５】
ステップＦ１０１：
顧客は、顧客端末３により、色見本発行サイト（すなわち、色見本発行サーバ１０Ａ）にアクセスし、例えば、顧客識別情報によりログインして、顧客の観察環境の環境情報の登録処理を依頼する。
これにより、データ入出力部１０１Ａは、アクセスした際の顧客識別情報により、顧客データベース１２Ａの顧客テーブルを検索して、いずれのＥＣサイトに登録している顧客かの確認を行なう。
【０２３６】
ステップＦ１０２：
チャート発行部１０２Ａは、この顧客の顧客属性情報を読み出し、読み出した顧客属性情報により、チャート情報データベース１４Ａのチャートテーブルを検索する。
そして、チャート発行部１０２Ａは、この顧客属性情報に最も類似するチャート検索情報を抽出し、抽出されたチャート検索情報に対応するチャート画像インデックスを読み出す。
チャート発行部１０２Ａは、チャート画像インデックスにより、チャート情報データベース１４Ａからチャート画像を読出し、チャートとして発行する。
また、チャート発行部１０２Ａは、ＥＣサイトの販売する商品群の商品画像に対応したチャートとして、例えばＥＣサイトに予め設定されているチャートを、チャート情報データベース１４Ａのチャート情報テーブルから抽出して発行する構成としてもよい。
運営会社Ａは、チャート発行部１０２Ａがチャートテーブルから発行したチャートを、顧客の住所に対して配送（あるいは郵送）する。
【０２３７】
ステップＦ１０３：
顧客は、自身が商品を観察するであろう観察環境、例えば顧客端末３が備えられた部屋などの所定の位置において、運営会社Ａから供給されたチャートの撮像を行なう。
【０２３８】
ステップＦ１０４：
そして、顧客は、チャートを撮像したチャート撮像画像と、撮像における撮影情報と、自身の顧客識別情報とを、顧客端末３によりカラーマネージメント管理センター（色見本発行システム１Ａ）に対して送信する。
【０２３９】
ステップＦ１０５：
データ入出力部１０１Ａは、顧客端末３から供給されたチャート撮像画像を撮像画像取得部１０３Ａに対して出力する。
また、データ入出力部１０１Ａは、顧客端末３から供給された撮影情報を、機器情報取得部１０４Ａ及び色変換情報演算部１０５Ａに対して出力する。
【０２４０】
そして、撮像画像取得部１０３Ａは、チャート撮像画像のデータを顧客データベース１２Ａに書き込む。
また、撮像画像取得部１０３Ａは、書き込んだ書込領域のアドレスを、顧客識別情報に対応した色変換情報一覧インデックスの示す色変換情報一覧テーブルのチャート撮像画像インデックスに書き込んで記憶させる。
【０２４１】
機器情報取得部１０４Ａは、撮影情報に含まれる機器特定情報に対応するカメラ特性を、機器情報データベース１５Ａの機器情報テーブルから検索して読み出す。
そして、機器情報取得部１０４Ａは、読み出したカメラ特性を、上記色変換情報一覧テーブルのカメラ特性の欄に書き込んで記憶させる。
【０２４２】
ステップＦ１０６：
色変換情報演算部１０５Ａは、顧客識別情報に対応して、チャート撮像画像とチャート識別情報との各々を色変換情報一覧テーブルから読み出す。
そして、色変換情報演算部１０５Ａは、読み出したチャート識別情報により、チャート情報データベース１４Ａのチャートテーブルから、顧客に送付したチャート設計情報インデックスを読み出す。色変換情報演算部１０５Ａは、このチャート設計情報インデックスの示す記憶領域から、チャートの色特性情報を読み出す。
また、色変換情報演算部１０５Ａは、顧客識別情報に対応して、顧客データテーブルからカメラ特性を読み出す。
【０２４３】
ステップＦ１０７：
色変換情報演算部１０５Ａは、上記チャート撮像画像と、カメラ特性と、チャートの色特性情報とにより、色変換情報を演算して求める。
この色変換情報は、色特性情報を、登録した顧客の観察環境において取得される測色値に変換する情報である。
また、照明環境推定部１０６Ａは、チャートから求められた色変換情報から、観察環境における光源の種類を推定する。
【０２４４】
ステップＦ１０８：
色変換情報演算部１０５Ａは、求めた色変換情報を、顧客識別情報に対応させて、色変換情報一覧テーブルに書き込んで記憶させる。
この色変換情報を色変換情報一覧テーブルに書き込む際に、色変換情報演算部１０５Ａは、チャート撮像画像を撮像した時刻を撮影情報に含まれる日時情報から抽出し、求めた色変換情報に対して対応する時間範囲（朝時間範囲、昼時間範囲、夜時間範囲）を仕様データの欄に書き込んで記憶させる。さらに、ＧＰＳ情報や顧客指定情報等に基づく位置情報などの撮影情報に含まれる情報を記録させてもよい。
【０２４５】
また、上記説明において、チャートを配送して顧客に提供する場合に説明しているが、ＥＣサイトの登録証（登録カード）の表あるいは裏に、色変換情報を求めるチャートと、このチャートに隣接してチャート識別情報及び顧客識別情報とを予め印刷しておき、顧客にチャートを撮像する際に、チャート識別情報及び顧客識別情報をチャートと同時に撮像させるように構成しても良い。このチャート識別情報は、バーコード、２次元コード（図形情報）などを用いることができる。これにより、容易にチャートと顧客とを関連付けることができる。さらに、チャート識別情報自体が着色されており、このチャート識別情報を撮像することにより、顧客識別情報を用いての顧客との関連付けだけでなく、同時に色変換情報の取得に利用してもよい。
【０２４６】
また、ＥＣサイトに登録した際（顧客登録の時点において）、カラーマネージメント管理センターを運営する運営会社Ａが、ＥＣサイトの商品購入に対する説明などを配送する際、チャートを同封したり、説明を配送する封書や納品書、宛名、梱包材などに直接に上述したチャート識別情報及び顧客識別情報（文字情報あるいは図形情報）を印刷しておいても良い。さらに、それらチャート識別情報及び顧客識別情報（文字情報あるいは図形情報）が着色されており、撮像することで色変換情報の取得に利用してもよい。
【０２４７】
また、本実施形態においては、チャート設計情報により予め設計されたチャートを、顧客の観察環境における色変換情報の推定に用いている。しかしながら、このチャート以外に、チャート情報として、一般的に流通している商品のパッケージを撮像する指示を提供しても良い。顧客はパッケージを撮像して、上述したステップＦ１０４の処理と同様に、顧客端末３からカラーマネージメント管理センター（色見本発行システム１Ａ）に送信する。汎用的なパッケージであれば、印刷された所定の領域の色特性情報が容易に得られるため、色変換情報を演算することが可能である。
また、本実施形態においては、チャートが顧客の観察環境（物品を観察する時間範囲や、観察する場所の情報など）に基づいて、チャートを送付する顧客と異なる、観察環境が類似した他顧客の色変換情報を用いて、当該顧客に送付するチャートを作成しても良い。
また、本実施形態において、色変換情報は、商品情報として記憶されている素材や色などの属性のいずれか、あるいは組合せまたは全て毎に対応して作成してもよい。この場合、色変換においては、商品識別情報から再現する商品情報を取得し、商品の素材や色などに対して最適な色変換情報を使用する。
【０２４８】
＜処理Ｆ１２の商品画像の色変換と表示の例＞
図３２は、色見本発行システム１Ａを用いた商品画像の色変換と表示の処理の流れを示すシーケンス図である。図においては、顧客データベース１２Ａ，ＥＣサイトデータベース１３Ａ、チャート情報データベース１４Ａ及び機器情報データベース１５Ａの各々を、各データベース（１２Ａ、１３Ａ、１４Ａ、１５Ａ）として記述して説明する。
【０２４９】
ステップＦ２０１：
ユーザは、顧客端末３により、カラーマネージメント管理センター（色見本発行システム１Ａ）にアクセスし、例えば、顧客識別情報によりログインして、自身の登録しているＥＣサイトの商品の商品画像の閲覧を依頼する。
これにより、データ入出力部１０１Ａは、アクセスした際の顧客識別情報により、顧客データベース１２Ａの顧客テーブルを検索して、いずれのＥＣサイトに登録している顧客かの確認を行なう。
【０２５０】
ステップＦ２０２：
推定画像生成サーバ１１Ａは、商品表示画像を生成する際に用いる色変換情報を得るため、顧客識別情報により顧客データベース１２Ａの顧客テーブルを検索し、アクセスした顧客の色変換情報一覧テーブルを抽出する。
【０２５１】
ステップＦ２０３：
そして、推定画像生成サーバ１１Ａは、色変換情報をユーザに選択させる表示として、色変換情報一覧テーブルの仕様データの一覧を、顧客端末３の表示画面に表示させる。
表示としては、「朝時間範囲」、「昼時間範囲」、「夜時間範囲」及び「プリセット色変換情報（一般的なオフィス、晴天の屋外など）」など、観察環境における観察の状態を示す文字列が用いられる。
【０２５２】
ステップＦ２０４：
顧客は、顧客端末３の表示画面の仕様データの一覧から、自身が実物の商品を観察する環境に対応した状態を選択する。
このとき、例えば、商品の時間指定が午前１０時である場合、観察環境で観察する時間が朝時間範囲に含まれるため、顧客は顧客端末３の表示画面の仕様データの一覧から、朝時間範囲を選択する。また、常に帰宅が午後８時ぐらいであれば、観察環境で観察する時間が夜時間範囲に含まれるため、顧客は顧客端末３の表示画面の仕様データの一覧から、夜時間範囲を選択する。一方、配送先が観察環境ではなく、会社のオフィスである場合、顧客は顧客端末３の表示画面の仕様データの一覧から、プリセット色変換情報を選択する。
【０２５３】
ステップＦ２０５：
顧客端末３は、顧客が選択した観察の状態、例えば、「朝時間範囲」、「昼時間範囲」、「夜時間範囲」、「オフィス」、「レストラン」、「プリセット色変換情報」の中の選択された文字列を情報として、色見本発行システム１Ａに対して送信する。
このとき、顧客端末３は、表示画面を表示するディスプレイを特定する機器特定情報（デバイス情報）を、上記文字列の情報とともに、色見本発行システム１Ａに対して送信する。
【０２５４】
ステップＦ２０６：
データ入出力部１０１Ａは、顧客端末３から供給される機器特定情報を、機器情報取得部１０４Ａに対して出力する。
機器情報取得部１０４Ａは、機器特定情報であるデバイス情報に対応するディスプレイ特性を、機器情報データベース１５Ａの機器情報テーブルから検索して読み出す。
また、機器情報取得部１０４Ａは、読み出したディスプレイ特性を、上記色変換情報一覧テーブルのディスプレイ特性の欄に書き込んで記憶させる。
【０２５５】
ステップＦ２０７：
次に、推定画像生成サーバ１１Ａは、顧客識別情報に対応して上記色変換情報一覧テーブルから、ディスプレイ特性を読み出す。
また、推定画像生成サーバ１１Ａは、顧客が選択した色変換情報（商品の観察の状態や、商品の素材などに対応した色変換情報）を、色変換情報一覧テーブルから読み出す。
推定画像生成サーバ１１Ａは、ＥＣサイトデータベース１３Ａの商品色データテーブルから、顧客の観察する商品各々の商品色情報を読み出す。
【０２５６】
ステップＦ２０８：
そして、推定画像生成サーバ１１Ａは、商品色情報の規定観察環境における測色値を、色変換情報により顧客の観察環境における測色値に変換し、かつディスプレイ特性に対応させて商品表示画像のデータを生成する。
【０２５７】
ステップＦ２０９：
推定画像生成サーバ１１Ａは、生成した商品表示画像のデータを、データ入出力部１０１Ａを介して、顧客端末３に対して送信する。
これにより、顧客は、自身の観察環境で実物の商品を観察した場合と同様の色により、顧客端末３の表示画面で商品画像を視認することができる。
【０２５８】
このとき、顧客は、配送された商品と、顧客端末３の表示画面に表示された商品画像との各々を観察してそれぞれの視認される色を比較して比較結果を、カラーマネージメント管理センターに送信する構成としてもよい。
すなわち、顧客は、顧客端末３の表示画面に表示されている色成分ＲＧＢ（red：赤、green：緑、blue：青）調整用バーを順次調整することにより、実際に見ている商品の色に、表示画面の商品画像の色を合わせる、色の差の評価を行なう。
そして、顧客は、表示画面の商品画像と、実際に観察している商品の色とが同様となったと認識した際、色成分ＲＧＢ調整用バーなどの調整量を入力する表示による表示画像の色の調整を終了させる。
【０２５９】
これにより、顧客端末３は、顧客が色を調整した商品画像のデータを評価情報（比較結果）として、色見本発行システム１Ａに対して送信する。
または、「赤みが足りない」などの情報を評価情報として、色見本発行システム１Ａに対して送信してもよい。
そして、色見本発行システム１Ａは、上記評価情報を追加チャート設計テーブルにおける追加色検索情報に加えて用いる。
【０２６０】
＜処理Ｆ１３及びＦ１４の追加チャート発行及び色変換情報更新の例＞
図３３は、色見本発行システム１Ａを用いた色変換情報更新のための追加チャート発行の処理の流れを示すシーケンス図である。図においては、顧客データベース１２Ａ、ＥＣサイトデータベース１３Ａ、チャート情報データベース１４Ａ及び機器情報データベース１５Ａの各々を、各データベース（１２Ａ、１３Ａ、１４Ａ、１５Ａ）として記述して説明する。
【０２６１】
ステップＦ３０１：
ユーザは、処理Ｆ１２において自身の顧客端末３の表示画面に表示された商品表示画像により、運用会社ＢのＥＣサイトに対して、この商品画像の商品の購入処理を行う。
これにより、色見本発行システム１Ａにおいて、商品販売サーバ１６Ａは、顧客端末３から供給される商品特定情報（商品識別情報など）を、顧客識別情報とともに、この商品を取り扱っているＥＣサイトに対して、商品購入情報として送信する。
【０２６２】
ステップＦ３０２：
このとき、ＥＣサイトの商品の発送に伴い、色見本発行システム１Ａにおける色変換情報演算部１０５Ａは、追加チャート情報を商品とともに顧客に配送することをＥＣサイトに対して指示する情報を、データ入出力部１０１Ａを介して送信する。この追加チャート情報は、本例の場合、新たな追加チャートを撮像した追加チャート撮像画像を撮影情報とともに送信することを示している。
【０２６３】
ここで、追加チャート発行部１０７Ａは、商品を購入した顧客の色変換情報を、顧客データベース１２Ａにおける色変換情報一覧テーブルから読み出す。
また、追加チャート発行部１０７Ａは、顧客が購入した商品の商品情報（商品の色特性情報）を、ＥＣサイトデータベース１３Ａの商品色データテーブルから読み出す。
追加チャート発行部１０７Ａは、顧客に送付したチャートのチャート設計情報をチャート情報データベース１４Ａから読み出す。
【０２６４】
ステップＦ３０３：
そして、追加チャート発行部１０７Ａは、追加チャートを作成する際、チャートに追加する色を、チャート情報データベース１４Ａの追加チャート設計テーブルから抽出する。
すなわち、追加チャート発行部１０７Ａは、追加チャート設計テーブルにおいて、色変換情報、チャートにおいて色票として利用した色特性情報、照明環境の光源の種別（種類）、商品の色特性情報を含む商品の属性情報などの検索条件と最も類似する追加色検索情報を検索する。
そして、追加チャート発行部１０７Ａは、検索された追加色検索情報に対応する追加チャート設計情報を読み出す。
【０２６５】
これにより、追加チャート発行部１０７Ａは、読み出した追加チャート設計情報に対応して、チャートにおける色票を入れ替えて追加チャートにおける色票の組合せの設計を行う。
このとき、追加チャートの設計に対して、顧客の比較結果、顧客の撮像環境における光源メタメリズム、あるいは顧客またはカメラ（撮像装置）における観察者メタメリズムを反映させるようにしてもよい。
また、カメラにおけるレンズの前面にフィルタ（透過波長を変更するフィルタ）を配置したり、異なる観察感度のカメラで撮影したりするマルチバンド撮影と同様の効果が得られるように、例えば、チャートの一部の色票にフィルタの透過率やカメラ感度の違いを反映させて設計してもよい。
そして、運営会社Ａは、発行された追加チャートにおける色票の組合せの設計の情報に対応して、追加チャートを製造（例えば、紙媒体などに印刷）して、追加チャートを製造して発行する。
【０２６６】
ステップＦ３０４：
そして、追加チャート発行部１０７Ａは、生成した追加チャートの情報を、チャート識別情報を付与して、チャート情報データベース１４Ａの追加チャートテーブルに書き込んで記憶させる。
【０２６７】
ステップＦ３０５：
そして、運営会社Ａは、製造した追加チャートを、ＥＣサイトが発送する商品に、商品の販売に関する書類に印刷して同梱するか、または梱包材などを印刷媒体として印刷するか、あるいは直接に顧客に対して配送する。
また、ＥＣサイトは、色見本発行システム１Ａから供給される商品購入情報に対応して、顧客の指定した商品に対して上記追加チャート情報を添付して、顧客の登録した住所に対して配送する。
【０２６８】
ステップＦ３０６：
顧客は、商品とともに追加チャートが配送されてきた際、商品に添付されている追加チャート情報を参照する。
そして、顧客は、追加チャート情報の指示に対応して、商品を観察する観察環境において、撮像装置により追加チャートの撮像を行い、追加チャート撮像画像を取得する。
【０２６９】
ステップＦ３０７：
そして、顧客は、カラーマネージメント管理センター（色見本発行システム１Ａ）に対してアクセスし、配送された追加チャートを撮像した追加チャート撮像画像のデータと、撮像した際の撮影情報とを、カラーマネージメント管理センターに対して送信する。
【０２７０】
ステップＦ３０８：
データ入出力部１０１Ａは、追加チャート撮像画像のデータ及び撮影情報とが顧客端末３から供給された場合、追加チャート撮像画像のデータを撮像画像取得部１０３Ａに対して出力する。
また、データ入出力部１０１Ａは、顧客端末３から供給された撮影情報を、機器情報取得部１０４Ａ及び色変換情報演算部１０５Ａに対して出力する。
そして、撮像画像取得部１０３Ａは、ユーザ識別情報に対応させて、追加チャート撮像画像のデータを顧客データベース１２Ａに書き込み、この書き込んだ領域のアドレスを顧客データベース１２Ａの色変換情報一覧テーブルに対して書き込んで記憶させる。
【０２７１】
機器情報取得部１０４Ａは、撮影情報に含まれる機器特定情報に対応するカメラ特性を、機器情報データベース１５Ａの機器情報テーブルから検索して読み出す。
そして、機器情報取得部１０４Ａは、読み出したカメラ特性を、上記色変換情報一覧テーブルのカメラ特性の欄に書き込んで記憶させる。
【０２７２】
そして、色変換情報演算部１０５Ａは、チャート撮像画像及び追加チャート撮像画像と、チャートの色特性情報及び追加チャートの色特性情報と、撮影情報とを用いて、色変換情報の再演算を行ない、新たに求められた色変換情報により、既存の色変換情報の更新を行なう。
このとき、色変換情報における更新は、多項式による数値計算、多次元関数を用いたモデル関数の係数調整などのアルゴリズムの調整に基づく更新処理、あるいはＡＩ（例えば、機械学習）によるモデルの更新などの手法を用いても良い。
そして、色変換情報演算部１０５Ａは、上述の手法により新たに求めた色変換情報を、顧客データベース１２Ａにおける色変換情報一覧テーブルの既存の色変換情報に上書きして記憶させることで更新を行なう。
また、色変換情報演算部１０５Ａは、求めた手法や係数などの情報を、サイト色変換情報一覧テーブルに対して、この情報に対応させたアルゴリズム識別情報とともに書き込んで記憶させる。
【０２７３】
また、顧客が購入した商品と追加チャートとを同時に撮像し、商品と追加チャートとが一緒に撮像された撮像画像を色見本発行システム１Ａに対して送信する構成としてもよい。
この場合、色変換情報演算部１０５Ａは、商品撮像画像（チャート撮像画像の一例）と、商品の色特性情報と、撮影情報とを、上記追加チャートから得られる情報に加えて、色変換情報の再演算を行なう構成としてもよい。
また、商品販売サーバ１６Ａは、ＥＣサイトサーバ２に設けられた構成としてもよい。商品販売サーバ１６Ａは、顧客端末３から供給される商品特定情報（商品識別情報など）を、顧客識別情報とともに、色見本発行システム１Ａに対して、商品閲覧情報や商品購入情報として送信する。
【０２７４】
以下、図面を参照して、処理Ｆ２１、処理Ｆ２２、処理Ｆ２３及び処理Ｆ２４の各々の処理の流れにおける色見本発行システム１Ａの動作を含む、本実施形態におけるカラーマネージメントの管理を順次説明する。
＜処理Ｆ２１のサイト色変換情報生成の例＞
図３４は、色見本発行システム１Ａを用いたサイト色変換情報生成の処理の流れを示すシーケンス図である。図においては、顧客データベース１２Ａ、ＥＣサイトデータベース１３Ａ、チャート情報データベース１４Ａ及び機器情報データベース１５Ａの各々を、各データベース（１２Ａ、１３Ａ、１４Ａ、１５Ａ）として記述して説明する。
【０２７５】
ステップＦ４０１：
ＥＣサイトの担当者は、ＥＣサイトサーバ２により、色見本発行サイト（すなわち、色見本発行サーバ１０Ａ）にアクセスし、例えば、ＥＣサイト識別情報によりログインして、ＥＣサイトの観察環境の環境情報の登録処理を依頼する。
これにより、データ入出力部１０１Ａは、アクセスした際のＥＣサイト識別情報により、ＥＣサイトデータベース１３ＡのＥＣサイトテーブルを検索して、登録されているいずれのＥＣサイトであるかの確認を行なう。
【０２７６】
ステップＦ４０２：
チャート発行部１０２Ａは、このＥＣサイトのＥＣサイト属性情報を読み出し、読み出したＥＣサイト属性情報により、チャート情報データベース１４Ａのチャートテーブルを検索する。
そして、チャート発行部１０２Ａは、このＥＣサイト属性情報に最も類似するチャート検索情報を抽出し、抽出されたチャート検索情報に対応するチャート画像インデックスを読み出す。
チャート発行部１０２Ａは、チャート画像インデックスにより、チャート情報データベース１４Ａからチャート画像を読出し、チャートとして発行する。
また、チャート発行部１０２Ａは、ＥＣサイトの販売する商品群の商品画像に対応したチャートとして、例えばＥＣサイトに予め設定されているチャートを、チャート情報データベース１４Ａのチャート情報テーブルから抽出して発行する構成としてもよい。
運営会社Ａは、チャート発行部１０２Ａがチャートテーブルから発行したチャートを、ＥＣサイトの運営会社Ｂの住所に対して配送（あるいは郵送）する。
【０２７７】
ステップＦ４０３：
ＥＣサイトの担当者は、ＥＣサイトにおいて顧客に閲覧させる商品表示画像を作成するために、商品を撮像するであろう撮像環境、例えば運営会社Ｂのスタジオなどの所定の位置において、運営会社Ａから供給されたチャートの撮像を行なう。
【０２７８】
ステップＦ４０４：
そして、ＥＣサイトの担当者は、チャートを撮像したチャート撮像画像と、撮像における撮影情報と、当該ＥＣサイトのＥＣサイト識別情報とを、ＥＣサイトサーバ２によりカラーマネージメント管理センター（色見本発行システム１Ａ）に対して送信する。
【０２７９】
ステップＦ４０５：
データ入出力部１０１Ａは、ＥＣサイトサーバ２から供給されたチャート撮像画像を撮像画像取得部１０３Ａに対して出力する。
また、データ入出力部１０１Ａは、ＥＣサイトサーバ２から供給された撮影情報を、機器情報取得部１０４Ａ及び色変換情報演算部１０５Ａに対して出力する。
【０２８０】
そして、撮像画像取得部１０３Ａは、チャート撮像画像のデータをＥＣサイトデータベース１３Ａに書き込む。
また、撮像画像取得部１０３Ａは、書き込んだ書込領域のアドレスを、サイト識別情報に対応したサイト色変換情報一覧インデックスの示すサイト色変換情報一覧テーブルのチャート撮像画像インデックスに書き込んで記憶させる。
【０２８１】
機器情報取得部１０４Ａは、撮影情報に含まれる機器特定情報に対応するカメラ特性を、機器情報データベース１５Ａの機器情報テーブルから検索して読み出す。
そして、機器情報取得部１０４Ａは、読み出したカメラ特性を、上記サイト色変換情報一覧テーブルのカメラ特性の欄に書き込んで記憶させる。
【０２８２】
ステップＦ４０６：
色変換情報演算部１０５Ａは、ＥＣサイト識別情報に対応して、チャート撮像画像とチャート識別情報との各々をサイト色変換情報一覧テーブルから読み出す。
そして、色変換情報演算部１０５Ａは、読み出したチャート識別情報により、チャート情報データベース１４Ａのチャートテーブルから、ＥＣサイトに送付したチャート設計情報インデックスを読み出す。色変換情報演算部１０５Ａは、このチャート設計情報インデックスの示す記憶領域から、チャートの色特性情報を読み出す。
また、色変換情報演算部１０５Ａは、ＥＣサイト識別情報に対応して、サイト色変換情報一覧テーブルからカメラ特性を読み出す。
【０２８３】
ステップＦ４０７：
色変換情報演算部１０５Ａは、上記チャート撮像画像と、カメラ特性と、チャートの色特性情報とにより、サイト色変換情報を演算して求める。
このサイト色変換情報は、色特性情報を、登録したＥＣサイトの撮像環境において取得される測色値に変換する情報である。
また、照明環境推定部１０６Ａは、チャートから求められたサイト色変換情報から、撮像環境における光源の種類を推定する。
【０２８４】
ステップＦ４０８：
色変換情報演算部１０５Ａは、求めたサイト色変換情報を、ＥＣサイト識別情報に対応させて、サイト色変換情報一覧テーブルに書き込んで記憶させる。
このサイト色変換情報をサイト色変換情報一覧テーブルに書き込む際に、色変換情報演算部１０５Ａは、チャート撮像画像を撮像した時刻を撮影情報に含まれる日時情報から抽出し、求めた色変換情報に対して対応する時間範囲（朝時間範囲、昼時間範囲、夜時間範囲）を仕様データの欄に書き込んで記憶させる。さらに、ＧＰＳ情報やＥＣサイト指定情報等に基づく位置情報などの撮影情報に含まれる情報を記録させてもよい。
【０２８５】
また、上記説明において、チャートを配送してＥＣサイトに提供する場合に説明しているが、カラーマネージメント管理センターの登録証（登録カード）の表あるいは裏に、サイト色変換情報を求めるチャートと、このチャートに隣接してチャート識別情報及びＥＣサイト識別情報とを予め印刷しておき、ＥＣサイトにチャートを撮像する際に、チャート識別情報及びＥＣサイト識別情報をチャートと同時に撮像させるように構成しても良い。
【０２８６】
また、カラーマネージメント管理センターに登録した際（ＥＣサイト登録の時点において）、カラーマネージメント管理センターを運営する運営会社Ａが、カラーマネージメントの管理方法に対する説明などを配送する際、チャートを同封したり、説明を配送する封書や納品書、宛名、梱包材などに直接に上述したチャート識別情報及びＥＣサイト識別情報（文字情報あるいは図形情報）を印刷しておいても良い。さらに、それらチャート識別情報及びＥＣサイト識別情報（文字情報あるいは図形情報）が着色されており、撮像することで色変換情報の取得に利用してもよい。
また、本実施形態においては、チャートがＥＣサイトにおける商品の撮像環境（物品を撮像する時間範囲や、撮像する場所の情報など）に基づいて、チャートを送付するＥＣサイトと異なる、撮像環境が類似した他ＥＣサイトのサイト色変換情報を用いて、当該ＥＣサイトに送付するチャートを作成しても良い。
【０２８７】
＜処理Ｆ２２の商品画像の色変換と表示の例＞
図３５は、色見本発行システム１Ａを用いた商品画像の色変換と表示の処理の流れを示すシーケンス図である。図においては、顧客データベース１２Ａ，ＥＣサイトデータベース１３Ａ、チャート情報データベース１４Ａ及び機器情報データベース１５Ａの各々を、各データベース（１２Ａ、１３Ａ、１４Ａ、１５Ａ）として記述して説明する。
【０２８８】
ステップＦ５０１：
ＥＣサイトの担当者は、ＥＣサイトサーバ２により、カラーマネージメント管理センターにアクセスし、例えば、ＥＣサイト識別情報によりログインして、自身が登録した商品の商品画像の閲覧を依頼する。
これにより、データ入出力部１０１Ａは、アクセスした際のＥＣサイト識別情報により、ＥＣサイトデータベース１３ＡのＥＣサイトテーブルを検索して、ログインしたのがいずれのＥＣサイトであるかの確認を行なう。
【０２８９】
ステップＦ５０２：
推定画像生成サーバ１１Ａは、商品表示画像を生成する際に用いるサイト色変換情報を得るため、ＥＣサイト識別情報によりＥＣサイトデータベース１３ＡのＥＣサイトテーブルを検索し、アクセスしたＥＣサイトのサイト色変換情報一覧テーブルを抽出する。
【０２９０】
ステップＦ５０３：
そして、推定画像生成サーバ１１Ａは、サイト色変換情報をＥＣサイトの担当者に選択させる表示として、サイト色変換情報一覧テーブルの仕様データの一覧を、ＥＣサイトサーバ２の表示画面に表示させる。
表示としては、「朝時間範囲」、「昼時間範囲」、「夜時間範囲」及び「プリセットサイト色変換情報（一般的なオフィス、晴天の屋外など）」など、観察環境における観察の状態を示す文字列が用いられる。
【０２９１】
ステップＦ５０４：
ＥＣサイトの担当者は、ＥＣサイトサーバ２の表示画面の仕様データの一覧から、自身が実物の商品を観察する観察環境に対応した状態を選択する。
このとき、例えば、商品の観察を午前１０時に行う場合、観察環境で観察する時間が朝時間範囲に含まれる。このため、ＥＣサイトの担当者は、ＥＣサイトサーバ２の表示画面の仕様データの一覧から、朝時間範囲を選択する。
また、観察を午後８時ぐらいに行う場合、観察環境で観察する時間が夜時間範囲に含まれる。このため、ＥＣサイトの担当者は、ＥＣサイトサーバ２の表示画面の仕様データの一覧から、夜時間範囲を選択する。一方、観察する場所がその商品の撮像環境と異なり、スタジオでなくオフィスである場合、ＥＣサイトの担当者は、ＥＣサイトサーバ２の表示画面の仕様データの一覧から、プリセットサイト色変換情報を選択する。
【０２９２】
ステップＦ５０５：
ＥＣサイトサーバ２は、ＥＣサイトの担当者が選択した観察の状態、例えば、「朝時間範囲」、「昼時間範囲」、「夜時間範囲」、「オフィス」、「レストラン」、「プリセット色変換情報」の中の選択された文字列を情報として、色見本発行システム１Ａに対して送信する。
このとき、ＥＣサイトサーバ２は、表示画面を表示するディスプレイを特定する機器特定情報（デバイス情報）を、上記文字列の情報とともに、色見本発行システム１Ａに対して送信する。
【０２９３】
ステップＦ５０６：
データ入出力部１０１Ａは、ＥＣサイトサーバ２から供給される機器特定情報を、機器情報取得部１０４Ａに対して出力する。
機器情報取得部１０４Ａは、機器特定情報であるデバイス情報に対応するディスプレイ特性を、機器情報データベース１５Ａの機器情報テーブルから検索して読み出す。
また、機器情報取得部１０４Ａは、読み出したディスプレイ特性を、上記サイト色変換情報一覧テーブルのディスプレイ特性の欄に書き込んで記憶させる。
【０２９４】
ステップＦ５０７：
次に、推定画像生成サーバ１１Ａは、ＥＣサイト識別情報に対応してＥＣサイトデータベース１３ＡのＥＣサイトデータテーブルから、ディスプレイ特性を読み出す。
また、推定画像生成サーバ１１Ａは、ＥＣサイトの担当者が選択したサイト色変換情報（商品の観察の状態や、商品の属性に対応して生成されたサイト色変換情報）を、サイト色変換情報一覧テーブルから読み出す。
推定画像生成サーバ１１Ａは、ＥＣサイトデータベース１３Ａの商品色データテーブルから、ＥＣサイトの担当者の観察する商品各々の商品色情報を読み出す。
【０２９５】
ステップＦ５０８：
そして、推定画像生成サーバ１１Ａは、商品色情報の規定観察環境における測色値を、サイト色変換情報により、ＥＣサイトの担当者の観察環境における測色値に変換し、かつディスプレイ特性に対応させて商品表示画像のデータを生成する。
【０２９６】
ステップＦ５０９：
推定画像生成サーバ１１Ａは、生成した商品表示画像のデータを、データ入出力部１０１Ａを介して、ＥＣサイトサーバ２に対して送信する。
これにより、ＥＣサイトの担当者は、自身の観察環境で実物の商品を観察した場合と同様の色により、ＥＣサイトサーバ２の表示画面で商品画像を視認することができる。
このとき、ステップＦ２０９における処理と同様に、ＥＣサイトの担当者は、観察している商品の実物と、ＥＣサイトサーバ２の表示画面に表示された商品画像との各々を観察してそれぞれの視認される色を比較して比較結果を、カラーマネージメント管理センターに送信する構成としてもよい。
【０２９７】
＜処理Ｆ２３及びＦ２４の追加チャート発行及び色変換情報更新の例＞
図３６は、色見本発行システム１Ａを用いたサイト色変換情報更新のための追加チャート発行の処理の流れを示すシーケンス図である。図においては、顧客データベース１２Ａ、ＥＣサイトデータベース１３Ａ、チャート情報データベース１４Ａ及び機器情報データベース１５Ａの各々を、各データベース（１２Ａ、１３Ａ、１４Ａ、１５Ａ）として記述して説明する。
【０２９８】
ステップＦ６０１：
ＥＣサイトの担当者は、ステップＦ５０９における表示商品画像で視認される色と、撮像環境における実物で視認される色とが異なる場合、ＥＣサイトサーバ２によりカラーマネージメント管理センターにアクセスし、サイト色変換情報の更新の依頼処理を行う。
そして、ＥＣサイトサーバ２は、ＥＣサイト識別情報を付加したサイト色変換情報の更新を依頼する依頼情報を色見本発行システム１Ａに送信する。
これにより、色見本発行システム１Ａにおいて、追加チャート発行部１０７Ａは、ＥＣサイトサーバ２からの依頼情報からＥＣサイト識別情報を抽出し、このＥＣサイトのサイト色変換情報の変更処理を行う。
【０２９９】
ステップＦ６０２：
データ入出力部１０１Ａは、ＥＣサイトのサイト色変換情報の変更依頼を受信した場合、このＥＣサイトのＥＣサイト識別情報とともに、追加チャートの作成依頼を追加チャート発行部１０７Ａに出力する。
これにより、追加チャート発行部１０７Ａは、供給されたＥＣサイト識別情報に対応するサイト色変換情報を、ＥＣサイトデータベース１３Ａにおけるサイト色変換情報一覧テーブルから読み出す。
また、追加チャート発行部１０７Ａは、ＥＣサイトが示す商品の商品情報（商品の色特性情報）を、ＥＣサイトデータベース１３Ａの商品色データテーブルから読み出す。
追加チャート発行部１０７Ａは、ＥＣサイトに送付したチャートのチャート設計情報をチャート情報データベース１４Ａから読み出す。
【０３００】
ステップＦ６０３：
そして、追加チャート発行部１０７Ａは、追加チャートを作成する際、チャートに追加する色を、チャート情報データベース１４Ａの追加チャート設計テーブルから抽出する。
すなわち、追加チャート発行部１０７Ａは、追加チャート設計テーブルにおいて、サイト色変換情報、チャートにおいて色票として利用した色特性情報、照明環境の光源の種別（種類）、商品の色特性情報などの検索条件と最も類似する追加色検索情報を検索する。
そして、追加チャート発行部１０７Ａは、検索された追加色検索情報に対応する追加チャート設計情報を読み出す。
【０３０１】
これにより、追加チャート発行部１０７Ａは、読み出した追加チャート設計情報に対応して、チャートにおける色票を入れ替えて追加チャートにおける色票の組合せの設計を行う。
このとき、追加チャートの設計に対して、ＥＣサイトの担当者の比較結果、ＥＣサイトにおける撮像環境における光源メタメリズム、あるいはＥＣサイトの担当者またはカメラの観察者メタメリズムを反映させるようにしてもよい。
そして、運営会社Ａは、発行された追加チャートにおける色票の組合せの設計の情報に対応して、追加チャートを製造（例えば、紙媒体などに印刷）して、追加チャートを製造して発行する。
また、カメラにおけるレンズの前面にフィルタ（透過波長を変更するフィルタ）を配置したり、異なる観察感度のカメラで撮影したりするマルチバンド撮影と同様の効果が得られるように、例えば、チャートの一部の色票にフィルタの透過率やカメラ感度の違いを反映させて設計してもよい。
【０３０２】
ステップＦ６０４：
そして、追加チャート発行部１０７Ａは、生成した追加チャートの情報を、チャート識別情報を付与して、チャート情報データベース１４Ａの追加チャートテーブルに書き込んで記憶させる。
【０３０３】
ステップＦ６０５：
そして、運営会社Ａは、製造した追加チャートを、ＥＣサイトの担当者の登録した住所に対して配送する。
【０３０４】
ステップＦ６０６：
ＥＣサイトの担当者は、追加チャートが配送されてきた際、追加チャート情報を参照する。
そして、ＥＣサイトの担当者は、追加チャート情報の指示に対応して、商品を撮像する観察環境において、撮像装置により追加チャートの撮像を行い、追加チャート撮像画像を取得する。
【０３０５】
ステップＦ６０７：
そして、ＥＣサイトの担当者は、カラーマネージメント管理センター（色見本発行システム１Ａ）に対してアクセスし、配送された追加チャートを撮像した追加チャート撮像画像のデータと、撮像した際の撮影情報とを、カラーマネージメント管理センターに対して送信する。
【０３０６】
ステップＦ６０８：
データ入出力部１０１Ａは、追加チャート撮像画像のデータ及び撮影情報とがＥＣサイトサーバ２から供給された場合、追加チャート撮像画像のデータを撮像画像取得部１０３Ａに対して出力する。
また、データ入出力部１０１Ａは、ＥＣサイトサーバ２から供給された撮影情報を、機器情報取得部１０４Ａ及び色変換情報演算部１０５Ａに対して出力する。
そして、撮像画像取得部１０３Ａは、ＥＣサイト識別情報に対応させて、追加チャート撮像画像のデータをＥＣサイトデータベース１３Ａに書き込み、この書き込んだ領域のアドレスをＥＣサイトデータベース１３Ａのサイト色変換情報一覧テーブルに対して書き込んで記憶させる。
【０３０７】
機器情報取得部１０４Ａは、撮影情報に含まれる機器特定情報に対応するカメラ特性を、機器情報データベース１５Ａの機器情報テーブルから検索して読み出す。
そして、機器情報取得部１０４Ａは、読み出したカメラ特性を、上記ＥＣサイトテーブルのカメラ特性の欄に書き込んで記憶させる。
【０３０８】
そして、色変換情報演算部１０５Ａは、チャート撮像画像及び追加チャート撮像画像と、チャートの色特性情報及び追加チャートの色特性情報と、比較結果、撮影情報とを用いて、サイト色変換情報の再演算を行ない、新たに求められたサイト色変換情報により、既存のサイト色変換情報の更新を行なう。
このとき、サイト色変換情報における更新は、多項式による数値計算、多次元関数を用いたモデル関数の係数調整などのアルゴリズムの調整に基づく更新処理、あるいはＡＩ（例えば、機械学習）によるモデルの更新などの手法を用いても良い。
そして、色変換情報演算部１０５Ａは、上述の手法により新たに求めたサイト色変換情報を、ＥＣサイトデータベース１３Ａにおけるサイト色変換情報一覧テーブルの既存のサイト色変換情報に上書きして記憶させることで更新を行なう。
【０３０９】
また、ＥＣサイトの担当者が観察する商品と追加チャートとを同時に撮像し、商品と追加チャートとが一緒に撮像された撮像画像を色見本発行システム１Ａに対して送信する構成としてもよい。
この場合、色変換情報演算部１０５Ａは、商品撮像画像（チャート撮像画像の一例）と、商品の色特性情報と、撮影情報とを、上記追加チャートから得られる情報に加えて、サイト色変換情報の再演算を行なう構成としてもよい。
【０３１０】
上述したように、本実施形態によれば、チャートにより得られたチャートの色特性情報、色変換情報（サイト色変換情報も含む）及び比較結果などに基づいて、より照明環境（撮像環境及び観察環境）の情報を取得可能な追加チャートを生成することができるため、ＥＣサイトにおける商品を撮像する撮像環境、顧客が商品を観察する観察環境の各々における光源の情報が取得でき、撮像環境で商品を撮像した撮像画像から色特性情報を取得するサイト色変換情報と、この色特性情報を商品を観察する観察環境の色画像に変換する色変換情報とを高い精度で取得することができる。
このため、本実施形態によれば、取得したサイト色変換情報により、ＥＣサイトで商品を撮像した撮像画像から高い精度で色特性情報を得ることができ、この色特性情報を顧客の観察環境に対応した色変換情報を用いて商品表示画像を生成することができ、商品表示画像と、顧客の観察環境で視認する商品との色を同様に視認することができる。
【０３１１】
＜第３の実施形態＞
以下、本発明の第３の実施形態について、図面を参照して説明する。本実施形態において、色見本（第１色見本であるチャート、第２色見本である追加チャート）と、色見本情報（第１色見本情報であるチャート情報、第２色見本情報である追加チャート情報）の定義については、第１の実施形態と同様である。
図３７は、本発明の第３の実施形態による色見本発行システム（色変換情報システム、以下、単に色見本発行システムと示す）を用いたカラーマネージメントシステムの構成例を示すブロック図である。図３７において、カラーマネージメントシステムは、色見本発行システム（色変換情報生成システム）１Ｂ、病院サーバ４及び患者端末５の各々がインターネットを含むネットワーク５００により相互に接続されて構成されている。記憶部４＿１には、病院サーバ４が備えられた病院において遠隔医療により診断及び治療を受ける患者の電子カルテ（患者の患部を撮像した患部撮像画像や診断結果など）が記憶されている。
【０３１２】
本実施形態において、ユーザは、例えば、遠隔医療を行う病院の医師（医師以外の病院関係者なども含まれる）と、この病院の遠隔医療における治療及び診断を受ける患者（患者以外の人間も含まれる）との各々である。また、撮像対象の物体は遠隔医療を利用する患者の患部（例えば、肌における湿疹、あざ、できものなどの部位）などである。
このため、カラーマネージメント管理センターは、例えば、遠隔医療管理を行う運営会社Ａに設けられており、各患者の患部の患部画像を、病院サーバ４の各々の表示画面に対し、医師が患部を観察する観察環境（照明環境であり、例えば、医師の観察する場所の光源下）で観察した際、実物の患部の色と同様に視認できる表示色により表示させ、正確に患部の病態を医師に提供することで患者の遠隔医療の支援を行なう。
【０３１３】
本実施形態における撮像対象の物体は、遠隔医療を行う病院の医師が診断を行う患者の身体の一部、または全体である。特に、患者の肌は、病態によって色が異なり、医師の診察や診断において周囲の肌の色との違いが重要な判定条件となる。このため、病院サーバ４の表示画面において視認される表示色と、医師の観察環境の特性（上記照明環境の照明である光源の特性、例えば分光放射輝度特性）において視認される実物の色とが異なる場合、医師が正確な診断を行う妨げとなるため、病院サーバ４の表示画面に表示される患者の患部の画像（後述する患部表示画像）の表示色の調整は重要である。
【０３１４】
色見本発行システム１Ｂは、色見本発行サーバ１０Ａ、推定画像生成サーバ１１Ａ、患者データベース１２Ｂ、病院データベース１３Ｂ、チャート情報データベース１４Ａ及び機器情報データベース１５Ａを備えている。
色見本発行システム１Ｂは、患者の各々がそれぞれの撮像環境において撮像して提供する患部の画像を、医師が自身の観察環境において当該患部の実物の色として視認できる患部表示画像に変換する色変換情報（病院色変換情報を含む）、あるいは患部の色を正確に伝搬する色特性情報を得るためのチャート及び追加チャートを生成し、ユーザ（患者あるいは医師）に対して発行する。
以下、第１の実施形態と異なる構成及び動作について説明する。本実施形態において、ユーザ属性情報は、患者属性情報及び病院属性情報がある。
【０３１５】
図３８は、患者データベース１２Ｂにおける患者データテーブルの構成例を示す図である。患者データテーブルは、病院毎に設けられており、例えば、レコード毎に、患者識別情報に対応して、患者属性情報、色変換情報一覧インデックス、撮像画像評価インデックス、プリンタ特性、ディスプレイ特性、カメラ特性の各々の欄が設けられている。
患者識別情報は、患者の各々を個々に識別する情報である。患者属性情報は、患者識別情報が示す患者の属性情報であり、患者名、病名、照明環境の場所の種別、性別、年齢、住所、電話番号、メールアドレス、既往歴、職業、その環境における滞在時間帯などの情報である。ここで、照明環境の場所の種別とは、空間の広さ、窓の有無、部屋の壁、天井及び床などの色である。色変換情報一覧インデックス（図６参照）は、患者識別情報の示す患者の撮像環境における複数の異なる色変換情報と、プリセット色変換情報となどの患者が撮像する可能性のある照明環境に対応する色変換情報の各々の一覧情報である色変換情報一覧テーブルが記憶された領域を示すアドレスなどのインデックスである。
【０３１６】
撮像画像評価インデックスは、患者識別情報の示す患者の患部に対する、この患者の患部表示画像色の評価を示す患部色評価テーブルが記憶された領域を示すアドレスなどのインデックスである。プリンタ特性は、患者が患部画像や色見本を印刷するために用いるプリンタのＩＣＣプロファイル及びインクの分光情報（インク情報）などのプリンタ出力色情報と、患部画像を印刷する用紙の媒体情報となどを含む情報である。ディスプレイ特性は、例えば、ＩＣＣプロファイルや分光放射輝度あるいは三刺激値などの発光情報である。カメラ特性は、例えばカメラ（撮像装置）の分光感度情報である。このプリンタ特性、ディスプレイ特性及びカメラ特性の各々は、上述した機器情報取得部１０４Ａにより、患者データテーブルにおける対応する欄に書き込まれる（後述）。
色変換情報一覧インデックスの示す領域に記憶された色変換情報一覧テーブルは、第１の実施形態と同様の構成である。
【０３１７】
図３９は、患者データベース１２Ｂにおける撮像画像評価テーブルの構成例を示す図である。患者データベース１２Ｂには、撮像画像評価テーブルが書き込まれて記憶されている。この撮像画像評価テーブルは、患者毎に設けられており、レコード毎に、患部識別情報に対応して、この患部識別情報に対応する撮像画像の患部の色の評価（患部色評価）の欄が設けられている。患部識別情報は、患者の患部の各々を個々に識別する情報である。
色情報評価は、撮像した患部の色にする評価が記載され、例えば「適切」、「赤みが足りない」、後述のような患者による色調整結果、「色が異なるため再撮像」などの患者の撮像画像に対する対応などが示されている。
【０３１８】
図４０は、病院データベース１３Ｂにおける病院データテーブルの構成例を示す図である。病院データテーブルは、例えば、レコード毎に、病院識別情報に対応して、病院属性情報、病院色変換情報一覧インデックス、比較結果インデックス、プリンタ特性、ディスプレイ特性、カメラ特性の各々の欄が設けられている。病院識別情報は、病院の各々を個々に識別する情報である。病院属性情報は、病院識別情報が示す病院の属性情報であり、病院名、照明環境の場所の種別、診療種別、患者年齢帯、電話番号、メールアドレス、その照明環境における診察・診療時間帯などの情報である。ここで、照明環境の場所の種別とは、空間の広さ、窓の有無、部屋の壁、天井及び床などの色である。病院色変換情報一覧インデックスは、病院識別情報の示す病院の観察（診察・診断）環境における複数の異なる病院色変換情報と、プリセット色変換情報となどの病院の医師が利用可能な色変換情報の各々の一覧情報である病院色変換情報一覧テーブルが記憶された領域を示すアドレスなどのインデックスである。
【０３１９】
比較結果インデックスは、病院識別情報の示す病院の医師が観察環境において撮像した他の患者の患部の患部表示画像で視認される色と、この他の患者の患部の実物を観察して視認される色との比較結果の情報（色評価情報）が示されたファイルが記憶された、病院データベース１３Ｂの領域を示すアドレスなどのインデックスである。この比較結果としては、青色が弱いとか、赤が強いとかなどの、患部の実物と患部表示画像との視認される色の差異を示す情報、あるいは病院サーバ４のアプリケーションにより、患部表示画像の色調整をして、同様に視認されたときの色の調整量（色成分ＲＧＢの各成分の調整量）など、色の差分を示す情報であればいずれの手法を用いてもよい。プリンタ特性は、病院が患部画像や色見本を印刷するために用いるプリンタのＩＣＣプロファイル及びインクの分光情報などのプリンタ出力色情報と、患部画像を印刷する用紙の媒体情報となどを含む情報である。ディスプレイ特性は、例えば、ＩＣＣプロファイルや分光放射輝度あるいは三刺激値などの発光情報である。カメラ特性は、例えばカメラの分光感度情報である。このプリンタ特性、ディスプレイ特性及びカメラ特性の各々は、上述した機器情報取得部１０４Ａにより、病院データテーブルにおける対応する欄に書き込まれる（後述）。
【０３２０】
図４１は、病院データベース１３Ｂにおける患部色データテーブルの構成例を示す図である。
病院データベース１３Ｂには、患部色データテーブルが書き込まれて記憶されている。この患部色は、病院毎に設けられている。患部色データテーブルは、レコード毎において、患部識別情報に対応して、患部撮像画像インデックス、患部色情報インデックス及び患部情報インデックスの欄を備えている。患部識別情報は、患者の患部の各々を個々に識別する情報である。患部撮像画像インデックスは、各患者の撮像環境の光源下において撮像した撮像画像データが記憶されている、病院データベース１３Ｂにおける領域を示すアドレスなどのインデックスである。
【０３２１】
患部色情報インデックスは、患者の患部の分光画像、各画素の分光反射率を示す患部反射率画像あるいは規定観察環境における患部画像などの色特性情報データが記憶されている、病院データベース１３Ｂにおける領域を示すアドレスなどのインデックスである。患部情報インデックスは、患部の分光反射率や患部の部位の種類を示す情報が記憶されている、病院データベース１３Ｂにおける領域を示すアドレスなどのインデックスである。ここで、部位は、身体の位置の種類を示す属性情報であり、例えば、肌であれば腕部、足部、腹部、頭部などの種類であり、すでに述べたように、患部の部位の種類や診断するために医師が観察する患者の身体の部位によって、チャート、あるいは追加チャートの印刷媒体の素材や色特性情報の設計に用いたり、部位ごとに異なる色変換情報を用いて色変換を行なってもよい。
【０３２２】
図４２は、病院データベース１３Ｂにおける病院色変換情報一覧テーブルの構成例を示す図である。病院データベース１３Ｂには、病院色変換情報一覧テーブルが書き込まれて記憶されている。この病院色変換情報一覧テーブルは、病院単位に設けられており、レコード毎に、病院色変換情報識別情報に対応して、チャート撮像画像インデックス、追加チャート撮像画像インデックス、チャート識別情報、病院色変換情報、アルゴリズム識別情報及び仕様データの各々の欄が設けられている。
【０３２３】
病院色変換情報識別情報は、病院色変換情報の各々を個々に識別する情報である。チャート撮像画像インデックスは、データベースにおけるチャート（第１色見本）の撮像画像データが書き込まれて記憶されている領域を示すアドレスなどのインデックスである。ここで、チャート撮像画像のデータとして、このチャート撮像画像から抽出した画素の画素位置とこの画素位置の示す画素の画素値とのデータテーブルでも良い。
【０３２４】
追加チャート撮像画像インデックスは、病院データベース１３Ｂにおける追加チャート（第２色見本）の撮像画像データが書き込まれて記憶されている領域を示すアドレスなどのインデックスである。ここで、追加チャート撮像画像のデータとして、この追加チャート撮像画像から抽出した画素の画素位置とこの画素位置の示す画素の画素値とのデータテーブルでも良い。
チャート識別情報はチャートの識別情報であり、追加チャート識別情報は追加チャートの識別情報である。
【０３２５】
病院色変換情報は、病院がチャートあるいは追加チャートを撮像した環境における光源の分光放射輝度、あるいは三刺激値変換行列である。ここで、三刺激値変換行列は、規定観察環境（例えば、ＣＩＥ（国際照明委員会）_Ｄ５０と２度視野標準観測者の組み合わせ、あるいはＣＩＥ_Ｄ６５と１０度視野標準観測者の組み合わせ）の測色値から、病院が撮像した環境における光源の分光放射輝度と、撮像に用いたカメラのカメラ特性とによるデバイス値への変換（色変換）を行なう行列である。なお、この色変換は、病院が撮像した環境における光源の分光放射輝度と、撮像に用いたカメラのカメラ特性とによるデバイス値から、物品の分光反射率や環境が規定された測色値への逆変換も可能である。すなわち、病院色変換情報は、患部の分光反射率や、観察が規定された測色値である色特性情報と、病院の環境で観察される測色値との間の変換情報である。
アルゴリズム識別情報は、色変換情報演算部１０５Ａが色変換情報を算出した際に使用したアルゴリズムを識別する情報であり、医師の観察する身体の色特性情報や、患部の病状の属性、過去の類似症例、屋内外の照明情報などの条件に応じて選択した色変換情報演算アルゴリズムを識別する。
【０３２６】
仕様データは、病院色変換情報の仕様を示す情報である。仕様データとしては、対応する病院色変換情報の適用時間範囲を示す、朝時間範囲、昼時間範囲、夜時間範囲などの種別がある。朝時間範囲は、例えば、日の出の時刻から昼の１２時の時間範囲を示している。昼時間範囲は、例えば、昼の１２時過ぎから日の入りの時刻までの時間範囲を示している。また、仕様データは、病院の医師が患部の観察を行う場所情報を含んでいてもよく、病院の医師が患者の患部の診察を行う診察室などにおける病院色変換情報を特定できる。
また、夜時間範囲は、日の入りの時刻から日の出の時刻までを示している。プリセットされた病院色変換情報（プリセット病院色変換情報）は、各病院に対して共通の病院色変換情報であり、太陽光や一般的な診察室における光源の分光放射輝度、または環境が規定された色特性情報から、晴天の屋外や診察室において視認される測色値に変換する変換行列である。
また、追加チャートに関しては、第２追加チャート（第２色見本）以降の、第３追加チャート（第３色見本）から第ｎ追加チャート（第ｎ色見本）まで、第２追加チャートに関して行なう病院色変換情報取得に関する処理と同様な処理が行なわれる。
【０３２７】
以下、図面を参照して、第３の実施形態の処理Ｆ１１、処理Ｆ１２、処理Ｆ１３及び処理Ｆ１４の各々の処理の流れに対応した色見本発行システム１Ｂの動作を含む、本実施形態におけるカラーマネージメントの管理を順次説明する。
＜処理Ｆ１１に対応した患者の色変換情報生成の例＞
図４３は、色見本発行システム１Ｂを用いた患者の色変換情報生成の例の処理の流れを示すシーケンス図である。図においては、患者データベース１２Ｂ、病院データベース１３Ｂ、チャート情報データベース１４Ａ及び機器情報データベース１５Ａの各々を、各データベース（１２Ｂ、１３Ｂ、１４Ａ、１５Ａ）として記述して説明する。以下の処理において、患者が行うこととして記載してあるが、患者の家族あるいは看護を行っている他の人間が、患者の患部の撮像を含む処理を代行して行っても良い。
【０３２８】
ステップＦ１０１Ａ：
患者は、患者端末５により、カラーマネージメント管理センター（色見本発行システム１Ｂ）にアクセスし、例えば、患者識別情報によりログインして、患者の撮像環境の環境情報の登録処理を依頼する。
これにより、データ入出力部１０１Ａは、アクセスした際の患者識別情報により、患者データベース１２Ｂの患者テーブルを検索して、いずれの病院の遠隔医療のプログラムに登録している患者かの確認を行なう。
【０３２９】
ステップＦ１０２Ａ：
チャート発行部１０２Ａは、この患者の患者属性情報を読み出し、読み出した患者属性情報により、チャート情報データベース１４Ａのチャートテーブルを検索する。
そして、チャート発行部１０２Ａは、この患者属性情報に最も類似するチャート検索情報を抽出し、抽出されたチャート検索情報に対応するチャート画像インデックスを読み出す。
チャート発行部１０２Ａは、チャート画像インデックスにより、チャート情報データベース１４Ａからチャート画像を読出し、チャートとして発行する。
また、チャート発行部１０２Ａは、病院の診察・診断における患者群の患部の患部画像に対応したチャートとして、例えば病院に予め設定されている、患者からの病状の申告により推定される病状の属性（患部の部位、患部の病状など）に対応した類似症例のチャートを、チャート情報データベース１４Ａのチャート情報テーブルから抽出して発行する構成としてもよい。
運営会社Ａは、チャート発行部１０２Ａがチャートテーブルから発行したチャートを、患者の住所に対して配送（あるいは郵送）する。
【０３３０】
ステップＦ１０３Ａ：
患者は、自身が患部を撮像するであろう撮像環境、例えば患者端末５が備えられた部屋などの所定の位置において、運営会社Ａから供給されたチャートの撮像を行なう。
【０３３１】
ステップＦ１０４Ａ：
そして、患者は、チャートを撮像したチャート撮像画像と、撮像における撮影情報と、自身の患者識別情報とを、患者端末５によりカラーマネージメント管理センター（色見本発行システム１Ｂ）に対して送信する。
【０３３２】
ステップＦ１０５Ａ：
データ入出力部１０１Ａは、患者端末５から供給されたチャート撮像画像を撮像画像取得部１０３Ａに対して出力する。
また、データ入出力部１０１Ａは、患者端末５から供給された撮影情報を、機器情報取得部１０４Ａ及び色変換情報演算部１０５Ａに対して出力する。
【０３３３】
そして、撮像画像取得部１０３Ａは、チャート撮像画像のデータを患者データベース１２Ｂに書き込む。
また、撮像画像取得部１０３Ａは、書き込んだ書込領域のアドレスを、患者識別情報に対応した色変換情報一覧インデックスの示す色変換情報一覧テーブルのチャート撮像画像インデックスに書き込んで記憶させる。
【０３３４】
機器情報取得部１０４Ａは、撮影情報に含まれる機器特定情報に対応するカメラ特性を、機器情報データベース１５Ａの機器情報テーブルから検索して読み出す。
そして、機器情報取得部１０４Ａは、読み出したカメラ特性を、上記色変換情報一覧テーブルのカメラ特性の欄に書き込んで記憶させる。
【０３３５】
ステップＦ１０６Ａ：
色変換情報演算部１０５Ａは、患者識別情報に対応して、チャート撮像画像とチャート識別情報との各々を色変換情報一覧テーブルから読み出す。
そして、色変換情報演算部１０５Ａは、読み出したチャート識別情報により、チャート情報データベース１４Ａのチャートテーブルから、患者に送付したチャート設計情報インデックスを読み出す。色変換情報演算部１０５Ａは、このチャート設計情報インデックスの示す記憶領域から、チャートの色特性情報を読み出す。
また、色変換情報演算部１０５Ａは、患者識別情報に対応して、色変換情報一覧テーブルからカメラ特性を読み出す。
【０３３６】
ステップＦ１０７Ａ：
色変換情報演算部１０５Ａは、上記チャート撮像画像と、カメラ特性と、チャートの色特性情報とにより、色変換情報を演算して求める。
この色変換情報は、色特性情報を、登録した患者が患部を撮像する撮像環境において取得される測色値に変換する情報である。
また、照明環境推定部１０６Ａは、チャートから求められた色変換情報から、撮像環境における光源の種類を推定する。
【０３３７】
ステップＦ１０８Ａ：
色変換情報演算部１０５Ａは、求めた色変換情報を、患者識別情報に対応させて、色変換情報一覧テーブルに書き込んで記憶させる。
この色変換情報を色変換情報一覧テーブルに書き込む際に、色変換情報演算部１０５Ａは、チャート撮像画像を撮像した時刻を撮影情報に含まれる日時情報から抽出し、求めた色変換情報に対して対応する時間範囲（朝時間範囲、昼時間範囲、夜時間範囲）を仕様データの欄に書き込んで記憶させる。さらに、ＧＰＳ情報や患者指定情報等に基づく位置情報などの撮影情報に含まれる情報を記録させてもよい。
【０３３８】
また、上記説明において、チャートを配送して患者に提供する場合に説明しているが、病院における遠隔医療の登録証（診察券や登録カードも含む）の表あるいは裏に、色変換情報を求めるチャートと、このチャートに隣接してチャート識別情報及び患者識別情報とを予め印刷しておき、患者にチャートを撮像する際に、チャート識別情報及び患者識別情報をチャートと同時に撮像させるように構成しても良い。このチャート識別情報は、第１の実施形態と同様にバーコード、２次元コードなどを用いることができる。これにより、容易にチャートと患者とを関連付けることができる。さらに、チャート識別情報自体が着色されており、このチャート識別情報を撮像することにより、患者識別情報を用いての患者との関連付けだけでなく、同時に色変換情報の取得に利用してもよい。
【０３３９】
また、病院における遠隔医療に登録した際（患者登録の時点において）、カラーマネージメント管理センターを運営する運営会社Ａが、遠隔医療に関する説明書にチャートを印刷したり、遠隔医療に関する説明書などを配送する際、チャートを同封したり、説明書を配送する封書や納品書、宛名、梱包材などに直接に上述したチャート識別情報及び患者識別情報（文字情報あるいは図形情報）を印刷、あるいは所定の色票として用いるための色特性の色で着色しておいても良い。さらに、それらチャート識別情報及び患者識別情報（文字情報あるいは図形情報）が着色されており、撮像することで色変換情報の取得に利用してもよい。
【０３４０】
また、本実施形態においては、チャート設計情報により予め設計されたチャートを、患者の撮像環境における色変換情報の推定に用いている。しかしながら、このチャート以外に、チャート情報として、一般的に流通している商品のパッケージを撮像する指示を提供しても良い。患者はパッケージを撮像して、上述したステップＦ１０４Ａの処理と同様に、患者端末５からカラーマネージメント管理センターに送信する。汎用的なパッケージであれば、印刷された所定の領域の色特性情報が容易に得られるため、色変換情報が演算することが可能である。
また、本実施形態においては、患者の撮像環境（患部を撮像する時間範囲や、撮像する場所の情報など）に基づいて、チャートを送付する患者と異なる、撮像環境が類似した他患者の色変換情報を用いて、当該患者に送付するチャートを作成しても良い。
【０３４１】
＜処理Ｆ１２に対応した患者の患部画像の色変換と表示の例＞
図４４は、色見本発行システム１Ｂを用いた患者画像の色変換と表示の処理の流れを示すシーケンス図である。図においては、患者データベース１２Ｂ，病院データベース１３Ｂ、チャート情報データベース１４Ａ及び機器情報データベース１５Ａの各々を、各データベース（１２Ｂ、１３Ｂ、１４Ａ、１５Ａ）として記述して説明する。以下の処理において、患者が行うこととして記載してあるが、患者の家族あるいは看護を行っている他の人間が、患者の患部の撮像を含む処理を代行して行っても良い。
【０３４２】
ステップＦ２０１Ａ：
患者は、患者端末５により、カラーマネージメント管理センターにアクセスし、例えば、患者識別情報によりログインして、自身が登録した患部の患部画像の閲覧を依頼する。
これにより、データ入出力部１０１Ａは、アクセスした際の患者識別情報により、患者データベース１２Ｂの患者テーブルを検索して、ログインしたのがいずれの患者であるかの確認を行なう。
【０３４３】
ステップＦ２０２Ａ：
推定画像生成サーバ１１Ａは、患部表示画像を生成する際に用いる色変換情報を得るため、患者識別情報により患者データベース１２Ｂの患者テーブルを検索し、アクセスした患者の色変換情報一覧テーブルを抽出する。
【０３４４】
ステップＦ２０３Ａ：
そして、推定画像生成サーバ１１Ａは、色変換情報を患者に選択させる表示として、色変換情報一覧テーブルの仕様データの一覧を、患者端末５の表示画面に表示させる。
表示としては、「朝時間範囲」、「昼時間範囲」、「夜時間範囲」及び「プリセット色変換情報（一般的なオフィス、晴天の屋外など）」など、観察環境における観察の状態を示す文字列が用いられる。
【０３４５】
ステップＦ２０４Ａ：
患者は、患者端末５の表示画面の仕様データの一覧から、自身が患部を撮像する撮像環境に対応した状態を選択する。
このとき、例えば、患部の観察を午前１０時に行う場合、撮像環境で撮像する時間が朝時間範囲に含まれる。このため、患者は、患者端末５の表示画面の仕様データの一覧から、朝時間範囲を選択する。
また、撮像を午後８時ぐらいに行う場合、撮像環境で撮像する時間が夜時間範囲に含まれる。このため、患者は、患者端末５の表示画面の仕様データの一覧から、夜時間範囲を選択する。一方、観察する場所がその患部の撮像環境と異なり、自室でなく居間である場合、患者は、患者端末５の表示画面の仕様データの一覧から、プリセット色変換情報を選択する。
【０３４６】
ステップＦ２０５Ａ：
患者端末５は、患者が選択した撮像の状態、例えば、「朝時間範囲」、「昼時間範囲」、「夜時間範囲」、「オフィス」、「レストラン」、「プリセット色変換情報」の中の選択された文字列を情報として、色見本発行システム１Ｂに対して送信する。
このとき、患者端末５は、表示画面を表示するディスプレイを特定する機器特定情報（デバイス情報）を、上記文字列の情報とともに、色見本発行システム１Ｂに対して送信する。
【０３４７】
ステップＦ２０６Ａ：
データ入出力部１０１Ａは、患者端末５から供給される機器特定情報を、機器情報取得部１０４Ａに対して出力する。
機器情報取得部１０４Ａは、機器特定情報であるデバイス情報に対応するディスプレイ特性を、機器情報データベース１５Ａの機器情報テーブルから検索して読み出す。
また、機器情報取得部１０４Ａは、読み出したディスプレイ特性を、上記色変換情報一覧テーブルのディスプレイ特性の欄に書き込んで記憶させる。
【０３４８】
ステップＦ２０７Ａ：
次に、推定画像生成サーバ１１Ａは、患者識別情報に対応して患者データベース１２Ｂの患者データテーブルから、ディスプレイ特性を読み出す。
また、推定画像生成サーバ１１Ａは、患者が選択した色変換情報（患部の撮像の状態や患部に対応した色変換情報）を、色変換情報一覧テーブルから読み出す。
推定画像生成サーバ１１Ａは、病院データベース１３Ｂの患部色データテーブルから、患者の観察する患部の各々の患部色特性情報を読み出す。
【０３４９】
ステップＦ２０８Ａ：
そして、推定画像生成サーバ１１Ａは、患部色情報の規定観察環境における測色値を、色変換情報により、患者の撮像環境における測色値に変換し、かつディスプレイ特性に対応させて患部表示画像のデータを生成する。
【０３５０】
ステップＦ２０９Ａ：
推定画像生成サーバ１１Ａは、生成した患部表示画像のデータを、データ入出力部１０１Ａを介して、患者端末５に対して送信する。
これにより、患者は、自身の撮像環境で実物の患者の患部を観察した場合と同様の色により、患者端末５の表示画面で患部画像を視認することができる。
【０３５１】
＜処理Ｆ１３及びＦ１４に対応した患者への追加チャート発行及び色変換情報更新＞
図４５は、色見本発行システム１Ｂを用いた色変換情報更新のための追加チャート発行の処理の流れを示すシーケンス図である。図においては、患者データベース１２Ｂ，病院データベース１３Ｂ、チャート情報データベース１４Ａ及び機器情報データベース１５Ａの各々を、各データベース（１２Ｂ、１３Ｂ、１４Ａ、１５Ａ）として記述して説明する。以下の処理において、患者が行うこととして記載してあるが、患者の家族あるいは看護を行っている他の人間が、患者の患部の撮像を含む処理を代行して行っても良い。
【０３５２】
ステップＦ３０１Ａ：
患者は、ステップＦ２０９Ａにおける患部表示画像で視認される色と、撮像環境における実物の患部で視認される色とが異なる場合、患者端末５によりカラーマネージメント管理センターにアクセスし、色変換情報の更新の依頼処理を行う。
そして、患者端末５は、患者識別情報を付加した色変換情報の更新を依頼する依頼情報を色見本発行システム１Ｂに送信する。
これにより、色見本発行システム１Ｂにおいて、追加チャート発行部１０７Ａは、患者端末５からの依頼情報から患者識別情報を抽出し、この患者の色変換情報の変更処理を行う。
また、色変換情報の更新の依頼処理は、遠隔診断を行う医師が行っても良い。
【０３５３】
ステップＦ３０２Ａ：
データ入出力部１０１Ａは、患者の色変換情報の変更依頼を受信した場合、この患者の患者識別情報とともに、追加チャートの作成依頼を追加チャート発行部１０７Ａに出力する。
これにより、追加チャート発行部１０７Ａは、供給された患者識別情報に対応する色変換情報を、患者データベース１２Ｂにおける色変換情報一覧テーブルから読み出す。
また、追加チャート発行部１０７Ａは、患者が示す患部の患部色情報（患部の色特性情報）を、病院データベース１３Ｂの患部色データテーブルから読み出す。
追加チャート発行部１０７Ａは、患者に送付したチャートのチャート設計情報をチャート情報データベース１４Ａから読み出す。
【０３５４】
ステップＦ３０３Ａ：
そして、追加チャート発行部１０７Ａは、追加チャートを作成する際、チャートに追加する色を、チャート情報データベース１４Ａの追加チャート設計テーブルから抽出する。
すなわち、追加チャート発行部１０７Ａは、追加チャート設計テーブルにおいて、医師が観察する患者の身体の色変換情報、病院色変換情報、チャートにおいて色票として利用した色特性情報、照明環境の光源の種別（種類）、患者の患部の色特性情報、医師の診断結果、過去の類似症例などの検索条件と最も類似する追加色検索情報を検索する。
そして、追加チャート発行部１０７Ａは、検索された追加色検索情報に対応する追加チャート設計情報を読み出す。
【０３５５】
これにより、追加チャート発行部１０７Ａは、読み出した追加チャート設計情報に対応して、チャートにおける色票を入れ替えて追加チャートにおける色票の組合せの設計を行う。
このとき、追加チャートの設計に対して、患者の比較結果、患者の撮像環境における光源メタメリズム、あるいは患者またはカメラの観察者メタメリズムを反映させるようにしてもよい。
また、カメラにおけるレンズの前面にフィルタ（透過波長を変更するフィルタ）を配置したり、異なる観察感度のカメラで撮影したりするマルチバンド撮影と同様の効果が得られるように、例えば、チャートの一部の色票にフィルタの透過率やカメラ感度の違いを反映させて設計してもよい。
そして、運営会社Ａは、発行された追加チャートにおける色票の組合せの設計の情報に対応して、追加チャートを製造（例えば、紙媒体などに印刷）して、追加チャートを製造して発行する。
【０３５６】
ステップＦ３０４Ａ：
そして、追加チャート発行部１０７Ａは、生成した追加チャートの情報を、チャート識別情報を付与して、チャート情報データベース１４Ａの追加チャートテーブルに書き込んで記憶させる。
【０３５７】
ステップＦ３０５Ａ：
そして、運営会社Ａは、製造した追加チャート情報を、患者の登録した住所に対して配送する。
【０３５８】
ステップＦ３０６Ａ：
患者は、追加チャートが配送されてきた際、追加チャート情報を参照する。
そして、患者は、追加チャート情報の指示に対応して、自身の患部を撮像する撮像環境において、撮像装置により追加チャートの撮像を行い、追加チャート撮像画像を取得する。追加チャートの撮像自体は、撮像環境であれば患者でなく他の人間でもよい。
【０３５９】
ステップＦ３０７Ａ：
そして、患者は、カラーマネージメント管理センター（色見本発行システム１Ｂ）に対してアクセスし、配送された追加チャートを撮像した追加チャート撮像画像のデータと、撮像した際の撮影情報とを、カラーマネージメント管理センターに対して送信する。
【０３６０】
ステップＦ３０８Ａ：
データ入出力部１０１Ａは、追加チャート撮像画像のデータ及び撮影情報とが患者端末５から供給された場合、追加チャート撮像画像のデータを撮像画像取得部１０３Ａに対して出力する。
また、データ入出力部１０１Ａは、患者端末５から供給された撮影情報を、機器情報取得部１０４Ａ及び色変換情報演算部１０５Ａに対して出力する。
そして、撮像画像取得部１０３Ａは、患者識別情報に対応させて、追加チャート撮像画像のデータを患者データベース１２Ｂに書き込み、この書き込んだ領域のアドレスを患者データベース１２Ｂの色変換情報一覧テーブルに対して書き込んで記憶させる。
【０３６１】
機器情報取得部１０４Ａは、撮影情報に含まれる機器特定情報に対応するカメラ特性を、機器情報データベース１５Ａの機器情報テーブルから検索して読み出す。
そして、機器情報取得部１０４Ａは、読み出したカメラ特性を、上記色変換情報一覧テーブルのカメラ特性の欄に書き込んで記憶させる。
【０３６２】
そして、色変換情報演算部１０５Ａは、チャート撮像画像及び追加チャート撮像画像と、チャートの色特性情報及び追加チャートの色特性情報と、比較結果、撮影情報とを用いて、色変換情報の再演算を行ない、新たに求められた色変換情報により、既存の色変換情報の更新を行なう。
このとき、色変換情報における更新は、多項式による数値計算、多次元関数を用いたモデル関数の係数調整などのアルゴリズムの調整に基づく更新処理、あるいはＡＩ（例えば、機械学習）によるモデルの更新などの手法を用いても良い。
そして、色変換情報演算部１０５Ａは、上述の手法により新たに求めた色変換情報を、患者データベース１２Ｂにおける色変換情報一覧テーブルの既存の色変換情報に上書きして記憶させることで更新を行なう。
【０３６３】
また、患者が観察する患部と追加チャートとを同時に撮像し、患部と追加チャートとが一緒に撮像された撮像画像を色見本発行システム１Ｂに対して送信する構成としてもよい。
この場合、色変換情報演算部１０５Ａは、患部撮像画像（チャート撮像画像の一例）と、患者の患部の色特性情報と、撮影情報とを、上記追加チャートから得られる情報に加えて、色変換情報の再演算を行なう構成としてもよい。
また、追加チャートは、医師の診断結果を示すはがき、診察結果を示す診断書、この診断書を配送する際に用いる封筒などに印刷して、患者に提供されてもよい。
【０３６４】
以下、図面を参照して、処理Ｆ２１、処理Ｆ２２、処理Ｆ２３及び処理Ｆ２４の各々に対応する処理の流れにおける色見本発行システム１Ｂの動作を含む、本実施形態におけるカラーマネージメントの管理を順次説明する。
＜処理Ｆ２１に対応した病院の色変換情報生成の例＞
図４６は、色見本発行システム１Ｂを用いた病院の色変換情報生成の処理の流れを示すシーケンス図である。図においては、患者データベース１２Ｂ、病院データベース１３Ｂ、チャート情報データベース１４Ａ及び機器情報データベース１５Ａの各々を、各データベース（１２Ｂ、１３Ｂ、１４Ａ、１５Ａ）として記述して説明する。以下の説明として、病院の医師が行う処理として記載しているが、病院の職員、あるいはその処理を依頼した人間であれば誰でもよい。
【０３６５】
ステップＦ４０１Ａ：
病院の医師は、病院サーバ４により、カラーマネージメント管理センター（色見本発行システム１Ｂ）にアクセスし、例えば、病院識別情報によりログインして、病院の観察環境の環境情報の登録処理を依頼する。
これにより、データ入出力部１０１Ａは、アクセスした際の病院識別情報により、病院データベース１３Ｂの病院データテーブルを検索して、登録されているいずれの病院であるかの確認を行なう。
【０３６６】
ステップＦ４０２Ａ：
チャート発行部１０２Ａは、この病院の病院属性情報を読み出し、読み出した病院属性情報により、チャート情報データベース１４Ａのチャートテーブルを検索する。
そして、チャート発行部１０２Ａは、この病院属性情報に最も類似するチャート検索情報を抽出し、抽出されたチャート検索情報に対応するチャート画像インデックスを読み出す。
チャート発行部１０２Ａは、チャート画像インデックスにより、チャート情報データベース１４Ａからチャート画像を読出し、チャートとして発行する。
また、チャート発行部１０２Ａは、病院の診察科目の患部画像に対応したチャートとして、例えば撮像対象の患部に対して予め設定されているチャートを、チャート情報データベース１４Ａのチャート情報テーブルから抽出して発行する構成としてもよい。
運営会社Ａは、チャート発行部１０２Ａがチャートテーブルから発行したチャートを、登録されている病院の住所に対して配送（あるいは郵送）する。
【０３６７】
ステップＦ４０３Ａ：
病院の医師は、患者の患部を診察・診断する観察環境（照明環境）に対応して、患部表示画像を観察する色変換情報を得るために、例えば病院の診察室などの診察・診断を行う所定の位置において、運営会社Ａから供給されたチャートの撮像を行なう。
【０３６８】
ステップＦ４０４Ａ：
そして、病院の医師は、チャートを撮像したチャート撮像画像と、撮像における撮影情報と、当該病院の病院識別情報とを、病院サーバ４によりカラーマネージメント管理センター（色見本発行システム１Ｂ）に対して送信する。
【０３６９】
ステップＦ４０５Ａ：
データ入出力部１０１Ａは、病院サーバ４から供給されたチャート撮像画像を撮像画像取得部１０３Ａに対して出力する。
また、データ入出力部１０１Ａは、病院サーバ４から供給される撮影情報を、機器情報取得部１０４Ａ及び色変換情報演算部１０５Ａに対して出力する。
【０３７０】
そして、撮像画像取得部１０３Ａは、チャート撮像画像のデータを病院データベース１３Ｂに書き込む。
また、撮像画像取得部１０３Ａは、書き込んだ書込領域のアドレスを、病院識別情報に対応した病院色変換情報一覧インデックスの示す病院色変換情報一覧テーブルのチャート撮像画像インデックスに書き込んで記憶させる。
【０３７１】
機器情報取得部１０４Ａは、撮影情報に含まれる機器特定情報に対応するカメラ特性を、機器情報データベース１５Ａの機器情報テーブルから検索して読み出す。
そして、機器情報取得部１０４Ａは、読み出したカメラ特性を、上記病院色変換情報一覧テーブルのカメラ特性の欄に書き込んで記憶させる。
【０３７２】
ステップＦ４０６Ａ：
色変換情報演算部１０５Ａは、病院識別情報に対応して、チャート撮像画像とチャート識別情報との各々を、病院データベース１３Ｂの病院色変換情報一覧テーブルから読み出す。
そして、色変換情報演算部１０５Ａは、読み出したチャート識別情報により、チャート情報データベース１４Ａのチャートテーブルから、病院に送付したチャート設計情報インデックスを読み出す。色変換情報演算部１０５Ａは、このチャート設計情報インデックスの示す記憶領域から、チャートの色特性情報を読み出す。
また、色変換情報演算部１０５Ａは、病院識別情報に対応して、病院色変換情報一覧テーブルからカメラ特性を読み出す。
【０３７３】
ステップＦ４０７Ａ：
色変換情報演算部１０５Ａは、上記チャート撮像画像と、カメラ特性と、チャートの色特性情報とにより、病院色変換情報を演算して求める。
この病院色変換情報は、色特性情報を、登録した病院における患部の診察・診断を行う観察環境において視認される測色値に変換する情報である。
病院色変換情報の演算においては、患者毎や観察される症例（例えば、類似症例）毎に適した色変換情報を生成してもよい。この場合には、病院色変換情報の演算に使用する色変換のアルゴリズムや色票が選択されて用いられる。これにより、色変換の処理においては、患者識別情報の示す患者、あるいは類似症例に対して最適な色変換情報を使用することができる。
また、照明環境推定部１０６Ａは、チャートから求められた病院色変換情報から、診察・診断を行う観察環境における光源の種類を推定する。
【０３７４】
ステップＦ４０８Ａ：
色変換情報演算部１０５Ａは、求めた病院色変換情報を、病院識別情報に対応させて、病院色変換情報一覧テーブルに書き込んで記憶させる。
この病院色変換情報を病院色変換情報一覧テーブルに書き込む際に、色変換情報演算部１０５Ａは、チャート撮像画像を撮像した時刻を撮影情報に含まれる日時情報から抽出し、求めた色変換情報に対して対応する時間範囲（朝時間範囲、昼時間範囲、夜時間範囲）を仕様データの欄に書き込んで記憶させる。さらに、ＧＰＳ情報や病院指定情報等に基づく位置情報などの撮影情報に含まれる情報を記録させてもよい。
【０３７５】
また、上記説明において、チャートを配送して病院に提供する場合に説明しているが、カラーマネージメント管理センターの会員証（登録証や登録カードを含む）の表あるいは裏に、病院色変換情報を求めるチャートと、このチャートに隣接してチャート識別情報及び病院識別情報とを予め印刷しておき、病院がチャートを撮像する際に、チャート識別情報及び病院識別情報をチャートと同時に撮像させるように構成しても良い。
【０３７６】
また、カラーマネージメント管理センターに登録した際（病院登録の時点において）、カラーマネージメント管理センターを運営する運営会社Ａが、カラーマネージメントの管理方法に対する説明などを配送する際、チャートを同封したり、説明を配送する封書や納品書、宛名、梱包材などに直接に上述したチャート識別情報及び病院識別情報（文字情報あるいは図形情報）を印刷しておいても良い。さらに、それらチャート識別情報及び病院識別情報（文字情報あるいは図形情報）が着色されており、撮像することで色変換情報の取得に利用してもよい。
また、本実施形態においては、病院における患者の患部の診察・診断を行う観察環境（患者の患部を観察する時間範囲や、観察する場所の情報など）に基づいて、チャートを送付する病院と異なる、撮像環境が類似した他病院の病院色変換情報を用いて、当該病院に送付するチャートを作成しても良い。
【０３７７】
＜処理Ｆ２２の患部画像の色変換と表示の例＞
図４７は、色見本発行システム１Ｂを用いた患部画像の色変換と表示の処理の流れを示すシーケンス図である。図においては、患者データベース１２Ｂ，病院データベース１３Ｂ、チャート情報データベース１４Ａ及び機器情報データベース１５Ａの各々を、各データベース（１２Ｂ、１３Ｂ、１４Ａ、１５Ａ）として記述して説明する。以下の説明として、病院の医師が行う処理として記載しているが、病院の職員、あるいはその処理を依頼した人間であれば誰でもよい。
【０３７８】
ステップＦ５０１Ａ：
病院の医師は、病院サーバ４により、カラーマネージメント管理センター（色見本発行システム１Ｂ）にアクセスし、例えば、病院識別情報によりログインして、自身の登録している病院の患者の患部の患部画像の閲覧を依頼する。
これにより、データ入出力部１０１Ａは、アクセスした際の病院識別情報により、病院データベース１３Ｂの病院データテーブルを検索して、登録されている病院における何れの病院かの確認を行なう。
【０３７９】
ステップＦ５０２Ａ：
推定画像生成サーバ１１Ａは、患部表示画像を生成する際に用いる病院色変換情報を得るため、病院識別情報により病院データベース１３Ｂの病院データテーブルを検索し、アクセスした病院の病院色変換情報一覧テーブルを抽出する。
【０３８０】
ステップＦ５０３Ａ：
そして、推定画像生成サーバ１１Ａは、病院色変換情報を病院の医師に選択させる表示として、病院色変換情報一覧テーブルの仕様データの一覧を、病院サーバ４の表示画面に表示させる。
表示としては、「朝時間範囲」、「昼時間範囲」、「夜時間範囲」及び「プリセット色変換情報（一般的な病院の診察室、晴天の屋外など）」など、診察・診断を行う観察環境における観察の状態を示す文字列が用いられる。
【０３８１】
ステップＦ５０４Ａ：
病院の医師は、病院サーバ４の表示画面の仕様データの一覧から、自身が実物の患者の患部を観察する環境に対応した状態を選択する。
このとき、例えば、患者の患部の診察・診断の時間指定が午前１０時である場合、観察環境で患者の患部を観察する時間が朝時間範囲に含まれるため、病院の医師は病院サーバ４の表示画面の仕様データの一覧から、朝時間範囲を選択する。また、患者の患部の診察・診断が午後８時ぐらいであれば、観察環境で患者の患部を観察する時間が夜時間範囲に含まれるため、病院の医師は病院サーバ４の表示画面の仕様データの一覧から、夜時間範囲を選択する。一方、患者の患部を観察する観察環境が病室ではなく、学校の体育館などである場合、病院の医師は病院サーバ４の表示画面の仕様データの一覧から、プリセット病院色変換情報を選択する。
【０３８２】
ステップＦ５０５Ａ：
病院サーバ４は、病院の医師が選択した観察の状態、例えば、「朝時間範囲」、「昼時間範囲」、「夜時間範囲」、「オフィス」、「レストラン」、「プリセット病院色変換情報」の中の選択された文字列が情報として、色見本発行システム１Ｂに対して送信する。
このとき、病院サーバ４は、表示画面を表示するディスプレイを特定する機器特定情報（デバイス情報）を、上記文字列の情報とともに、色見本発行システム１Ｂに対して送信する。
【０３８３】
ステップＦ５０６Ａ：
データ入出力部１０１Ａは、顧客端末３から供給される機器特定情報を、機器情報取得部１０４Ａに対して出力する。
機器情報取得部１０４Ａは、機器特定情報であるデバイス情報に対応するディスプレイ特性を、機器情報データベース１５Ａの機器情報テーブルから検索して読み出す。
また、機器情報取得部１０４Ａは、読み出したディスプレイ特性を、上記病院色変換情報一覧テーブルのディスプレイ特性の欄に書き込んで記憶させる。
【０３８４】
ステップＦ５０７Ａ：
次に、推定画像生成サーバ１１Ａは、病院識別情報に対応して病院データベース１３Ｂの病院データテーブルから、ディスプレイ特性を読み出す。
また、推定画像生成サーバ１１Ａは、病院の医師が選択した病院色変換情報（患者の患部の診察・診断を行う観察の環境や、患者の患部や予想される症例に対応した病院色変換情報）を、病院色変換情報一覧テーブルから読み出す。
推定画像生成サーバ１１Ａは、病院データベース１３Ｂの患部色データテーブルから、病院の医師の診察・診断のために観察する患者の患部各々の患部色特性情報を読み出す。
【０３８５】
ステップＦ５０８Ａ：
そして、推定画像生成サーバ１１Ａは、患者の患部の患部色特性情報の規定観察環境における測色値を、病院色変換情報により医師の診察・診断を行う観察環境における測色値に変換し、かつディスプレイ特性に対応させて患部表示画像のデータを生成する。
【０３８６】
ステップＦ５０９Ａ：
推定画像生成サーバ１１Ａは、生成した患部表示画像のデータを、データ入出力部１０１Ａを介して、病院サーバ４に対して送信する。
これにより、病院の医師は、自身が患者の患部の診察・診断を行う観察環境で、実際に患者の患部を観察した場合と同様の色により、病院サーバ４の表示画面で患部画像を視認することができる。
このとき、推定画像生成サーバ１１Ａは、例えば、上記患部表示画像に対して、チャートの色特性情報を病院色変換情報により変換したチャートの表示画像も含めておく。
【０３８７】
このとき、病院の医師は、配送されたチャートと、病院サーバ４の表示画面に表示された患部画像におけるチャート画像との各々を観察してそれぞれの視認される色を比較して比較結果を、カラーマネージメント管理センターに送信する構成としてもよい。
すなわち、病院の医師は、病院サーバ４の表示画面に表示されている色成分ＲＧＢ（red：赤、green：緑、blue：青）調整用バーを順次調整することにより、実際に見ているチャートの色に、表示画面の患部画像におけるチャート画像の色を合わせる、色の差の評価を行なう。
そして、病院の医師は、表示画面の患部画像におけるチャート画像と、実際に観察しているチャートの色とが同様となったと認識した際、色成分ＲＧＢ調整用バーなどの調整量を入力する表示による表示画像の色の調整を終了させる。
また、病院の医師は、来院した患者の患部と、この患部を撮像した撮像画像とを比較して、表示画像の色を調整しても良い。
【０３８８】
これにより、病院サーバ４は、病院の医師が色を調整した患部画像のデータを評価情報（比較結果）として、色見本発行システム１Ｂに対して送信する。
または、第１の実施形態と同様に「赤みが足りない」などの情報を評価情報として、色見本発行システム１Ｂに対して送信してもよい。
そして、色見本発行システム１Ｂは、上記評価情報を追加チャート設計テーブルにおける追加色検索情報に加えて用いる。
【０３８９】
＜処理Ｆ２３及びＦ２４に対応した病院への追加チャート発行及び色変換情報更新＞
図４８は、色見本発行システム１Ｂを用いた病院色変換情報更新のための追加チャート発行の処理の流れを示すシーケンス図である。図においては、患者データベース１２Ｂ，病院データベース１３Ｂ、チャート情報データベース１４Ａ及び機器情報データベース１５Ａの各々を、各データベース（１２Ｂ、１３Ｂ、１４Ａ、１５Ａ）として記述して説明する。以下の説明として、病院の医師が行う処理として記載しているが、病院の職員、あるいはその処理を依頼した人間であれば誰でもよい。
【０３９０】
ステップＦ６０１Ａ：
病院の医師は、ステップＦ５０９Ａにおける患部表示画像で視認されるチャート画像の色と、観察環境における実物のチャートで視認される色とが異なる場合、病院サーバ４によりカラーマネージメント管理センター（色見本発行システム１Ｂ）にアクセスし、病院色変換情報の更新の依頼処理を行う。
そして、病院サーバ４は、病院識別情報を付加した病院色変換情報の更新を依頼する依頼情報を色見本発行システム１Ｂに送信する。
これにより、色見本発行システム１Ｂにおいて、追加チャート発行部１０７Ａは、病院サーバ４からの依頼情報から病院識別情報を抽出し、この病院の病院色変換情報の変更処理を行う。
【０３９１】
ステップＦ６０２Ａ：
データ入出力部１０１Ａは、病院の病院色変換情報の変更依頼を受信した場合、この病院の病院識別情報とともに、追加チャートの作成依頼を追加チャート発行部１０７Ａに出力する。
これにより、追加チャート発行部１０７Ａは、供給された病院識別情報に対応する病院色変換情報を、患者データベース１２Ｂにおける色変換情報一覧テーブルから読み出す。
また、追加チャート発行部１０７Ａは、病院の医師が示す患部の患部色情報（患部の色特性情報）を、病院データベース１３Ｂの患部色データテーブルから読み出す。
追加チャート発行部１０７Ａは、病院に送付したチャートのチャート設計情報をチャート情報データベース１４Ａから読み出す。
【０３９２】
ステップＦ６０３Ａ：
そして、追加チャート発行部１０７Ａは、追加チャートを作成する際、チャートに追加する色を、チャート情報データベース１４Ａの追加チャート設計テーブルから抽出する。
すなわち、追加チャート発行部１０７Ａは、追加チャート設計テーブルにおいて、病院色変換情報、チャートにおいて色票として利用した色特性情報、照明環境の光源の種別（種類）、患部の色特性情報などの検索条件と最も類似する追加色検索情報を検索する。
そして、追加チャート発行部１０７Ａは、検索された追加色検索情報に対応する追加チャート設計情報を読み出す。
【０３９３】
これにより、追加チャート発行部１０７Ａは、読み出した追加チャート設計情報に対応して、チャートにおける色票を入れ替えて追加チャートにおける色票の組合せの設計を行う。
このとき、追加チャートの設計に対して、病院の医師の比較結果、病院の医師の観察環境における光源メタメリズム、あるいは病院の医師またはカメラの観察者メタメリズムを反映させるようにしてもよい。
また、カメラにおけるレンズの前面にフィルタ（透過波長を変更するフィルタ）を配置したり、異なる観察感度のカメラで撮影したりするマルチバンド撮影と同様の効果が得られるように、例えば、チャートの一部の色票にフィルタの透過率やカメラ感度の違いを反映させて設計してもよい。
そして、運営会社Ａは、発行された追加チャートにおける色票の組合せの設計の情報に対応して、追加チャートを製造（例えば、紙媒体などに印刷）して、追加チャートを製造して発行する。
【０３９４】
ステップＦ６０４Ａ：
そして、追加チャート発行部１０７Ａは、生成した追加チャートの情報を、チャート識別情報を付与して、チャート情報データベース１４Ａの追加チャートテーブルに書き込んで記憶させる。
【０３９５】
ステップＦ６０５Ａ：
そして、運営会社Ａは、製造した追加チャート情報を、病院の医師が登録した住所（病院、診査課）に対して配送する。
【０３９６】
ステップＦ６０６Ａ：
病院の医師は、追加チャートが配送されてきた際、追加チャート情報を参照する。  そして、病院の医師は、追加チャート情報の指示に対応して、患者の患部を観察する観察環境において、撮像装置により追加チャートの撮像を行い、追加チャート撮像画像を取得する。追加チャートの撮像自体は、観察環境であれば病院の医師でなく他の人間でもよい。
【０３９７】
ステップＦ６０７Ａ：
そして、病院の医師は、カラーマネージメント管理センターに対してアクセスし、配送された追加チャートを撮像した追加チャート撮像画像のデータと、撮像した際の撮影情報とを、カラーマネージメント管理センター（色見本発行システム１Ｂ）に対して送信する。
【０３９８】
ステップＦ６０８Ａ：
データ入出力部１０１Ａは、追加チャート撮像画像のデータ及び撮影情報とが病院サーバ４から供給された場合、追加チャート撮像画像のデータを撮像画像取得部１０３Ａに対して出力する。
また、データ入出力部１０１Ａは、病院サーバ４から供給された撮影情報を、機器情報取得部１０４Ａ及び色変換情報演算部１０５Ａに対して出力する。
そして、撮像画像取得部１０３Ａは、病院識別情報に対応させて、追加チャート撮像画像のデータを病院データベース１３Ｂに書き込み、この書き込んだ領域のアドレスを病院データベース１３Ｂの病院色変換情報一覧テーブルに対して書き込んで記憶させる。
【０３９９】
機器情報取得部１０４Ａは、撮影情報に含まれる機器特定情報に対応するカメラ特性を、機器情報データベース１５Ａの機器情報テーブルから検索して読み出す。
そして、機器情報取得部１０４Ａは、読み出したカメラ特性を、上記病院色変換情報一覧テーブルのカメラ特性の欄に書き込んで記憶させる。
【０４００】
そして、色変換情報演算部１０５Ａは、チャート撮像画像及び追加チャート撮像画像と、チャートの色特性情報及び追加チャートの色特性情報と、比較結果、撮影情報とを用いて、病院色変換情報の再演算を行ない、新たに求められた病院色変換情報により、既存の病院色変換情報の更新を行なう。
このとき、病院色変換情報における更新は、多項式による数値計算、多次元関数を用いたモデル関数の係数調整などのアルゴリズムの調整に基づく更新処理、あるいはＡＩ（例えば、機械学習）によるモデルの更新などの手法を用いても良い。
そして、色変換情報演算部１０５Ａは、上述の手法により新たに求めた病院色変換情報を、病院データベース１３Ｂにおける病院色変換情報一覧テーブルの既存の病院色変換情報に上書きして記憶させることで更新を行なう。
【０４０１】
上述したように、本実施形態によれば、チャートにより得られたチャートの色特性情報、色変換情報（病院色変換情報も含む）及び比較結果などに基づいて、より照明環境（撮像環境及び観察環境）の情報を取得可能な追加チャートを生成することができるため、患者の患部を撮像する撮像環境、病院の医師が患者の患部を観察する観察環境の各々における光源の情報が取得でき、撮像環境で患部を撮像した撮像画像から色特性情報を取得する色変換情報と、この色特性情報を病院の医師が患部を観察する観察環境の色画像に変換する病院色変換情報とを高い精度で取得することができる。
このため、本実施形態によれば、取得した患者毎の色変換情報により、患者宅で患者の患部を撮像した撮像画像から高い精度で色特性情報を得ることができ、この色特性情報を病院の医師の観察環境に対応した病院色変換情報を用いて患部表示画像を生成することができ、患部表示画像と、医師の診察・診断を行う観察環境で視認する患部との色を同様に視認することができる。
【０４０２】
なお、本発明における図１における商品販売支援システム１（色変換情報生成システム）と、図１７における色見本発行システム１Ａ（色変換情報生成システム）と、図３７における色見本発行システム１Ｂ（色変換情報生成システム）との各々機能を実現するためのプログラムをコンピュータ読み取り可能な記録媒体に記録して、この記録媒体に記録されたプログラムをコンピュータシステムに読み込ませ、実行することにより、ユーザが色見本を撮像する撮像環境、あるいは物体を観察する観察環境の照明環境を推定し、色変換情報を生成する処理を行ってもよい。なお、ここでいう「コンピュータシステム」とは、ＯＳや周辺機器等のハードウェアを含むものとする。
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０４０３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０４０４】
１…商品販売支援システム
１Ａ，１Ｂ…色見本発行システム
２…ＥＣサイトサーバ
２＿１…記憶部
３…ユーザ端末（あるいは、顧客端末）
４…病院サーバ
５…患者端末
１０…商品販売支援サーバ
１０Ａ…色見本発行サーバ
１１…ユーザデータベース
１１Ａ…推定画像生成サーバ
１２…商品色データベース
１２Ａ…顧客データベース
１２Ｂ…患者データベース
１３…チャート情報データベース
１３Ａ…ＥＣサイトデータベース
１３Ｂ…病院データベース
１４…機器情報データベース
１４Ａ…チャート情報データベース
１５Ａ…機器情報データベース
１６Ａ…商品販売サーバ
１０１，１０１Ａ…データ入出力部
１０２…チャート供給部
１０２Ａ…チャート発行部
１０３，１０３Ａ…撮像画像取得部
１０４，１０４Ａ…機器情報取得部
１０５，１０５Ａ…色変換情報演算部
１０６…推定画像生成部
１０６Ａ…照明環境推定部
１０７…商品販売処理部
１０７Ａ…追加チャート発行部
【図１】
2020162478.tif 000003
【図２】
2020162478.tif 000004
【図３】
2020162478.tif 000005
【図４】
2020162478.tif 000006
【図５】
2020162478.tif 000007
【図６】
2020162478.tif 000008
【図７】
2020162478.tif 000009
【図８】
2020162478.tif 000010
【図９】
2020162478.tif 000011
【図１０】
2020162478.tif 000012
【図１１】
2020162478.tif 000013
【図１２】
2020162478.tif 000014
【図１３】
2020162478.tif 000015
【図１４】
2020162478.tif 000016
【図１５】
2020162478.tif 000017
【図１６】
2020162478.tif 000018
【図１７】
2020162478.tif 000019
【図１８】
2020162478.tif 000020
【図１９】
2020162478.tif 000021
【図２０】
2020162478.tif 000022
【図２１】
2020162478.tif 000023
【図２２】
2020162478.tif 000024
【図２３】
2020162478.tif 000025
【図２４】
2020162478.tif 000026
【図２５】
2020162478.tif 000027
【図２６】
2020162478.tif 000028
【図２７】
2020162478.tif 000029
【図２８】
2020162478.tif 000030
【図２９】
2020162478.tif 000031
【図３０】
2020162478.tif 000032
【図３１】
2020162478.tif 000033
【図３２】
2020162478.tif 000034
【図３３】
2020162478.tif 000035
【図３４】
2020162478.tif 000036
【図３５】
2020162478.tif 000037
【図３６】
2020162478.tif 000038
【図３７】
2020162478.tif 000039
【図３８】
2020162478.tif 000040
【図３９】
2020162478.tif 000041
【図４０】
2020162478.tif 000042
【図４１】
2020162478.tif 000043
【図４２】
2020162478.tif 000044
【図４３】
2020162478.tif 000045
【図４４】
2020162478.tif 000046
【図４５】
2020162478.tif 000047
【図４６】
2020162478.tif 000048
【図４７】
2020162478.tif 000049
【図４８】
2020162478.tif 000050
【国際調査報告】
2020162478.tif 000051
2020162478.tif 000052
2020162478.tif 000053
2020162478.tif 000054